(57)【要約】【課題】心肺バイパスシステムを提供すること。【解決手段】心肺バイパスシステム、灌流システム、体外循環装置、ならびに人工心肺機械等の医療システムおよびデバイスのためのカスタマイズ可能な直感的ユーザインターフェースが、提供され、それは、心臓パイパスおよび体外膜型酸素供給（ＥＣＭＯ）等の外科手術手技中、血液灌流を促進し、患者の種々の生理学的パラメータならびに体外血流回路を監視および調整するために、重要な患者データへの容易なアクセスを可能にする。一実施形態において、心肺バイパスシステムは、プロセッサと、グラフィカルユーザインターフェースを備えているタッチスクリーンとを備えている。【選択図】図３Ａ
2019217405.tif 000002
【特許請求の範囲】
【請求項１】
グラフィカルユーザインターフェースを備えているタッチスクリーンであって、前記グラフィカルユーザインターフェースは、
ヘッダ部分と、
前記ヘッダ部分に隣接している中心部分と
を含み、
前記中心部分は、複数の区分に分割され、少なくとも１つの区分は、タブなしページを表示し、少なくとも１つの区分は、複数のタブ付きページを表示し、前記タブなしページは、複数のセンサモジュールを備え、前記少なくとも１つのタブ付きページは、複数のセンサモジュールを備えている、タッチスクリーン。
【請求項２】
前記タブなしページの各センサモジュールは、圧力センサモジュール、気泡検出センサモジュール、レベルセンサモジュール、流量センサモジュール、圧力デルタデータセンサモジュール、および温度センサモジュールから成る群から個々に選択される、請求項１に記載のタッチスクリーン。
【請求項３】
前記タブなしページは、少なくとも１つの圧力センサモジュール、少なくとも１つの気泡検出センサモジュール、および少なくとも１つのレベルセンサモジュールを含む、請求項１に記載のタッチスクリーン。
【請求項４】
前記少なくとも１つの圧力センサモジュール、前記少なくとも１つの気泡検出センサモジュール、および前記少なくとも１つのレベルセンサモジュールの各々は、高優先順位アラーム状態、中優先順位アラーム状態、および低優先順位アラーム状態のうちの少なくとも２つから選択される複数のアラーム状態を表示することが可能である、請求項３に記載のタッチスクリーン。
【請求項５】
前記少なくとも１つの圧力センサモジュールは、圧力値データフィールドと、タッチまたは圧力起動介入ボタンとを備え、タッチまたは圧力による前記介入ボタンの起動は、心肺バイパスシステムのポンプの動作が一時的に修正されるようにする、請求項３に記載のタッチスクリーン。
【請求項６】
前記少なくとも１つの気泡検出センサモジュールは、気泡検出データフィールドと、タッチまたは圧力起動リセットボタンとを備え、前記気泡検出データフィールドは、気泡検出センサから取得される気泡検出データを表示する、請求項３に記載のタッチスクリーン。
【請求項７】
前記少なくとも１つの気泡検出センサモジュールは、前記気泡検出センサが事前設定された気泡検出サイズ値を超える気泡を検出すると、高優先順位アラーム状態を表示し、前記気泡検出センサモジュールは、前記リセットボタンがタッチまたは圧力によって起動され、前記気泡検出センサによって検出された気泡が同時に前記事前設定された気泡検出サイズ値を超えなくなるまで、前記高優先順位アラーム状態を継続して表示する、請求項６に記載のタッチスクリーン。
【請求項８】
前記少なくとも１つの気泡検出センサモジュールは、タッチまたは圧力起動介入ボタンをさらに備え、タッチまたは圧力による前記介入ボタンの起動は、前記心肺バイパスシステムのポンプの動作が一時的に修正されるようにする、請求項７に記載のタッチスクリーン。
【請求項９】
前記少なくとも１つのレベルセンサモジュールは、レベルデータフィールドと、タッチまたは圧力起動介入ボタンとを備え、前記介入ボタンは、前記心肺バイパスシステムの血液リザーバの血液流体レベルが事前決定された低血液流体レベルにあるか、またはそれを下回るときのみイネーブルにされる、請求項３に記載のタッチスクリーン。
【請求項１０】
タッチまたは圧力による前記介入ボタンの起動は、前記プロセッサによって開始される自動的血液流体レベル補正機構を中断するように、前記心肺バイパスシステムのポンプの動作が一時的に修正されるようにする、請求項９に記載のタッチスクリーン。
【請求項１１】
各タブ付きページは、タブを備え、各タブ付きページは、表示モードおよびオーバーレイモードにおいて表示可能である、請求項１に記載のタッチスクリーン。
【請求項１２】
前記表示モードにおいて表示されると、前記タブ付きページの実質的に全てが、閲覧可能であり、前記オーバーレイモードにおいて表示されると、前記タブ付きページのタブのみが、閲覧可能である、請求項１１に記載のタッチスクリーン。
【請求項１３】
前記複数のタブ付きページを表示する前記少なくとも１つの区分の１つのタブ付きページのみが、前記表示モードにおいて一度に表示され、残りの前記タブ付きページは、前記オーバーレイモードにおいて表示される、請求項１２に記載のタッチスクリーン。
【請求項１４】
各タブは、ユーザによって前記タッチスクリーン上に及ぼされるタッチまたは圧力によって起動可能であり、タッチまたは圧力による前記タブの起動は、関連付けられたタブ付きページが前記表示モードにおいて表示され、残りのタブ付きページが前記オーバーレイモードにおいて表示されるようにする、請求項１３に記載のタッチスクリーン。
【請求項１５】
各タブは、あるアラーム状態に遷移することが可能であり、それによって、対応するタブ付きページが前記オーバーレイモードにおいて表示され、前記対応するタブ付きページの任意のセンサモジュールがあるアラーム状態に遷移すると、そのタブは、閲覧可能なあるアラーム状態に遷移する、請求項１４に記載のタッチスクリーン。
【請求項１６】
前記グラフィカルユーザインターフェースは、ヘッダ部分と、フッタ部分とを含み、前記中心部分は、前記ヘッダ部分と前記フッタ部分との間に配置されている、請求項１に記載のタッチスクリーン。
【請求項１７】
グラフィカルユーザインターフェースを備えているタッチスクリーンであって、前記グラフィカルユーザインターフェースは、複数の区分に分割された中心部分を含み、
１つの区分は、タブなし表示ページを表示し、複数の他の区分の各々は、複数のタブ付き表示ページを表示し、各タブ付き表示ページは、表示モードおよびオーバーレイモードにおいて表示可能であり、前記他の区分の各々の１つのタブ付き表示ページのみが、前記表示モードにおいて一度に表示可能であり、各残りのタブ付き表示ページは、前記オーバーレイモードにおいて表示される、タッチスクリーン。
【請求項１８】
各タブ付き表示ページは、タッチまたは圧力起動可能タブを備え、前記タブに加えられるタッチまたは圧力は、前記表示モードにおける前記タブ付き表示ページの表示を起動する、請求項１７に記載のタッチスクリーン。
【請求項１９】
前記複数の他の区分は、第１の区分と、第２の区分とを含み、前記第１の区分のタブ付き表示ページは、タブ付き表示ページの二重対を備えているテーマ別ユーザインターフェースを形成するために、前記第２の区分のタブ付き表示ページと同時に前記表示モードにおいて表示される、請求項１７に記載のタッチスクリーン。
【請求項２０】
前記複数の他の区分は、第１の区分と、第２の区分と、第３の区分とを含み、前記第１の区分のタブ付き表示ページは、タブ付き表示ページの二重対を備えているテーマ別ユーザインターフェースを形成するために、前記第２の区分または前記第３の区分の１つのタブ付き表示ページと同時に前記表示モードにおいて表示される、請求項１７に記載のタッチスクリーン。
【請求項２１】
前記複数の他の区分は、第１の区分と、第２の区分と、第３の区分とを含み、前記第１の区分のタブ付き表示ページは、タブ付き表示ページの三重対を備えているテーマ別ユーザインターフェースを形成するために、前記第２の区分の１つのタブ付き表示ページおよび前記第３の区分の１つのタブ付き表示ページと同時に前記表示モードにおいて表示される、請求項１７に記載のタッチスクリーン。
【請求項２２】
ヘッダ部分とフッタ部分とをさらに備え、
前記中心部分は、前記ヘッダ部分および前記フッタ部分の各々に隣接している、請求項１７に記載のタッチスクリーン。
【請求項２３】
請求項１７に記載のタッチスクリーンを備えている医療装置。
【請求項２４】
前記タブなし表示ページは、複数のセンサモジュールを備え、前記タブ付き表示ページの少なくともいくつかは、複数のセンサモジュールを備えている、請求項２３に記載の医療装置。
【請求項２５】
前記医療装置は、人工心肺機械および体外膜型酸素供給機械から成る群から選択される装置である、請求項２４に記載の医療装置。
【請求項２６】
医療装置のグラフィカルユーザインターフェースを動作させる方法であって、前記方法は、
第１の複数のセンサによって収集されるデータを表示することと、前記第１の複数のセンサによって収集される前記表示されるデータに関連付けられたアラーム状態置を表示することとを行うように、前記グラフィカルユーザインターフェースのタブなし表示ページの複数のセンサモジュールを選択的に構成するステップであって、前記第１の複数のセンサは、体外血流回路からデータを収集するように配置されている、ステップと、
第２の複数のセンサによって収集されるデータを表示することと、前記第２の複数のセンサによって収集される前記表示されるデータに関連付けられたアラーム状態置を表示することとを行うように、前記グラフィカルユーザインターフェースの複数のタブ付き表示ページの複数のセンサモジュールを選択的に構成するステップであって、前記第２の複数のセンサは、前記体外血流回路からデータを収集するように配置されている、ステップと
を含む、方法。
【請求項２７】
前記第１の複数のセンサによって前記表示されるデータに関連付けられた前記アラーム状態置は、低優先順位アラーム状態、中優先順位アラーム状態、および高優先順位アラーム状態から成る群から選択される２つ以上の状態を含む、請求項２６に記載の方法。
【請求項２８】
前記第２の複数のセンサによって前記表示されるデータに関連付けられた前記アラーム状態置は、低優先順位アラーム状態、中優先順位アラーム状態、および高優先順位アラーム状態から成る群から選択される２つ以上の状態を含む、請求項２６に記載の方法。
【請求項２９】
前記タブなし表示ページの前記複数のセンサモジュールは、少なくとも１つの圧力センサモジュール、少なくとも１つの気泡検出センサモジュール、および少なくとも１つのレベルセンサモジュールを含む、請求項２６に記載の方法。
【請求項３０】
前記少なくとも１つの圧力センサモジュールに動作可能にリンクされている圧力センサによって収集される圧力データを表示するステップと、
前記表示される圧力データが停止限界値に等しいか、またはそれを超える場合、圧力高優先順位アラーム状態を表示するステップと
をさらに含む、請求項２９に記載の方法。
【請求項３１】
前記圧力データがある閾値に等しいか、またはそれを超え、かつ、それが前記停止限界値よりも低い場合、圧力中優先順位アラーム状態を表示するステップをさらに含む、請求項３０に記載の方法。
【請求項３２】
前記圧力データがアラーム限界値に等しいか、またはそれを超え、かつ、それが前記閾値よりも低い場合、圧力低優先順位アラーム状態を表示するステップをさらに含む、請求項３１に記載の方法。
【請求項３３】
前記圧力高優先順位アラーム状態が表示されている間にタッチスクリーンのタッチまたは圧力感受性介入ボタンを起動するステップをさらに含み、前記タッチまたは圧力感受性介入ボタンの起動は、血液ポンプの動作を低減させるか、または中断する、請求項３０に記載の方法。
【請求項３４】
前記少なくとも１つの気泡検出センサモジュールに動作可能にリンクされている気泡検出センサによって収集される気泡検出データを表示するステップと、
前記表示される気泡検出データが前記体外血流回路内の気泡の検出を示し、前記検出された気泡が閾値サイズ限界値を超えないサイズを有する場合、気泡検出低優先順位アラーム状態を表示するステップと
をさらに含む、請求項２９に記載の方法。
【請求項３５】
前記表示される気泡検出データが、前記閾値サイズ限界値を超えるサイズを有する前記体外血流回路内の気泡の検出を示す場合、気泡検出高優先順位アラーム状態を表示し、前記検出された気泡のサイズが前記閾値サイズ限界値を超えておらず、リセットボタンが起動されるまで、前記気泡検出高優先順位アラーム状態の表示を継続するステップをさらに含む、請求項３４に記載の方法。
【請求項３６】
前記気泡検出高優先順位アラーム状態が表示されている間にタッチスクリーンのタッチまたは圧力感受性介入ボタンを起動するステップをさらに含み、前記タッチまたは圧力感受性介入ボタンの起動は、設定された期間にわたって血液ポンプの動作を修正する、請求項３５に記載の方法。
【請求項３７】
前記少なくとも１つのレベルセンサモジュールに動作可能にリンクされているレベルセンサによって収集されるレベルデータを表示するステップと、
前記表示されるレベルデータが、調整レベルにあるか、またはそれを下回り、許容できない低いレベルを超える前記体外血流回路の血液リザーバの血液流体のレベルを示す場合、レベル低優先順位アラーム状態を表示するステップと
をさらに含む、請求項２９に記載の方法。
【請求項３８】
前記表示されるレベルデータが、前記許容できない低いレベルにあるか、またはそれを下回る前記体外血流回路の血液リザーバの血液流体のレベルを示す場合、レベル高優先順位アラーム状態を表示するステップをさらに含む、請求項３７に記載の方法。
【請求項３９】
前記レベル高優先順位アラーム状態が表示されている間にタッチスクリーンのタッチまたは圧力感受性介入ボタンを起動するステップをさらに含み、前記タッチまたは圧力感受性介入ボタンの起動は、設定された期間にわたって動脈血液ポンプの動作を修正するか、または設定された期間にわたって空気除去ポンプを修正する、請求項３８に記載の方法。
【請求項４０】
前記タブ付き表示ページの前記複数のセンサモジュールは、圧力センサモジュール、気泡検出センサモジュール、レベルセンサモジュール、温度センサモジュール、および流量センサモジュールから成る群から選択される少なくとも１つのセンサモジュールを含む、請求項２６に記載の方法。
【請求項４１】
前記圧力センサモジュールに動作可能にリンクされている圧力センサによって収集される圧力データを表示するステップと、
前記表示される圧力データが停止限界値に等しいか、またはそれを超える場合、圧力高優先順位アラーム状態を表示するステップと
をさらに含む、請求項４０に記載の方法。
【請求項４２】
前記圧力データがある閾値に等しいか、またはそれを超え、かつ、それが前記停止限界値よりも低い場合、圧力中優先順位アラーム状態を表示するステップをさらに含む、請求項４１に記載の方法。
【請求項４３】
前記圧力データがアラーム限界値に等しいか、またはそれを超え、かつ、それが前記閾値よりも低い場合、圧力低優先順位アラーム状態を表示するステップをさらに含む、請求項４２に記載の方法。
【請求項４４】
前記圧力高優先順位アラーム状態が表示されている間にタッチスクリーンのタッチまたは圧力感受性介入ボタンを起動するステップをさらに含み、前記タッチまたは圧力感受性介入ボタンの起動は、血液ポンプの動作を低減させるか、または中断する、請求項４１に記載の方法。
【請求項４５】
前記気泡検出センサモジュールに動作可能にリンクされている気泡検出センサによって収集される気泡検出データを表示するステップと、
前記表示される気泡検出データが前記体外血流回路内の気泡の検出を示し、検出された気泡が閾値サイズ限界値を超えないサイズを有する場合、気泡検出低優先順位アラーム状態を表示するステップと
をさらに含む、請求項４０に記載の方法。
【請求項４６】
前記表示される気泡検出データが、前記閾値サイズ限界値を超えるサイズを有する前記体外血流回路内の気泡の検出を示す場合、気泡検出高優先順位アラーム状態を表示し、前記検出された気泡のサイズが前記閾値サイズ限界値を超えておらず、リセットボタンが起動されるまで、前記気泡検出高優先順位アラーム状態の表示を継続するステップをさらに含む、請求項４５に記載の方法。
【請求項４７】
前記気泡検出高優先順位アラーム状態が表示されている間にタッチスクリーンのタッチまたは圧力感受性介入ボタンを起動するステップをさらに含み、前記タッチまたは圧力感受性介入ボタンの起動は、設定された期間にわたって血液ポンプの動作を修正する、請求項４６に記載の方法。
【請求項４８】
前記レベルセンサモジュールに動作可能にリンクされているレベルセンサによって収集されるレベルデータを表示するステップと、
前記表示されるレベルデータが、調整レベルにあるか、またはそれを下回り、許容できない低いレベルを超える前記体外血流回路の血液リザーバの血液流体のレベルを示す場合、レベル低優先順位アラーム状態を表示するステップと
をさらに含む、請求項４０に記載の方法。
【請求項４９】
前記表示されるレベルデータが、前記許容できない低いレベルにあるか、またはそれを下回る前記体外血流回路の血液リザーバの血液流体のレベルを示す場合、レベル高優先順位アラーム状態を表示するステップをさらに含む、請求項４８に記載の方法。
【請求項５０】
前記レベル高優先順位アラーム状態が表示されている間にタッチスクリーンのタッチまたは圧力感受性介入ボタンを起動するステップをさらに含み、前記タッチまたは圧力感受性介入ボタンの起動は、設定された期間にわたる動脈血液ポンプの動作または設定された期間にわたる空気除去ポンプの動作のいずれかを修正する、請求項４９に記載の方法。
【請求項５１】
複数のタブ付き表示ページが、前記グラフィカルユーザインターフェースの第１の区分内に表示され、前記タブなし表示ページは、前記グラフィカルユーザインターフェースの第２の区分内に表示され、各タブ付き表示ページは、表示モードおよびオーバーレイモードにおいて表示可能であり、
前記方法は、前記タブ付き表示ページが前記表示モードにおいて表示され、前記第１の区分の全ての他のタブ付き表示ページが前記オーバーレイモードにおいて表示されるように、前記第１の区分のタブ付き表示ページのタブを起動するステップをさらに含む、請求項２６に記載の方法。
【請求項５２】
前記表示モードにおいて、前記タブ付き表示ページの実質的に全てが、表示され、前記オーバーレイモードにおいて、前記タブ付き表示ページの前記タブの実質的に全てのみが、表示される、請求項５１に記載の方法。
【請求項５３】
前記オーバーレイモードにおいて表示されている間、オーバーレイされたタブ付き表示ページのアラーム状態が、前記オーバーレイされたタブ付き表示ページの前記タブによって信号伝達される、請求項５１に記載の方法。
【請求項５４】
臨床動作モードにおける動作に先立って、タッチスクリーンのグラフィカルユーザインターフェースを構成する方法であって、前記方法は、
第１の信号に応答して、前記タッチスクリーンによって表示されるグラフィカルユーザインターフェースのタブ付き表示ページに関連付けられたセンサモジュール構成メニューインターフェースを表示するステップと、
第２の信号に応答して、前記タブ付き表示ページに関連付けられたセンサモジュール構成メニューインターフェースに関連付けられたセンサモジュールのための少なくとも１つのアラーム限界を設定するステップと
を含む、方法。
【請求項５５】
前記第１の信号は、前記タブ付き表示ページのセンサモジュールのタッチまたは圧力起動可能モジュール設定メニューボタンの起動の結果として生成される、請求項５４に記載の方法。
【請求項５６】
前記第２の信号は、前記タブ付き表示ページの前記センサモジュール構成メニューインターフェースのタッチまたは圧力起動可能ボタンの起動の結果として生成される、請求項５５に記載の方法。
【請求項５７】
第３の信号に応答して、ポンプ機能の前記タブ付き表示ページの前記センサモジュールとの選択的関連付けを可能にするために、前記タブ付き表示ページの前記センサモジュール構成メニューインターフェースの一部上にポンプ関連付けメニューインターフェースをオーバーレイするステップをさらに含む、請求項５４に記載の方法。
【請求項５８】
前記方法は、
第３の信号に応答して、前記タッチスクリーンによって表示される前記グラフィカルユーザインターフェースのタブなし表示ページの一部上にセンサモジュール構成メニューインターフェースを表示するステップと、
第４の信号に応答して、前記タブなし表示ページに関連付けられた前記センサモジュール構成メニューインターフェースに関連付けられたセンサモジュールのための少なくとも１つのアラーム限界を設定するステップと
をさらに含む、請求項５４に記載の方法。
【請求項５９】
前記第３の信号は、前記タブなし表示ページの前記センサモジュールのタッチまたは圧力起動可能モジュール設定メニューボタンの起動の結果として生成される、請求項５８に記載の方法。
【請求項６０】
前記第４の信号は、前記タブなし表示ページの前記センサモジュール構成メニューインターフェースのタッチまたは圧力起動可能ボタンの起動の結果として生成される、請求項５９に記載の方法。
【請求項６１】
第５の信号に応答して、ポンプ機能の前記タブなし表示ページの前記センサモジュールとの選択的関連付けを可能にするために、前記タブなし表示ページの前記センサモジュール構成メニューインターフェースの一部上にポンプ関連付けメニューインターフェースをオーバーレイするステップをさらに含む、請求項５８に記載の方法。
【請求項６２】
前記センサモジュール構成メニューインターフェースに関連付けられた前記センサモジュールは、圧力センサモジュール構成メニューインターフェースに関連付けられた圧力センサモジュール、または気泡検出センサモジュール構成メニューインターフェースに関連付けられた気泡検出センサモジュール、またはレベルセンサモジュール構成メニューインターフェースに関連付けられたレベルセンサモジュール、または温度センサモジュール構成メニューインターフェースに関連付けられた温度センサモジュール、または流量センサモジュール構成メニューインターフェースに関連付けられた流量センサモジュール、もしくは圧力デルタセンサモジュール構成メニューインターフェースに関連付けられた圧力デルタセンサモジュールである、請求項５４に記載の方法。
【請求項６３】
対応するセンサモジュール構成メニューインターフェースに関連付けられた各センサモジュールは、圧力センサモジュール構成メニューインターフェースに関連付けられた圧力センサモジュール、気泡検出センサモジュール構成メニューインターフェースに関連付けられた気泡検出センサモジュール、レベルモジュール構成メニューインターフェースに関連付けられたレベルセンサモジュール、温度センサモジュール構成メニューインターフェースに関連付けられた温度センサモジュール、流量センサモジュール構成メニューインターフェースに関連付けられた流量センサモジュール、および圧力デルタセンサモジュール構成メニューインターフェースに関連付けられた圧力デルタセンサモジュールから成る群から独立して選択される、請求項５８に記載の方法。
【請求項６４】
事前定義されたグラフィカルユーザインターフェース構成を選択すること、輝度およびアラーム音量から成る群から選択される少なくとも１つの選択可能アラーム設定を構成すること、または外部デバイスメニューを表示することを行うためのシステム構成メニューインターフェースを起動するステップをさらに含む、請求項５４に記載の方法。
【請求項６５】
前記タブ付き表示ページの前記センサモジュールの前記少なくとも１つのアラーム限界を受け入れ、イネーブルにするように、前記タブ付き表示ページの前記センサモジュール構成メニューインターフェースを閉じるステップをさらに含む、請求項５４に記載の方法。
【請求項６６】
前記タブなし表示ページの前記センサモジュールの前記少なくとも１つのアラーム限界を受け入れ、イネーブルにするために、前記タブなし表示ページの前記センサモジュール構成メニューインターフェースを閉じるステップをさらに含む、請求項５８に記載の方法。
【請求項６７】
前記タブ付き表示ページの前記センサモジュールの前記少なくとも１つのアラーム限界を受け入れ、イネーブルにするために、前記タブ付き表示ページの前記センサモジュール構成メニューインターフェースを閉じるステップをさらに含む、請求項６６に記載の方法。
【発明の詳細な説明】
【技術分野】
【０００１】
本願は、米国仮特許出願第６２／２３８，３５８号（２０１５年１０月７日出願）に対する優先権の利益を主張し、この仮出願の開示は、その全体が参照により本明細書に組み込まれる。
【０００２】
（開示の範囲）
本開示は、医療システムおよびデバイス、特に、心肺バイパスシステム、灌流システム、体外循環装置、および人工心肺機械、ならびに同等物のためのユーザインターフェースに関連する。そのようなユーザインターフェースの適用は、心肺バイパス、体外膜型酸素供給（ＥＣＭＯ）、および他の体外循環バイパス手技等、医療および／または外科手術手技中に血液灌流を促進し、ならびに医療および／または外科手術手技中に生命を維持するために必要な患者の種々の生理学的パラメータを監視および調整するために特に有用であり得る。
【背景技術】
【０００３】
従来の人工心肺機械は、機械に有線接続される静的プッシュボタンユーザインターフェースを有し、便利にカスタマイズ可能ではない、人間工学的ではない、使用が容易ではない、または患者パラメータを監視、調整、ならびに／もしくは調節するための患者データおよび／もしくはメニューへの迅速なアクセスを可能にしない。これらの煩雑なインターフェースは、設計および構造において柔軟性に欠け、特定の臨床用途、および／または特定の患者、ならびに／もしくはユーザの特定の選好のためのインターフェースのユーザカスタマイズのための柔軟性を可能にしない。さらに、従来の人工心肺機械ユーザインターフェースによって採用される典型的なマルチレベルネスト化メニュー層は、実際には、ネスト化メニューの要求される連続的開閉ステップに起因して、重要な患者データへの迅速なアクセスを妨げ、そのような重要情報へのアクセスを妨害し得、これは、患者安全性の懸念を生じさせる。
【０００４】
したがって、ネスト化メニューを使用するもの等の従来の人工心肺機械ユーザインターフェースは、その設計の結果として、あるデータフィールドへの迅速なユーザアクセスへの障害を生じさせ、不利なこととして、妨害を伴わない重要な患者データへのユーザの迅速なアクセス、その調節、およびその連続的監視を妨げる。これらの不利点は、患者の生理学的パラメータが、手技中に患者の生命を維持するために入念に監視および調整されなければならない心肺バイパス手技において遭遇するような、体外循環を伴う複雑な医療および／または外科手術手技中の死亡率の可能性を増加させ得る。
【０００５】
さらに、従来の人工心肺機械ユーザインターフェースはまた、いかなるアラームシステムも有していない、または不完全に統合されたアラームシステムしか有しておらず、これは、心肺バイパス手技中にユーザにシステムエラーをタイムリーに通知し、協調させ、助言するために不適正である。
【０００６】
上で議論される欠陥に照らして、患者の重要なデータへの迅速かつ連続的な妨害されないアクセスが、体外バイパス手技中に促進されるように、人工心肺機械および他の心肺バイパス機械等の体外バイパス循環を提供する機械のための直感的、人間工学的、カスタマイズ可能、かつ効率的なユーザインターフェースシステムおよびディスプレイを開発する必要性がある。また、システムパラメータの監視、調整、および調節を促進し、心肺バイパス機械のユーザが任意のシステムエラーを協調された様式で速やかに通知され、是正措置が直ちに講じられ得るように、統合されたシステム全体のアラーム機構をさらに提供し、それによって、患者死亡率を減少させ、患者転帰を改善する、本環境におけるユーザインターフェースシステムおよびディスプレイを開発する必要性がある。
【発明の概要】
【発明が解決しようとする課題】
【０００７】
したがって、本開示のいくつかの実施形態は、概して、心肺バイパスシステムまたは体外血流回路を伴う他のシステム等とともに採用され得るユーザインターフェースに関連する。そのような実施形態は、１人以上のユーザによってカスタマイズ可能であり、柔軟であり、便利なモジュール性を保有するように構築される。そのような実施形態はまた、直感的設計を保有し、使用が容易であり、患者安全性を改善するように構築され得る。いくつかのそのような実施形態では、ユーザインターフェースは、心肺バイパスシステムまたは体外血流回路を伴う他のシステムの動作中に安全性を強化するように、緊密に統合されたアラームおよび他の統合された安全対策を提供される。本開示の非限定的例証的実施形態の以下の概観は、ある実施形態の種々の特徴を強調するために提供されるが、しかしながら、本概観は、包括的であるものとして、または本開示を任意の実質的な方法で限定するものとして解釈されるべきではない。言い換えると、本概要は、本開示の装置および方法実施形態の種々の有利な特徴を強調するが、しかしながら、本概要は、好ましい実施形態の目録として解釈されるべきではない。
【課題を解決するための手段】
【０００８】
本開示の第１の非限定的例証的実施形態によると、（ａ）プロセッサと、（ｂ）プロセッサにユーザ入力を提供し、プロセッサから出力された１つ以上のパラメータに関連する測定されたデータを表示するように動作可能に接続されるグラフィカルユーザインターフェースを備え、グラフィカルユーザインターフェースは、複数の区分に分割された中心部分を具備し、少なくとも１つの区分は、タブなし表示ページを表示し、少なくとも１つの区分は、複数のタブ付き表示ページを表示し、タブなし表示ページは、複数のセンサモジュールを備え、少なくとも１つのタブ付きページは、複数のセンサモジュールを備えている、タッチスクリーンとを含む、心肺バイパスシステムが、提供される。本開示の第２の非限定的例証的実施形態によると、第１の非限定的実施形態は、修正され、したがって、タブなし表示ページの各センサモジュールは、圧力センサモジュール、気泡検出センサモジュール、レベルセンサモジュール、流量センサモジュール、圧力デルタデータセンサモジュール、および温度センサモジュールから成る群から個々に選択される。本開示の第３の非限定的例証的実施形態によると、第１および第２の非限定的実施形態は、修正され、したがって、タブなし表示ページは、少なくとも１つの圧力センサモジュール、少なくとも１つの気泡検出センサモジュール、および少なくとも１つのレベルセンサモジュールを含む。
【０００９】
本開示の第４の非限定的例証的実施形態によると、第１、第２、および第３の非限定的実施形態はさらに、修正され、したがって、少なくとも１つの圧力センサモジュール、少なくとも１つの気泡検出センサモジュール、および少なくとも１つのレベルセンサモジュールの各々は、高優先順位アラーム状態、中優先順位アラーム状態、および低優先順位アラーム状態のうちの少なくとも２つから選択される複数のアラーム状態を表示することが可能である。本開示の第５の非限定的例証的実施形態によると、第１、第２、第３、および第４の非限定的実施形態はさらに、修正され、したがって、少なくとも１つの圧力センサモジュールは、圧力値データフィールドと、タッチまたは圧力起動介入ボタンとを備え、タッチまたは圧力による介入ボタンの起動は、心肺バイパスシステムのポンプの動作が一時的に修正されるようにする。
【００１０】
本開示の第６の非限定的例証的実施形態によると、第１、第２、第３、第４、および第５の非限定的実施形態はさらに、修正され、したがって、少なくとも１つの気泡検出センサモジュールは、気泡検出データフィールドと、タッチまたは圧力起動リセットボタンとを備え、気泡検出データフィールドは、気泡検出センサから取得される気泡検出データを表示する。本開示の第７の非限定的例証的実施形態によると、第１、第２、第３、第４、第５、第６、および第７の非限定的実施形態はさらに、修正され、したがって、少なくとも１つの気泡検出センサモジュールは、気泡検出センサが事前設定された気泡検出サイズ値を超える気泡を検出すると、高優先順位アラーム状態を表示し、気泡検出センサモジュールは、リセットボタンがタッチまたは圧力によって起動され、気泡検出センサによって検出された気泡が同時に事前設定された気泡検出サイズ値を超えなくなるまで、高優先順位アラーム状態を継続して表示する。本開示の第８の非限定的例証的実施形態によると、第１、第２、第３、第４、第５、第６、および第７の非限定的実施形態はさらに、修正され、したがって、少なくとも１つの気泡検出センサモジュールは、タッチまたは圧力起動介入ボタンをさらに備え、タッチまたは圧力による介入の起動は、心肺バイパスシステムのポンプの動作が一時的に修正されるようにする。
【００１１】
本開示の第９の非限定的例証的実施形態によると、第１、第２、第３、第４、第５、第６、第７、および第８の非限定的実施形態はさらに、修正され、したがって、少なくとも１つのレベルセンサモジュールは、レベルデータフィールドと、タッチまたは圧力起動介入ボタンとを備え、介入ボタンは、心肺バイパスシステムの血液リザーバの血液流体レベルが事前決定された低血液流体レベルにあるか、またはそれを下回るときのみイネーブルにされる。本開示の第１０の非限定的例証的実施形態によると、第１、第２、第３、第４、第５、第６、第７、第８、および第９の非限定的実施形態はさらに、修正され、したがって、タッチまたは圧力による介入ボタンの起動は、プロセッサによって開始される自動的血液流体レベル補正機構を中断するように、心肺バイパスシステムのポンプの動作が一時的に修正されるようにする。
【００１２】
本開示の第１１の非限定的例証的実施形態によると、第１、第２、第３、第４、第５、第６、第７、第８、第９、および第１０の非限定的実施形態はさらに、修正され、したがって、各タブ付き表示ページは、タブを備え、各タブ付き表示ページは、表示モードおよびオーバーレイモードにおいて表示可能である。本開示の第１２の非限定的例証的実施形態によると、第１、第２、第３、第４、第５、第６、第７、第８、第９、第１０、および第１１の非限定的実施形態はさらに、修正され、したがって、表示モードにおいて表示されると、タブ付き表示ページの実質的に全てが、閲覧可能であり、オーバーレイモードにおいて表示されると、タブ付き表示ページのタブのみ、閲覧可能である。本開示の第１３の非限定的例証的実施形態によると、第１、第２、第３、第４、第５、第６、第７、第８、第９、第１０、第１１、および第１２の非限定的実施形態はさらに、修正され、したがって、複数のタブ付き表示ページを表示する、少なくとも１つの区分の１つのタブ付き表示ページのみが、表示モードにおいて一度に表示され、残りのタブ付き表示ページは、オーバーレイモードにおいて表示される。本開示の第１４の非限定的例証的実施形態によると、第１、第２、第３、第４、第５、第６、第７、第８、第９、第１０、第１１、第１２、および第１３の非限定的実施形態はさらに、修正され、したがって、各タブは、ユーザによってタッチスクリーン上に及ぼされるタッチまたは圧力によって起動可能であり、タッチまたは圧力によるタブの起動は、関連付けられるタブ付き表示ページが表示モードにおいて表示され、残りのタブ付き表示ページがオーバーレイモードにおいて表示されるようにする。本開示の第１５の非限定的例証的実施形態によると、第１、第２、第３、第４、第５、第６、第７、第８、第９、第１０、第１１、第１２、第１３、および第１４の非限定的実施形態はさらに、修正され、したがって、各タブは、あるアラーム状態に遷移することが可能であり、それによって、対応するタブ付き表示ページがオーバーレイモードにおいて表示され、対応するタブ付き表示ページの任意のセンサモジュールがあるアラーム状態に遷移すると、タブは、閲覧可能なあるアラーム状態に遷移する。
【００１３】
本開示の第１６の非限定的例証的実施形態によると、第１、第２、第３、第４、第５、第６、第７、第８、第９、第１０、第１１、第１２、第１３、第１４、および第１５の非限定的実施形態はさらに、修正され、したがって、グラフィカルユーザインターフェースは、ヘッダ部分と、フッタ部分とを含み、中心部分は、ヘッダ部分とフッタ部分との間に配置される。本開示の第１７の非限定的例証的実施形態によると、第１、第２、第３、第４、第５、第６、第７、第８、第９、第１０、第１１、第１２、第１３、第１４、第１５、および第１６の非限定的実施形態はさらに、修正され、したがって、心肺バイパスシステムはさらに、（ｃ）体外血流回路の１つ以上のパラメータを測定するように配置されている複数のセンサであって、１つ以上のパラメータに関連する測定されたデータをプロセッサに入力するように動作可能に接続され、各センサは、タブなし表示ページまたはタブ付き表示ページのうちの１つのいずれかのセンサモジュールのうちの１つのセンサモジュールにリンクされ、それによって、センサによって測定されたデータが、１つのセンサモジュールによって表示される、複数のセンサを含む。
【００１４】
本開示の第１８の非限定的例証的実施形態によると、第１、第２、第３、第４、第５、第６、第７、第８、第９、第１０、第１１、第１２、第１３、第１４、第１５、第１６、および第１７の非限定的実施形態はさらに、修正され、したがって、複数のタブ付き表示ページは、患者モニタ構成を有する患者モニタタブ付き表示ページを含む。本開示の第１９の非限定的実施形態によると、第１、第２、第３、第４、第５、第６、第７、第８、第９、第１０、第１１、第１２、第１３、第１４、第１５、第１６、第１７、および第１８の非限定的実施形態は、修正され、したがって、心肺バイパスシステムはさらに、（ｄ）第３の区分と、第４の区分とを含み、第３の区分は、シミュレータキーパッド構成を有するシミュレータキーパッドタブ付き表示ページを含み、第４の区分は、シミュレータスクリーン構成を有するシミュレータスクリーンタブ付き表示ページを含み、患者モニタタブ付き表示ページ、シミュレータキーパッドタブ付き表示ページ、およびシミュレータスクリーンタブ付き表示ページが同時に表示されるとき、患者モニタタブ付き表示ページ、シミュレータキーパッドタブ付き表示ページ、およびシミュレータスクリーンタブ付き表示ページは、臨床パラメータ監視およびシミュレーションユーザインターフェースとして一緒に動作可能である。本開示の第２０の非限定的例証的実施形態によると、第１、第２、第３、第４、第５、第６、第７、第８、第９、第１０、第１１、第１２、第１３、第１４、第１５、第１６、第１７、第１８、および第１９の非限定的実施形態はさらに、修正され、したがって、患者監視構成は、血中乳酸レベルを表示するデータ値フィールドを含み、随意に、タブなし表示ページは、タイマモジュールを含む。
【００１５】
本開示の第２１の非限定的例証的実施形態によると、グラフィカルユーザインターフェースを含むタッチスクリーンが、提供され、グラフィカルユーザインターフェースは、（ａ）ヘッダ部分と、（ｂ）ヘッダ部分に隣接している中心部分であって、複数の区分に分割され、少なくとも１つの区分は、タブなしページを表示し、少なくとも１つの区分は、複数のタブ付きページを表示し、タブなしページは、複数のセンサモジュールを備え、少なくとも１つのタブ付きページは、複数のセンサモジュールを備えている、中心部分とを含む。本開示の第２２の非限定的例証的実施形態によると、第２１の非限定的実施形態は、修正され、したがって、タブなしページの各センサモジュールは、圧力センサモジュール、気泡検出センサモジュール、レベルセンサモジュール、流量センサモジュール、圧力デルタデータセンサモジュール、および温度センサモジュールから成る群から個々に選択される。本開示の第２３の非限定的例証的実施形態によると、第２１および第２２の非限定的実施形態はさらに、修正され、したがって、タブなしページは、少なくとも１つの圧力センサモジュール、少なくとも１つの気泡検出センサモジュール、および少なくとも１つのレベルセンサモジュールを含む。本開示の第２４の非限定的例証的実施形態によると、第２１、第２２、および第２３の非限定的実施形態はさらに、修正され、したがって、少なくとも１つの圧力センサモジュール、少なくとも１つの気泡検出センサモジュール、および少なくとも１つのレベルセンサモジュールの各々は、高優先順位アラーム状態、中優先順位アラーム状態、および低優先順位アラーム状態のうちの少なくとも２つから選択される複数のアラーム状態を表示することが可能である。
【００１６】
本開示の第２５の非限定的例証的実施形態によると、第２１、第２２、第２３、および第２４の非限定的実施形態はさらに、修正され、したがって、少なくとも１つの圧力センサモジュールは、圧力値データフィールドと、タッチまたは圧力起動介入ボタンとを備え、タッチまたは圧力による介入ボタンの起動は、心肺バイパスシステムのポンプの動作が一時的に修正されるようにする。本開示の第２６の非限定的例証的実施形態によると、第２１、第２２、第２３、第２４、および第２５の非限定的実施形態はさらに、修正され、したがって、少なくとも１つの気泡検出センサモジュールは、気泡検出データフィールドと、タッチまたは圧力起動リセットボタンとを備え、気泡検出データフィールドは、気泡検出センサから取得される気泡検出データを表示する。本開示の第２７の非限定的例証的実施形態によると、第２１、第２２、第２３、第２４、第２５、および第２６の非限定的実施形態はさらに、修正され、したがって、少なくとも１つの気泡検出センサモジュールは、気泡検出センサが事前設定された気泡検出サイズ値を超える気泡を検出すると、高優先順位アラーム状態を表示し、気泡検出センサモジュールは、リセットボタンがタッチまたは圧力によって起動され、気泡検出センサによって検出された気泡が同時に事前設定された気泡検出サイズ値を超えなくなるまで、高優先順位アラーム状態を継続して表示する。本開示の第２８の非限定的例証的実施形態によると、第２１、第２２、第２３、第２４、第２５、第２６、および第２７の非限定的実施形態はさらに、修正され、したがって、少なくとも１つの気泡検出センサモジュールは、タッチまたは圧力起動介入ボタンをさらに備え、タッチまたは圧力による介入ボタンの起動は、心肺バイパスシステムのポンプの動作が一時的に修正されるようにする。
【００１７】
本開示の第２９の非限定的例証的実施形態によると、第２１、第２２、第２３、第２４、第２５、第２６、第２７、および第２８の非限定的実施形態はさらに、修正され、したがって、少なくとも１つのレベルセンサモジュールは、レベルデータフィールドと、タッチまたは圧力起動介入ボタンとを備え、介入ボタンは、心肺バイパスシステムの血液リザーバの血液流体レベルが事前決定された低血液流体レベルにあるか、またはそれを下回るときのみイネーブルにされる。本開示の第３０の非限定的例証的実施形態によると、第２１、第２２、第２３、第２４、第２５、第２６、第２７、第２８、および第２９の非限定的実施形態はさらに、修正され、したがって、タッチまたは圧力による介入ボタンの起動は、プロセッサによって開始される自動的血液流体レベル補正機構を中断するように、心肺バイパスシステムのポンプの動作が一時的に修正されるようにする。
【００１８】
本開示の第３１の非限定的例証的実施形態によると、第２１、第２２、第２３、第２４、第２５、第２６、第２７、第２８、第２９、および第３０の非限定的実施形態はさらに、修正され、したがって、各タブ付きページは、タブを備え、各タブ付きページは、表示モードおよびオーバーレイモードにおいて表示可能である。本開示の第３２の非限定的例証的実施形態によると、第２１、第２２、第２３、第２４、第２５、第２６、第２７、第２８、第２９、第３０、および第３１の非限定的実施形態はさらに、修正され、したがって、表示モードにおいて表示されると、タブ付きページの実質的に全てが、閲覧可能であり、オーバーレイモードにおいて表示されると、タブ付きページのタブのみが、閲覧可能である。本開示の第３３の非限定的実施形態によると、第２１、第２２、第２３、第２４、第２５、第２６、第２７、第２８、第２９、第３０、第３１、および第３２の非限定的実施形態はさらに、修正され、したがって、複数のタブ付きページを表示する、少なくとも１つの区分の１つのタブ付きページのみが、表示モードにおいて一度に表示され、残りのタブ付きページは、オーバーレイモードにおいて表示される。本開示の第３４の非限定的例証的実施形態によると、第２１、第２２、第２３、第２４、第２５、第２６、第２７、第２８、第２９、第３０、第３１、第３２、および第３３の非限定的実施形態はさらに、修正され、したがって、各タブは、ユーザによってタッチスクリーン上に及ぼされるタッチまたは圧力によって起動可能であり、タッチまたは圧力によるタブの起動は、関連付けられたタブ付きページが表示モードにおいて表示され、残りのタブ付きページがオーバーレイモードにおいて表示されるようにする。本開示の第３５の非限定的例証的実施形態によると、第２１、第２２、第２３、第２４、第２５、第２６、第２７、第２８、第２９、第３０、第３１、第３２、第３３、および第３４の非限定的実施形態はさらに、修正され、したがって、各タブは、あるアラーム状態に遷移することが可能であり、それによって、対応するタブ付きページがオーバーレイモードにおいて表示され、対応するタブ付きページの任意のセンサモジュールがあるアラーム状態に遷移すると、タブは、閲覧可能なあるアラーム状態に遷移する。本開示の第３６の非限定的例証的実施形態によると、第２１、第２２、第２３、第２４、第２５、第２６、第２７、第２８、第２９、第３０、第３１、第３２、第３３、第３４、および第３５の非限定的実施形態はさらに、修正され、したがって、グラフィカルユーザインターフェースは、ヘッダ部分と、フッタ部分とを含み、中心部分は、ヘッダ部分とフッタ部分との間に配置される。
【００１９】
本開示の第３７の非限定的例証的実施形態によると、タッチスクリーンが、グラフィカルユーザインターフェースを提供され、グラフィカルユーザインターフェースは、複数の区分に分割された中心部分を含み、１つの区分は、タブなし表示ページを表示し、複数の他の区分の各々は、複数のタブ付き表示ページを表示し、各タブ付き表示ページは、表示モードおよびオーバーレイモードにおいて表示可能であり、他の区分の各々の１つのタブ付き表示ページのみが、表示モードにおいて一度に表示可能であり、各残りのタブ付き表示ページは、オーバーレイモードにおいて表示される。本開示の第３８の非限定的例証的実施形態によると、第３７の非限定的実施形態は、修正され、したがって、各タブ付き表示ページは、タッチまたは圧力起動可能タブを備え、タブに加えられるタッチまたは圧力は、表示モードにおいてタブ付き表示ページの表示を起動する。本開示の第３９の非限定的例証的実施形態によると、第３７および第３８の非限定的実施形態は、修正され、したがって、複数の他の区分は、第１の区分と、第２の区分とを含み、第１の区分のタブ付き表示ページは、タブ付き表示ページの二重対を備えているテーマ別ユーザインターフェースを形成するために、第２の区分のタブ付き表示ページと同時に表示モードにおいて表示される。本開示の第４０の非限定的例証的実施形態によると、第３７、第３８、および第３９の非限定的実施形態はさらに、修正され、したがって、複数の他の区分は、第１の区分と、第２の区分と、第３の区分とを含み、第１の区分のタブ付き表示ページは、タブ付き表示ページの二重対を備えているテーマ別ユーザインターフェースを形成するために、第２の区分または第３の区分の１つのタブ付き表示ページと同時に表示モードにおいて表示される。本開示の第４１の非限定的例証的実施形態によると、第３７、第３８、第３９、および第４０の非限定的実施形態はさらに、修正され、したがって、複数の他の区分は、第１の区分と、第２の区分と、第３の区分とを含み、第１の区分のタブ付き表示ページは、タブ付き表示ページの三重対を備えているテーマ別ユーザインターフェースを形成するために、第２の区分の１つのタブ付き表示ページおよび第３の区分の１つのタブ付き表示ページと同時に表示モードにおいて表示される。
【００２０】
本開示の第４２の非限定的例証的実施形態によると、第３７、第３８、第３９、第４０、および第４１の非限定的実施形態はさらに、修正され、したがって、タッチスクリーンはさらに、ヘッダ部分と、フッタ部分とを含み、中心部分は、ヘッダ部分とフッタ部分との間に配置される。本開示の第４３の非限定的例証的実施形態によると、第３７、第３８、第３９、第４０、第４１、および第４２の非限定的実施形態のうちのいずれか１つによるタッチスクリーンを含む医療装置が、提供される。本開示の第４４の非限定的例証的実施形態によると、第３７、第３８、第３９、第４０、第４１、第４２、および第４３の非限定的実施形態はさらに、修正され、したがって、タブなし表示ページは、複数のセンサモジュールを備え、タブ付き表示ページの少なくともいくつかは、複数のセンサモジュールを備えている。本開示の第４５の非限定的例証的実施形態によると、第３７、第３８、第３９、第４０、第４１、第４２、第４３、および第４４の非限定的実施形態はさらに、修正され、したがって、医療装置は、人工心肺機械および体外膜型酸素供給機械から成る群から選択される装置である。
【００２１】
本開示の第４６の非限定的例証的実施形態によると、（ａ）第１の複数のセンサによって収集されるデータを表示し、第１の複数のセンサによって収集される表示されるデータに関連付けられたアラーム状態置を表示するように、グラフィカルユーザインターフェースのタブなし表示ページの複数のセンサモジュールを選択的に構成するステップであって、第１の複数のセンサは、体外血流回路からデータを収集するように配置されている、ステップと、（ｂ）第２の複数のセンサによって収集されるデータを表示し、第２の複数のセンサによって収集される表示されるデータに関連付けられたアラーム状態置を表示するように、グラフィカルユーザインターフェースの複数のタブ付き表示ページの複数のセンサモジュールを選択的に構成するステップであって、第２の複数のセンサは、体外血流回路からデータを収集するように配置されている、ステップとを含む、医療装置のグラフィカルユーザインターフェースを動作させる方法が、提供される。本開示の第４７の非限定的例証的実施形態によると、第４６の非限定的実施形態は、修正され、したがって、第１の複数のセンサによって表示されるデータに関連付けられたアラーム状態置は、低優先順位アラーム状態、中優先順位アラーム状態、および高優先順位アラーム状態から成る群から選択される２つ以上の状態を含む。本開示の第４８の非限定的例証的実施形態によると、本開示の第４６および第４７の非限定的実施形態はさらに、修正され、したがって、第２の複数のセンサによって表示されるデータに関連付けられたアラーム状態置は、低優先順位アラーム状態、中優先順位アラーム状態、および高優先順位アラーム状態から成る群から選択される２つ以上の状態を含む。本開示の第４９の非限定的例証的実施形態によると、第４６、第４７、および第４８の非限定的実施形態はさらに、修正され、したがって、タブなし表示ページの複数のセンサモジュールは、少なくとも１つの圧力センサモジュール、少なくとも１つの気泡検出センサモジュール、および少なくとも１つのレベルセンサモジュールを含む。
【００２２】
本開示の第５０の非限定的例証的実施形態によると、第４６、第４７、第４８、および第４９の非限定的実施形態による方法はさらに、修正され、（ｃ）少なくとも１つの圧力センサモジュールに動作可能にリンクされている圧力センサによって収集される圧力データを表示するステップと、（ｄ）表示される圧力データが停止限界値に等しいか、またはそれを超える場合、圧力高優先順位アラーム状態を表示するステップとを含む。本開示の第５１の非限定的例証的実施形態によると、第４６、第４７、第４８、第４９、および第５０の非限定的実施形態はさらに、修正され、圧力データがある閾値に等しいか、またはそれを超え、停止限界値よりも低い場合、圧力中優先順位アラーム状態を表示するステップを含む。本開示の第５２の非限定的例証的実施形態によると、第４６、第４７、第４８、第４９、第５０、および第５１の非限定的実施形態はさらに、修正され、圧力データがアラーム限界値に等しいか、またはそれを超え、その閾値よりも低い場合、圧力低優先順位アラーム状態を表示するステップを含む。本開示の第５３の非限定的実施形態によると、第４６、第４７、第４８、第４９、第５０、第５１、および第５２の非限定的実施形態はさらに、修正され、圧力高優先順位アラーム状態が表示されている間にタッチスクリーンのタッチまたは圧力感受性介入ボタンを起動するステップであって、タッチまたは圧力感受性介入ボタンの起動は、血液ポンプの動作を低減させるか、または中断する、ステップを含む。
【００２３】
本開示の第５４の非限定的実施形態によると、第４６、第４７、第４８、第４９、第５０、第５１、第５２、および第５３の非限定的実施形態はさらに、修正され、少なくとも１つの気泡検出センサモジュールに動作可能にリンクされている気泡検出センサによって収集される気泡検出データを表示するステップと、表示される気泡検出データが体外血流回路内の気泡の検出を示し、検出された気泡が閾値サイズ限界値を超えないサイズを有する場合、気泡検出低優先順位アラーム状態を表示するステップとを含む。本開示の第５５の非限定的例証的実施形態によると、第４６、第４７、第４８、第４９、第５０、第５１、第５２、第５３、および第５４の非限定的実施形態はさらに、修正され、表示される気泡検出データが、閾値サイズ限界値を超えるサイズを有する体外血流回路内の気泡の検出を示す場合、気泡検出高優先順位アラーム状態を表示し、検出された気泡のサイズが閾値サイズ限界値を超えておらず、リセットボタンが起動されるまで、気泡検出高優先順位アラーム状態の表示を継続するステップを含む。本開示の第５６の非限定的実施形態によると、第４６、第４７、第４８、第４９、第５０、第５１、第５２、第５３、第５４、および第５５の非限定的実施形態はさらに、修正され、気泡検出高優先順位アラーム状態が表示されている間にタッチスクリーンのタッチまたは圧力感受性介入ボタンを起動するステップであって、タッチまたは圧力感受性介入ボタンの起動は、設定された期間にわたって血液ポンプの動作を修正する、ステップを含む。
【００２４】
本開示の第５７の非限定的例証的実施形態によると、第４６、第４７、第４８、第４９、第５０、第５１、第５２、第５３、第５４、第５５、および第５６の非限定的実施形態はさらに、修正され、少なくとも１つのレベルセンサモジュールに動作可能にリンクされているレベルセンサによって収集されるレベルデータを表示するステップと、表示されるレベルデータが、調整レベルにあるか、またはそれを下回り、許容できない低いレベルを超える体外血流回路の血液リザーバの血液流体のレベルを示す場合、レベル低優先順位アラーム状態を表示するステップとを含む。本開示の第５８の非限定的例証的実施形態によると、第４６、第４７、第４８、第４９、第５０、第５１、第５２、第５３、第５４、第５５、第５６、および第５７の非限定的実施形態はさらに、修正され、表示されるレベルデータが、許容できない低いレベルにあるか、またはそれを下回る体外血流回路の血液リザーバの血液流体のレベルを示す場合、レベル高優先順位アラーム状態を表示するステップを含む。本開示の第５９の非限定的例証的実施形態によると、第４６、第４７、第４８、第４９、第５０、第５１、第５２、第５３、第５４、第５５、第５６、第５７、および第５８の非限定的実施形態はさらに、修正され、レベル高優先順位アラーム状態が表示されている間にタッチスクリーンのタッチまたは圧力感受性介入ボタンを起動するステップであって、タッチまたは圧力感受性介入ボタンの起動は、設定された期間にわたって動脈血液ポンプの動作を修正するか、または設定された期間にわたって空気除去ポンプの動作を修正するかのいずれかである、ステップを含む。
【００２５】
本開示の第６０の非限定的例証的実施形態によると、第４６、第４７、第４８、第４９、第５０、第５１、第５２、第５３、第５４、第５５、第５６、第５７、第５８、および第５９の非限定的実施形態はさらに、修正され、したがって、タブ付き表示ページの複数のセンサモジュールは、圧力センサモジュール、気泡検出センサモジュール、レベルセンサモジュール、温度センサモジュール、および流量センサモジュールから成る群から選択される少なくとも１つのセンサモジュールを含む。本開示の第６１の非限定的例証的実施形態によると、第４６、第４７、第４８、第４９、第５０、第５１、第５２、第５３、第５４、第５５、第５６、第５７、第５８、第５９、および第６０の非限定的実施形態はさらに、修正され、圧力センサモジュールに動作可能にリンクされている圧力センサによって収集される圧力データを表示するステップと、表示される圧力データが停止限界値に等しいか、またはそれを超える場合、圧力高優先順位アラーム状態を表示するステップとを含む。本開示の第６２の非限定的例証的実施形態によると、第４６、第４７、第４８、第４９、第５０、第５１、第５２、第５３、第５４、第５５、第５６、第５７、第５８、第５９、第６０、および第６１の非限定的実施形態はさらに、修正され、圧力データがある閾値に等しいか、またはそれを超え、停止限界値よりも低い場合、圧力中優先順位アラーム状態を表示するステップを含む。本開示の第６３の非限定的例証的実施形態によると、第４６、第４７、第４８、第４９、第５０、第５１、第５２、第５３、第５４、第５５、第５６、第５７、第５８、第５９、第６０、第６１、および第６２の非限定的実施形態はさらに、修正され、圧力データがアラーム限界値に等しいか、またはそれを超え、その閾値よりも低い場合、圧力低優先順位アラーム状態を表示するステップを含む。本開示の第６４の非限定的例証的実施形態によると、第４６、第４７、第４８、第４９、第５０、第５１、第５２、第５３、第５４、第５５、第５６、第５７、第５８、第５９、第６０、第６１、第６２、および第６３の非限定的実施形態はさらに、修正され、圧力高優先順位アラーム状態が表示されている間にタッチスクリーンのタッチまたは圧力感受性介入ボタンを起動するステップであって、タッチまたは圧力感受性介入ボタンの起動は、血液ポンプの動作を低減させるか、または中断する、ステップを含む。
【００２６】
本開示の第６５の非限定的例証的実施形態によると、第４６、第４７、第４８、第４９、第５０、第５１、第５２、第５３、第５４、第５５、第５６、第５７、第５８、第５９、第６０、第６１、第６２、第６３、および第６４の非限定的実施形態はさらに、修正され、気泡検出センサモジュールに動作可能にリンクされている気泡検出センサによって収集される気泡検出データを表示するステップと、表示される気泡検出データが体外血流回路内の気泡の検出を示し、検出された気泡が閾値サイズ限界値を超えないサイズを有する場合、気泡検出低優先順位アラーム状態を表示するステップとを含む。本開示の第６６の非限定的例証的実施形態によると、第４６、第４７、第４８、第４９、第５０、第５１、第５２、第５３、第５４、第５５、第５６、第５７、第５８、第５９、第６０、第６１、第６２、第６３、第６４、および第６５の非限定的実施形態はさらに、修正され、表示される気泡検出データが、閾値サイズ限界値を超えるサイズを有する体外血流回路内の気泡の検出を示す場合、気泡検出高優先順位アラーム状態を表示し、検出された気泡のサイズが閾値サイズ限界値を超えておらず、リセットボタンが起動されるまで、気泡検出高優先順位アラーム状態の表示を継続するステップを含む。本開示の第６７の非限定的例証的実施形態によると、第４６、第４７、第４８、第４９、第５０、第５１、第５２、第５３、第５４、第５５、第５６、第５７、第５８、第５９、第６０、第６１、第６２、第６３、第６４、第６５、および第６６の非限定的実施形態はさらに、修正され、気泡検出高優先順位アラーム状態が表示されている間にタッチスクリーンのタッチまたは圧力感受性介入ボタンを起動するステップであって、タッチまたは圧力感受性介入ボタンの起動は、設定された期間にわたって血液ポンプの動作を修正する、ステップを含む。
【００２７】
本開示の第６８の非限定的例証的実施形態によると、第４６、第４７、第４８、第４９、第５０、第５１、第５２、第５３、第５４、第５５、第５６、第５７、第５８、第５９、第６０、第６１、第６２、第６３、第６４、第６５、第６６、および第６７の非限定的実施形態はさらに、修正され、レベルセンサモジュールに動作可能にリンクされているレベルセンサによって収集されるレベルデータを表示するステップと、表示されるレベルデータが、調整レベルにあるか、またはそれを下回り、許容できない低いレベルを超える体外血流回路の血液リザーバの血液流体のレベルを示す場合、レベル低優先順位アラーム状態を表示するステップとを含む。本開示の第６９の非限定的例証的実施形態によると、第４６、第４７、第４８、第４９、第５０、第５１、第５２、第５３、第５４、第５５、第５６、第５７、第５８、第５９、第６０、第６１、第６２、第６３、第６４、第６５、第６６、第６７、および第６８の非限定的実施形態はさらに、修正され、表示されるレベルデータが、許容できない低いレベルにあるか、またはそれを下回る体外血流回路の血液リザーバの血液流体のレベルを示す場合、レベル高優先順位アラーム状態を表示するステップを含む。本開示の第７０の非限定的例証的実施形態によると、第４６、第４７、第４８、第４９、第５０、第５１、第５２、第５３、第５４、第５５、第５６、第５７、第５８、第５９、第６０、第６１、第６２、第６３、第６４、第６５、第６６、第６７、第６８、および第６９の非限定的実施形態はさらに、修正され、レベル高優先順位アラーム状態が表示されている間にタッチスクリーンのタッチまたは圧力感受性介入ボタンを起動するステップであって、タッチまたは圧力感受性介入ボタンの起動は、設定された期間にわたって動脈血液ポンプの動作を修正するか、または設定された期間にわたって空気除去ポンプの動作を修正するかのいずれかである、ステップを含む。
【００２８】
本開示の第７１の非限定的例証的実施形態によると、第４６、第４７、第４８、第４９、第５０、第５１、第５２、第５３、第５４、第５５、第５６、第５７、第５８、第５９、第６０、第６１、第６２、第６３、第６４、第６５、第６６、第６７、第６８、第６９、および第７０の非限定的実施形態はさらに、修正され、したがって、複数のタブ付き表示ページが、グラフィカルユーザインターフェースの第１の区分内に表示され、タブなし表示ページは、グラフィカルユーザインターフェースの第２の区分内に表示され、各タブ付き表示ページは、表示モードおよびオーバーレイモードにおいて表示可能であり、本方法はさらに、タブ付き表示ページが表示モードにおいて表示され、第１の区分の全ての他のタブ付き表示ページがオーバーレイモードにおいて表示されるように、第１の区分のタブ付き表示ページのタブを起動するステップを含む。本開示の第７２の非限定的例証的実施形態によると、第４６、第４７、第４８、第４９、第５０、第５１、第５２、第５３、第５４、第５５、第５６、第５７、第５８、第５９、第６０、第６１、第６２、第６３、第６４、第６５、第６６、第６７、第６８、第６９、第７０、および第７１の非限定的実施形態はさらに、修正され、したがって、表示モードにおいて、タブ付き表示ページの実質的に全てが、表示され、オーバーレイモードにおいて、タブ付き表示ページのタブの実質的に全てのみが、表示される。本開示の第７３の非限定的実施形態によると、第４６、第４７、第４８、第４９、第５０、第５１、第５２、第５３、第５４、第５５、第５６、第５７、第５８、第５９、第６０、第６１、第６２、第６３、第６４、第６５、第６６、第６７、第６８、第６９、第７０、第７１、および第７２の非限定的実施形態はさらに、修正され、したがって、オーバーレイモードにおいて表示されている間、オーバーレイされたタブ付き表示ページのアラーム状態が、オーバーレイされたタブ付き表示ページのタブによって信号伝達される。
【００２９】
本開示の第７４の非限定的例証的実施形態によると、臨床動作モードにおける動作に先立って、タッチスクリーンのグラフィカルユーザインターフェースを構成する方法が、提供され、本方法は、（ａ）第１の信号に応答して、タッチスクリーンによって表示されるグラフィカルユーザインターフェースのタブ付き表示ページに関連付けられたセンサモジュール構成メニューインターフェースを表示するステップと、（ｂ）第２の信号に応答して、タブ付き表示ページに関連付けられたセンサモジュール構成メニューインターフェースに関連付けられたセンサモジュールのための少なくとも１つのアラーム限界を設定するステップとを含む。本開示の第７５の非限定的例証的実施形態によると、第７４の非限定的実施形態は、修正され、したがって、第１の信号は、タブ付き表示ページのセンサモジュールのタッチまたは圧力起動可能モジュール設定メニューボタンの起動の結果として生成される。本開示の第７６の非限定的例証的実施形態によると、第７４および第７５の非限定的実施形態は、修正され、したがって、第２の信号は、タブ付き表示ページのセンサモジュール構成メニューインターフェースのタッチまたは圧力起動可能ボタンの起動の結果として生成される。本開示の第７７の非限定的例証的実施形態によると、第７４、第７５、および第７６の非限定的実施形態はさらに、修正され、したがって、本方法は、第３の信号に応答して、ポンプ機能のタブ付き表示ページのセンサモジュールとの選択的関連付けを可能にするために、タブ付き表示ページのセンサモジュール構成メニューインターフェースの一部上にポンプ関連付けメニューインターフェースをオーバーレイするステップを含む。
【００３０】
本開示の第７８の非限定的実施形態によると、第７４、第７５、第７６、および第７７の非限定的実施形態はさらに、修正され、したがって、第３の信号に応答して、センサモジュール構成メニューインターフェースが、タッチスクリーンによって表示されるグラフィカルユーザインターフェースのタブなし表示ページの一部上に表示され、第４の信号に応答して、少なくとも１つのアラーム限界が、タブなし表示ページに関連付けられたセンサモジュール構成メニューインターフェースに関連付けられたセンサモジュールに関して設定される。本開示の第７７の非限定的例証的実施形態によると、第７４、第７５、第７６、第７７、および第７８の非限定的実施形態はさらに、修正され、したがって、第３の信号は、タブなし表示ページのセンサモジュールのタッチまたは圧力起動可能モジュール設定メニューボタンの起動の結果として生成される。本開示の第８０の非限定的例証的実施形態によると、第７４、第７５、第７６、第７７、第７８、および第７９の非限定的実施形態はさらに、修正され、したがって、第４の信号は、タブなし表示ページのセンサモジュール構成メニューインターフェースのタッチまたは圧力起動可能ボタンの起動の結果として生成される。本開示の第８１の非限定的実施形態によると、第７４、第７５、第７６、第７７、第７８、第７９、および第８０の非限定的実施形態はさらに、修正され、第５の信号に応答して、ポンプ機能のタブなし表示ページのセンサモジュールとの選択的関連付けを可能にするために、タブなし表示ページのセンサモジュール構成メニューインターフェースの一部上にポンプ関連付けメニューインターフェースをオーバーレイするステップを含む。
【００３１】
本開示の第８２の非限定的例証的実施形態によると、第７４、第７５、第７６、第７７、第７８、第７９、第８０、および第８１の非限定的実施形態はさらに、修正され、したがって、センサモジュール構成メニューインターフェースに関連付けられたセンサモジュールは、圧力センサモジュール構成メニューインターフェースに関連付けられた圧力センサモジュール、または気泡検出センサモジュール構成メニューインターフェースに関連付けられた気泡検出センサモジュール、またはレベルセンサモジュール構成メニューインターフェースに関連付けられたレベルセンサモジュール、または温度センサモジュール構成メニューインターフェースに関連付けられた温度センサモジュール、または流量センサモジュール構成メニューインターフェースに関連付けられた流量センサモジュール、もしくは圧力デルタセンサモジュール構成メニューインターフェースに関連付けられた圧力デルタセンサモジュールである。本開示の第８３の非限定的例証的実施形態によると、第７８の非限定的実施形態はさらに、修正され、したがって、対応するセンサモジュール構成メニューインターフェースに関連付けられた各センサモジュールは、圧力センサモジュール構成メニューインターフェースに関連付けられた圧力センサモジュール、気泡検出センサモジュール構成メニューインターフェースに関連付けられた気泡検出センサモジュール、レベルモジュール構成メニューインターフェースに関連付けられたレベルセンサモジュール、温度センサモジュール構成メニューインターフェースに関連付けられた温度センサモジュール、流量センサモジュール構成メニューインターフェースに関連付けられた流量センサモジュール、および圧力デルタセンサモジュール構成メニューインターフェースに関連付けられた圧力デルタセンサモジュールから成る群から独立して選択される。
【００３２】
本開示の第８４の非限定的例証的実施形態によると、第７４、第７５、第７６、第７７、第７８、第７９、第８０、第８１、第８２、および第８３の非限定的実施形態はさらに、修正され、事前定義されたグラフィカルユーザインターフェース構成を選択する、または輝度およびアラーム音量から成る群から選択される少なくとも１つの選択可能アラーム設定を構成する、もしくは外部デバイスメニューを表示するために、システム構成メニューインターフェースを起動するステップを含む。本開示の第８５の非限定的例証的実施形態によると、第７４、第７５、第７６、第７７、第７８、第７９、第８０、第８１、第８２、第８３、および第８４の非限定的実施形態はさらに、修正され、タブ付き表示ページのセンサモジュールの少なくとも１つのアラーム限界を受け入れ、イネーブルにするように、タブ付き表示ページのセンサモジュール構成メニューインターフェースを閉じるステップを含む。本開示の第８６の非限定的例証的実施形態によると、第７４、第７５、第７６、第７７、第７８、第７９、第８０、第８１、第８２、第８３、第８４、および第８５の非限定的実施形態はさらに、修正され、タブなし表示ページのセンサモジュールの少なくとも１つのアラーム限界を受け入れ、イネーブルにするために、タブなし表示ページのセンサモジュール構成メニューインターフェースを閉じるステップを含む。本開示の第８７の非限定的例証的実施形態によると、第７４、第７５、第７６、第７７、第７８、第７９、第８０、第８１、第８２、第８３、第８４、第８５、および第８６の非限定的実施形態はさらに、修正され、タブ付き表示ページのセンサモジュールの少なくとも１つのアラーム限界を受け入れ、イネーブルにするために、タブ付き表示ページのセンサモジュール構成メニューインターフェースを閉じるステップを含む。
本願明細書は、例えば、以下の項目も提供する。
（項目１）
心肺バイパスシステムであって、前記心肺バイパスシステムは、
プロセッサと、
グラフィカルユーザインターフェースを備えているタッチスクリーンと
を備え、
前記グラフィカルユーザインターフェースは、前記プロセッサにユーザ入力を提供し、前記プロセッサから出力された１つ以上のパラメータに関連する測定されたデータを表示するように動作可能に接続され、前記グラフィカルユーザインターフェースは、複数の区分に分割された中心部分を具備し、少なくとも１つの区分は、タブなし表示ページを表示し、少なくとも１つの区分は、複数のタブ付き表示ページを表示し、前記タブなし表示ページは、複数のセンサモジュールを備え、少なくとも１つのタブ付きページは、複数のセンサモジュールを備えている、心肺バイパスシステム。
（項目２）
前記タブなしページの各センサモジュールは、圧力センサモジュール、気泡検出センサモジュール、レベルセンサモジュール、流量センサモジュール、圧力デルタデータセンサモジュール、および温度センサモジュールから成る群から個々に選択される、項目１に記載の心肺バイパスシステム。
（項目３）
前記タブなしページは、少なくとも１つの圧力センサモジュール、少なくとも１つの気泡検出センサモジュール、および少なくとも１つのレベルセンサモジュールを含む、項目１に記載の心肺バイパスシステム。
（項目４）
前記少なくとも１つの圧力センサモジュール、前記少なくとも１つの気泡検出センサモジュール、および前記少なくとも１つのレベルセンサモジュールの各々は、高優先順位アラーム状態、中優先順位アラーム状態、および低優先順位アラーム状態のうちの少なくとも２つから選択される複数のアラーム状態を表示することが可能である、項目３に記載の心肺バイパスシステム。
（項目５）
前記少なくとも１つの圧力センサモジュールは、圧力値データフィールドと、タッチまたは圧力起動介入ボタンとを備え、タッチまたは圧力による前記介入ボタンの起動は、前記心肺バイパスシステムのポンプの動作が一時的に修正されるようにする、項目３に記載の心肺バイパスシステム。
（項目６）
前記少なくとも１つの気泡検出センサモジュールは、気泡検出データフィールドと、タッチまたは圧力起動リセットボタンとを備え、前記気泡検出データフィールドは、気泡検出センサから取得される気泡検出データを表示する、項目３に記載の心肺バイパスシステム。
（項目７）
前記少なくとも１つの気泡検出センサモジュールは、前記気泡検出センサが事前設定された気泡検出サイズ値を超える気泡を検出すると、高優先順位アラーム状態を表示し、前記気泡検出センサモジュールは、前記リセットボタンがタッチまたは圧力によって起動され、前記気泡検出センサによって検出された気泡が同時に前記事前設定された気泡検出サイズ値を超えなくなるまで、前記高優先順位アラーム状態を継続して表示する、項目６に記載の心肺バイパスシステム。
（項目８）
前記少なくとも１つの気泡検出センサモジュールは、タッチまたは圧力起動介入ボタンをさらに備え、タッチまたは圧力による前記介入の起動は、前記心肺バイパスシステムのポンプの動作が一時的に修正されるようにする、項目７に記載の心肺バイパスシステム。
（項目９）
前記少なくとも１つのレベルセンサモジュールは、レベルデータフィールドと、タッチまたは圧力起動介入ボタンとを備え、前記介入ボタンは、前記心肺バイパスシステムの血液リザーバの血液流体レベルが事前決定された低血液流体レベルにあるか、またはそれを下回るときのみイネーブルにされる、項目３に記載の心肺バイパスシステム。
（項目１０）
タッチまたは圧力による前記介入ボタンの起動は、前記プロセッサによって開始される自動的血液流体レベル補正機構を中断するように、前記心肺バイパスシステムのポンプの動作が一時的に修正されるようにする、項目９に記載の心肺バイパスシステム。
（項目１１）
各タブ付き表示ページは、タブを備え、各タブ付き表示ページは、表示モードおよびオーバーレイモードにおいて表示可能である、項目１に記載の心肺バイパスシステム。
（項目１２）
前記表示モードにおいて表示されると、前記タブ付き表示ページの実質的に全てが、閲覧可能であり、前記オーバーレイモードにおいて表示されると、前記タブ付き表示ページのタブのみ、閲覧可能である、項目１１に記載の心肺バイパスシステム。
（項目１３）
前記複数のタブ付き表示ページを表示する前記少なくとも１つの区分の１つのタブ付き表示ページのみが、前記表示モードにおいて一度に表示され、残りの前記タブ付き表示ページは、前記オーバーレイモードにおいて表示される、項目１２に記載の心肺バイパスシステム。
（項目１４）
各タブは、ユーザによって前記タッチスクリーン上に及ぼされるタッチまたは圧力によって起動可能であり、タッチまたは圧力による前記タブの起動は、関連付けられるタブ付き表示ページが前記表示モードにおいて表示され、残りの前記タブ付き表示ページが前記オーバーレイモードにおいて表示されるようにする、項目１３に記載の心肺バイパスシステム。
（項目１５）
各タブは、あるアラーム状態に遷移することが可能であり、それによって、対応するタブ付き表示ページが前記オーバーレイモードにおいて表示され、前記対応するタブ付き表示ページの任意のセンサモジュールがあるアラーム状態に遷移すると、そのタブは、閲覧可能なあるアラーム状態に遷移する、項目１４に記載の心肺バイパスシステム。
（項目１６）
前記グラフィカルユーザインターフェースは、ヘッダ部分と、フッタ部分とを含み、前記中心部分は、前記ヘッダ部分と前記フッタ部分との間に配置されている、項目１に記載の心肺バイパスシステム。
（項目１７）
体外血流回路の１つ以上のパラメータを測定するように配置されている複数のセンサをさらに備え、前記複数のセンサは、前記１つ以上のパラメータに関連する測定されたデータを前記プロセッサに入力するように動作可能に接続され、各センサは、前記タブなし表示ページまたは前記タブ付き表示ページのうちの１つのいずれかのセンサモジュールのうちの１つのセンサモジュールにリンクされ、それによって、前記センサによって測定されたデータは、前記１つのセンサモジュールによって表示される、項目１に記載の心肺バイパスシステム。
（項目１８）
前記複数のタブ付き表示ページは、患者モニタ構成を有する患者モニタタブ付き表示ページを含む、項目１に記載の心肺バイパスシステム。
（項目１９）
第３の区分と、第４の区分とをさらに備え、前記第３の区分は、シミュレータキーパッド構成を有するシミュレータキーパッドタブ付き表示ページを含み、前記第４の区分は、シミュレータスクリーン構成を有するシミュレータスクリーンタブ付き表示ページを含み、前記患者モニタタブ付き表示ページ、前記シミュレータキーパッドタブ付き表示ページ、および前記シミュレータスクリーンタブ付き表示ページが同時に表示されるとき、前記患者モニタタブ付き表示ページ、前記シミュレータキーパッドタブ付き表示ページ、および前記シミュレータスクリーンタブ付き表示ページは、臨床パラメータ監視およびシミュレーションユーザインターフェースとして一緒に動作可能である、項目１８に記載の心肺バイパスシステム。
（項目２０）
前記患者監視構成は、血中乳酸レベルを表示するデータ値フィールドを含み、随意に、前記タブなし表示ページは、タイマモジュールを含む、項目１８に記載の心肺バイパスシステム。
（項目２１）
グラフィカルユーザインターフェースを備えているタッチスクリーンであって、前記グラフィカルユーザインターフェースは、
ヘッダ部分と、
前記ヘッダ部分に隣接している中心部分と
を含み、
前記中心部分は、複数の区分に分割され、少なくとも１つの区分は、タブなしページを表示し、少なくとも１つの区分は、複数のタブ付きページを表示し、前記タブなしページは、複数のセンサモジュールを備え、前記少なくとも１つのタブ付きページは、複数のセンサモジュールを備えている、タッチスクリーン。
（項目２２）
前記タブなしページの各センサモジュールは、圧力センサモジュール、気泡検出センサモジュール、レベルセンサモジュール、流量センサモジュール、圧力デルタデータセンサモジュール、および温度センサモジュールから成る群から個々に選択される、項目２１に記載のタッチスクリーン。
（項目２３）
前記タブなしページは、少なくとも１つの圧力センサモジュール、少なくとも１つの気泡検出センサモジュール、および少なくとも１つのレベルセンサモジュールを含む、項目２１に記載のタッチスクリーン。
（項目２４）
前記少なくとも１つの圧力センサモジュール、前記少なくとも１つの気泡検出センサモジュール、および前記少なくとも１つのレベルセンサモジュールの各々は、高優先順位アラーム状態、中優先順位アラーム状態、および低優先順位アラーム状態のうちの少なくとも２つから選択される複数のアラーム状態を表示することが可能である、項目２３に記載のタッチスクリーン。
（項目２５）
前記少なくとも１つの圧力センサモジュールは、圧力値データフィールドと、タッチまたは圧力起動介入ボタンとを備え、タッチまたは圧力による前記介入ボタンの起動は、心肺バイパスシステムのポンプの動作が一時的に修正されるようにする、項目２３に記載のタッチスクリーン。
（項目２６）
前記少なくとも１つの気泡検出センサモジュールは、気泡検出データフィールドと、タッチまたは圧力起動リセットボタンとを備え、前記気泡検出データフィールドは、気泡検出センサから取得される気泡検出データを表示する、項目２３に記載のタッチスクリーン。
（項目２７）
前記少なくとも１つの気泡検出センサモジュールは、前記気泡検出センサが事前設定された気泡検出サイズ値を超える気泡を検出すると、高優先順位アラーム状態を表示し、前記気泡検出センサモジュールは、前記リセットボタンがタッチまたは圧力によって起動され、前記気泡検出センサによって検出された気泡が同時に前記事前設定された気泡検出サイズ値を超えなくなるまで、前記高優先順位アラーム状態を継続して表示する、項目２６に記載のタッチスクリーン。
（項目２８）
前記少なくとも１つの気泡検出センサモジュールは、タッチまたは圧力起動介入ボタンをさらに備え、タッチまたは圧力による前記介入ボタンの起動は、前記心肺バイパスシステムのポンプの動作が一時的に修正されるようにする、項目２７に記載のタッチスクリーン。
（項目２９）
前記少なくとも１つのレベルセンサモジュールは、レベルデータフィールドと、タッチまたは圧力起動介入ボタンとを備え、前記介入ボタンは、前記心肺バイパスシステムの血液リザーバの血液流体レベルが事前決定された低血液流体レベルにあるか、またはそれを下回るときのみイネーブルにされる、項目２３に記載のタッチスクリーン。
（項目３０）
タッチまたは圧力による前記介入ボタンの起動は、前記プロセッサによって開始される自動的血液流体レベル補正機構を中断するように、前記心肺バイパスシステムのポンプの動作が一時的に修正されるようにする、項目２９に記載のタッチスクリーン。
（項目３１）
各タブ付きページは、タブを備え、各タブ付きページは、表示モードおよびオーバーレイモードにおいて表示可能である、項目２１に記載のタッチスクリーン。
（項目３２）
前記表示モードにおいて表示されると、前記タブ付きページの実質的に全てが、閲覧可能であり、前記オーバーレイモードにおいて表示されると、前記タブ付きページのタブのみが、閲覧可能である、項目３１に記載のタッチスクリーン。
（項目３３）
前記複数のタブ付きページを表示する前記少なくとも１つの区分の１つのタブ付きページのみが、前記表示モードにおいて一度に表示され、残りの前記タブ付きページは、前記オーバーレイモードにおいて表示される、項目３２に記載のタッチスクリーン。
（項目３４）
各タブは、ユーザによって前記タッチスクリーン上に及ぼされるタッチまたは圧力によって起動可能であり、タッチまたは圧力による前記タブの起動は、関連付けられたタブ付きページが前記表示モードにおいて表示され、残りのタブ付きページが前記オーバーレイモードにおいて表示されるようにする、項目３３に記載のタッチスクリーン。
（項目３５）
各タブは、あるアラーム状態に遷移することが可能であり、それによって、対応するタブ付きページが前記オーバーレイモードにおいて表示され、前記対応するタブ付きページの任意のセンサモジュールがあるアラーム状態に遷移すると、そのタブは、閲覧可能なあるアラーム状態に遷移する、項目３４に記載のタッチスクリーン。
（項目３６）
前記グラフィカルユーザインターフェースは、ヘッダ部分と、フッタ部分とを含み、前記中心部分は、前記ヘッダ部分と前記フッタ部分との間に配置されている、項目２１に記載のタッチスクリーン。
（項目３７）
グラフィカルユーザインターフェースを備えているタッチスクリーンであって、前記グラフィカルユーザインターフェースは、複数の区分に分割された中心部分を含み、
１つの区分は、タブなし表示ページを表示し、複数の他の区分の各々は、複数のタブ付き表示ページを表示し、各タブ付き表示ページは、表示モードおよびオーバーレイモードにおいて表示可能であり、前記他の区分の各々の１つのタブ付き表示ページのみが、前記表示モードにおいて一度に表示可能であり、各残りのタブ付き表示ページは、前記オーバーレイモードにおいて表示される、タッチスクリーン。
（項目３８）
各タブ付き表示ページは、タッチまたは圧力起動可能タブを備え、前記タブに加えられるタッチまたは圧力は、前記表示モードにおける前記タブ付き表示ページの表示を起動する、項目３７に記載のタッチスクリーン。
（項目３９）
前記複数の他の区分は、第１の区分と、第２の区分とを含み、前記第１の区分のタブ付き表示ページは、タブ付き表示ページの二重対を備えているテーマ別ユーザインターフェースを形成するために、前記第２の区分のタブ付き表示ページと同時に前記表示モードにおいて表示される、項目３７に記載のタッチスクリーン。
（項目４０）
前記複数の他の区分は、第１の区分と、第２の区分と、第３の区分とを含み、前記第１の区分のタブ付き表示ページは、タブ付き表示ページの二重対を備えているテーマ別ユーザインターフェースを形成するために、前記第２の区分または前記第３の区分の１つのタブ付き表示ページと同時に前記表示モードにおいて表示される、項目３７に記載のタッチスクリーン。
（項目４１）
前記複数の他の区分は、第１の区分と、第２の区分と、第３の区分とを含み、前記第１の区分のタブ付き表示ページは、タブ付き表示ページの三重対を備えているテーマ別ユーザインターフェースを形成するために、前記第２の区分の１つのタブ付き表示ページおよび前記第３の区分の１つのタブ付き表示ページと同時に前記表示モードにおいて表示される、項目３７に記載のタッチスクリーン。
（項目４２）
ヘッダ部分とフッタ部分とをさらに備え、
前記中心部分は、前記ヘッダ部分および前記フッタ部分の各々に隣接している、項目３７に記載のタッチスクリーン。
（項目４３）
項目３７に記載のタッチスクリーンを備えている医療装置。
（項目４４）
前記タブなし表示ページは、複数のセンサモジュールを備え、前記タブ付き表示ページの少なくともいくつかは、複数のセンサモジュールを備えている、項目４３に記載の医療装置。
（項目４５）
前記医療装置は、人工心肺機械および体外膜型酸素供給機械から成る群から選択される装置である、項目４４に記載の医療装置。
（項目４６）
医療装置のグラフィカルユーザインターフェースを動作させる方法であって、前記方法は、
第１の複数のセンサによって収集されるデータを表示することと、前記第１の複数のセンサによって収集される前記表示されるデータに関連付けられたアラーム状態置を表示することとを行うように、前記グラフィカルユーザインターフェースのタブなし表示ページの複数のセンサモジュールを選択的に構成するステップであって、前記第１の複数のセンサは、体外血流回路からデータを収集するように配置されている、ステップと、
第２の複数のセンサによって収集されるデータを表示することと、前記第２の複数のセンサによって収集される前記表示されるデータに関連付けられたアラーム状態置を表示することとを行うように、前記グラフィカルユーザインターフェースの複数のタブ付き表示ページの複数のセンサモジュールを選択的に構成するステップであって、前記第２の複数のセンサは、前記体外血流回路からデータを収集するように配置されている、ステップと
を含む、方法。
（項目４７）
前記第１の複数のセンサによって前記表示されるデータに関連付けられた前記アラーム状態置は、低優先順位アラーム状態、中優先順位アラーム状態、および高優先順位アラーム状態から成る群から選択される２つ以上の状態を含む、項目４６に記載の方法。
（項目４８）
前記第２の複数のセンサによって前記表示されるデータに関連付けられた前記アラーム状態置は、低優先順位アラーム状態、中優先順位アラーム状態、および高優先順位アラーム状態から成る群から選択される２つ以上の状態を含む、項目４６に記載の方法。
（項目４９）
前記タブなし表示ページの前記複数のセンサモジュールは、少なくとも１つの圧力センサモジュール、少なくとも１つの気泡検出センサモジュール、および少なくとも１つのレベルセンサモジュールを含む、項目４６に記載の方法。
（項目５０）
前記少なくとも１つの圧力センサモジュールに動作可能にリンクされている圧力センサによって収集される圧力データを表示するステップと、
前記表示される圧力データが停止限界値に等しいか、またはそれを超える場合、圧力高優先順位アラーム状態を表示するステップと
をさらに含む、項目４９に記載の方法。
（項目５１）
前記圧力データがある閾値に等しいか、またはそれを超え、かつ、それが前記停止限界値よりも低い場合、圧力中優先順位アラーム状態を表示するステップをさらに含む、項目５０に記載の方法。
（項目５２）
前記圧力データがアラーム限界値に等しいか、またはそれを超え、かつ、それが前記閾値よりも低い場合、圧力低優先順位アラーム状態を表示するステップをさらに含む、項目５１に記載の方法。
（項目５３）
前記圧力高優先順位アラーム状態が表示されている間にタッチスクリーンのタッチまたは圧力感受性介入ボタンを起動するステップをさらに含み、前記タッチまたは圧力感受性介入ボタンの起動は、血液ポンプの動作を低減させるか、または中断する、項目５０に記載の方法。
（項目５４）
前記少なくとも１つの気泡検出センサモジュールに動作可能にリンクされている気泡検出センサによって収集される気泡検出データを表示するステップと、
前記表示される気泡検出データが前記体外血流回路内の気泡の検出を示し、前記検出された気泡が閾値サイズ限界値を超えないサイズを有する場合、気泡検出低優先順位アラーム状態を表示するステップと
をさらに含む、項目４９に記載の方法。
（項目５５）
前記表示される気泡検出データが、前記閾値サイズ限界値を超えるサイズを有する前記体外血流回路内の気泡の検出を示す場合、気泡検出高優先順位アラーム状態を表示し、前記検出された気泡のサイズが前記閾値サイズ限界値を超えておらず、リセットボタンが起動されるまで、前記気泡検出高優先順位アラーム状態の表示を継続するステップをさらに含む、項目５４に記載の方法。
（項目５６）
前記気泡検出高優先順位アラーム状態が表示されている間にタッチスクリーンのタッチまたは圧力感受性介入ボタンを起動するステップをさらに含み、前記タッチまたは圧力感受性介入ボタンの起動は、設定された期間にわたって血液ポンプの動作を修正する、項目５５に記載の方法。
（項目５７）
前記少なくとも１つのレベルセンサモジュールに動作可能にリンクされているレベルセンサによって収集されるレベルデータを表示するステップと、
前記表示されるレベルデータが、調整レベルにあるか、またはそれを下回り、許容できない低いレベルを超える前記体外血流回路の血液リザーバの血液流体のレベルを示す場合、レベル低優先順位アラーム状態を表示するステップと
をさらに含む、項目４９に記載の方法。
（項目５８）
前記表示されるレベルデータが、前記許容できない低いレベルにあるか、またはそれを下回る前記体外血流回路の血液リザーバの血液流体のレベルを示す場合、レベル高優先順位アラーム状態を表示するステップをさらに含む、項目５７に記載の方法。
（項目５９）
前記レベル高優先順位アラーム状態が表示されている間にタッチスクリーンのタッチまたは圧力感受性介入ボタンを起動するステップをさらに含み、前記タッチまたは圧力感受性介入ボタンの起動は、設定された期間にわたって動脈血液ポンプの動作を修正するか、または設定された期間にわたって空気除去ポンプを修正する、項目５８に記載の方法。
（項目６０）
前記タブ付き表示ページの前記複数のセンサモジュールは、圧力センサモジュール、気泡検出センサモジュール、レベルセンサモジュール、温度センサモジュール、および流量センサモジュールから成る群から選択される少なくとも１つのセンサモジュールを含む、項目４６に記載の方法。
（項目６１）
前記圧力センサモジュールに動作可能にリンクされている圧力センサによって収集される圧力データを表示するステップと、
前記表示される圧力データが停止限界値に等しいか、またはそれを超える場合、圧力高優先順位アラーム状態を表示するステップと
をさらに含む、項目６０に記載の方法。
（項目６２）
前記圧力データがある閾値に等しいか、またはそれを超え、かつ、それが前記停止限界値よりも低い場合、圧力中優先順位アラーム状態を表示するステップをさらに含む、項目６１に記載の方法。
（項目６３）
前記圧力データがアラーム限界値に等しいか、またはそれを超え、かつ、それが前記閾値よりも低い場合、圧力低優先順位アラーム状態を表示するステップをさらに含む、項目６２に記載の方法。
（項目６４）
前記圧力高優先順位アラーム状態が表示されている間にタッチスクリーンのタッチまたは圧力感受性介入ボタンを起動するステップをさらに含み、前記タッチまたは圧力感受性介入ボタンの起動は、血液ポンプの動作を低減させるか、または中断する、項目６１に記載の方法。
（項目６５）
前記気泡検出センサモジュールに動作可能にリンクされている気泡検出センサによって収集される気泡検出データを表示するステップと、
前記表示される気泡検出データが前記体外血流回路内の気泡の検出を示し、検出された気泡が閾値サイズ限界値を超えないサイズを有する場合、気泡検出低優先順位アラーム状態を表示するステップと
をさらに含む、項目６０に記載の方法。
（項目６６）
前記表示される気泡検出データが、前記閾値サイズ限界値を超えるサイズを有する前記体外血流回路内の気泡の検出を示す場合、気泡検出高優先順位アラーム状態を表示し、前記検出された気泡のサイズが前記閾値サイズ限界値を超えておらず、リセットボタンが起動されるまで、前記気泡検出高優先順位アラーム状態の表示を継続するステップをさらに含む、項目６５に記載の方法。
（項目６７）
前記気泡検出高優先順位アラーム状態が表示されている間にタッチスクリーンのタッチまたは圧力感受性介入ボタンを起動するステップをさらに含み、前記タッチまたは圧力感受性介入ボタンの起動は、設定された期間にわたって血液ポンプの動作を修正する、項目６６に記載の方法。
（項目６８）
前記レベルセンサモジュールに動作可能にリンクされているレベルセンサによって収集されるレベルデータを表示するステップと、
前記表示されるレベルデータが、調整レベルにあるか、またはそれを下回り、許容できない低いレベルを超える前記体外血流回路の血液リザーバの血液流体のレベルを示す場合、レベル低優先順位アラーム状態を表示するステップと
をさらに含む、項目６０に記載の方法。
（項目６９）
前記表示されるレベルデータが、前記許容できない低いレベルにあるか、またはそれを下回る前記体外血流回路の血液リザーバの血液流体のレベルを示す場合、レベル高優先順位アラーム状態を表示するステップをさらに含む、項目６８に記載の方法。
（項目７０）
前記レベル高優先順位アラーム状態が表示されている間にタッチスクリーンのタッチまたは圧力感受性介入ボタンを起動するステップをさらに含み、前記タッチまたは圧力感受性介入ボタンの起動は、設定された期間にわたる動脈血液ポンプの動作または設定された期間にわたる空気除去ポンプの動作のいずれかを修正する、項目６９に記載の方法。
（項目７１）
複数のタブ付き表示ページが、前記グラフィカルユーザインターフェースの第１の区分内に表示され、前記タブなし表示ページは、前記グラフィカルユーザインターフェースの第２の区分内に表示され、各タブ付き表示ページは、表示モードおよびオーバーレイモードにおいて表示可能であり、
前記方法は、前記タブ付き表示ページが前記表示モードにおいて表示され、前記第１の区分の全ての他のタブ付き表示ページが前記オーバーレイモードにおいて表示されるように、前記第１の区分のタブ付き表示ページのタブを起動するステップをさらに含む、項目４６に記載の方法。
（項目７２）
前記表示モードにおいて、前記タブ付き表示ページの実質的に全てが、表示され、前記オーバーレイモードにおいて、前記タブ付き表示ページの前記タブの実質的に全てのみが、表示される、項目７１に記載の方法。
（項目７３）
前記オーバーレイモードにおいて表示されている間、オーバーレイされたタブ付き表示ページのアラーム状態が、前記オーバーレイされたタブ付き表示ページの前記タブによって信号伝達される、項目７１に記載の方法。
（項目７４）
臨床動作モードにおける動作に先立って、タッチスクリーンのグラフィカルユーザインターフェースを構成する方法であって、前記方法は、
第１の信号に応答して、前記タッチスクリーンによって表示されるグラフィカルユーザインターフェースのタブ付き表示ページに関連付けられたセンサモジュール構成メニューインターフェースを表示するステップと、
第２の信号に応答して、前記タブ付き表示ページに関連付けられたセンサモジュール構成メニューインターフェースに関連付けられたセンサモジュールのための少なくとも１つのアラーム限界を設定するステップと
を含む、方法。
（項目７５）
前記第１の信号は、前記タブ付き表示ページのセンサモジュールのタッチまたは圧力起動可能モジュール設定メニューボタンの起動の結果として生成される、項目７４に記載の方法。
（項目７６）
前記第２の信号は、前記タブ付き表示ページの前記センサモジュール構成メニューインターフェースのタッチまたは圧力起動可能ボタンの起動の結果として生成される、項目７５に記載の方法。
（項目７７）
第３の信号に応答して、ポンプ機能の前記タブ付き表示ページの前記センサモジュールとの選択的関連付けを可能にするために、前記タブ付き表示ページの前記センサモジュール構成メニューインターフェースの一部上にポンプ関連付けメニューインターフェースをオーバーレイするステップをさらに含む、項目７４に記載の方法。
（項目７８）
前記方法は、
第３の信号に応答して、前記タッチスクリーンによって表示される前記グラフィカルユーザインターフェースのタブなし表示ページの一部上にセンサモジュール構成メニューインターフェースを表示するステップと、
第４の信号に応答して、前記タブなし表示ページに関連付けられた前記センサモジュール構成メニューインターフェースに関連付けられたセンサモジュールのための少なくとも１つのアラーム限界を設定するステップと
をさらに含む、項目７４に記載の方法。
（項目７９）
前記第３の信号は、前記タブなし表示ページの前記センサモジュールのタッチまたは圧力起動可能モジュール設定メニューボタンの起動の結果として生成される、項目７８に記載の方法。
（項目８０）
前記第４の信号は、前記タブなし表示ページの前記センサモジュール構成メニューインターフェースのタッチまたは圧力起動可能ボタンの起動の結果として生成される、項目７９に記載の方法。
（項目８１）
第５の信号に応答して、ポンプ機能の前記タブなし表示ページの前記センサモジュールとの選択的関連付けを可能にするために、前記タブなし表示ページの前記センサモジュール構成メニューインターフェースの一部上にポンプ関連付けメニューインターフェースをオーバーレイするステップをさらに含む、項目７８に記載の方法。
（項目８２）
前記センサモジュール構成メニューインターフェースに関連付けられた前記センサモジュールは、圧力センサモジュール構成メニューインターフェースに関連付けられた圧力センサモジュール、または気泡検出センサモジュール構成メニューインターフェースに関連付けられた気泡検出センサモジュール、またはレベルセンサモジュール構成メニューインターフェースに関連付けられたレベルセンサモジュール、または温度センサモジュール構成メニューインターフェースに関連付けられた温度センサモジュール、または流量センサモジュール構成メニューインターフェースに関連付けられた流量センサモジュール、もしくは圧力デルタセンサモジュール構成メニューインターフェースに関連付けられた圧力デルタセンサモジュールである、項目７４に記載の方法。
（項目８３）
対応するセンサモジュール構成メニューインターフェースに関連付けられた各センサモジュールは、圧力センサモジュール構成メニューインターフェースに関連付けられた圧力センサモジュール、気泡検出センサモジュール構成メニューインターフェースに関連付けられた気泡検出センサモジュール、レベルモジュール構成メニューインターフェースに関連付けられたレベルセンサモジュール、温度センサモジュール構成メニューインターフェースに関連付けられた温度センサモジュール、流量センサモジュール構成メニューインターフェースに関連付けられた流量センサモジュール、および圧力デルタセンサモジュール構成メニューインターフェースに関連付けられた圧力デルタセンサモジュールから成る群から独立して選択される、項目７８に記載の方法。
（項目８４）
事前定義されたグラフィカルユーザインターフェース構成を選択すること、輝度およびアラーム音量から成る群から選択される少なくとも１つの選択可能アラーム設定を構成すること、または外部デバイスメニューを表示することを行うためのシステム構成メニューインターフェースを起動するステップをさらに含む、項目７４に記載の方法。
（項目８５）
前記タブ付き表示ページの前記センサモジュールの前記少なくとも１つのアラーム限界を受け入れ、イネーブルにするように、前記タブ付き表示ページの前記センサモジュール構成メニューインターフェースを閉じるステップをさらに含む、項目７４に記載の方法。
（項目８６）
前記タブなし表示ページの前記センサモジュールの前記少なくとも１つのアラーム限界を受け入れ、イネーブルにするために、前記タブなし表示ページの前記センサモジュール構成メニューインターフェースを閉じるステップをさらに含む、項目７８に記載の方法。
（項目８７）
前記タブ付き表示ページの前記センサモジュールの前記少なくとも１つのアラーム限界を受け入れ、イネーブルにするために、前記タブ付き表示ページの前記センサモジュール構成メニューインターフェースを閉じるステップをさらに含む、項目８６に記載の方法。
【図面の簡単な説明】
【００３３】
本特許または出願ファイルは、カラーで作成された少なくとも１つの図面を含有する。カラー図面を伴う本特許または特許出願公開文書のコピーは、要求および必要な手数料の支払に応じて、特許庁によって提供されるであろう。
【図１】図１は、本開示のユーザインターフェースシステムのある実施形態を含む、例示的人工心肺機械の斜視図である。
【図２Ａ】図２ａは、本開示のある実施形態による、ユーザインターフェースシステムおよび図１の人工心肺機械の種々の構成要素へのその動作接続の概略図である。
【図２Ｂ】図２ｂは、本開示のユーザインターフェースシステムを含む人工心肺機械を組み込む、心肺バイパスシステムの概略図である。
【図３Ａ】図３ａおよび３ｂ（集合的に、「図３」と称され得る）は、本開示のある実施形態による、タッチスクリーンモニタのグラフィカルユーザインターフェースの例示的非限定的構成を図示する。
【図３Ｂ】図３ａおよび３ｂ（集合的に、「図３」と称され得る）は、本開示のある実施形態による、タッチスクリーンモニタのグラフィカルユーザインターフェースの例示的非限定的構成を図示する。
【図４】図４は、図３のグラフィカルユーザインターフェースのヘッダ部分の例示的非限定的構成を図示する。
【図５】図５ａ、５ｂ、５ｃ、５ｄ、５ｅ、および５ｆ（集合的に、「図５」と称され得る）は、本開示のある実施形態による、グラフィカルユーザインターフェースのバッテリアイコンに関する種々の表示状態を図示する。
【図６】図６ａおよび６ｂ（集合的に、「図６」と称され得る）は、本開示のある実施形態による、グラフィカルユーザインターフェースのロックスクリーンボタンの異なる動作状態に対応する種々の表示を図示する。
【図７】図７ａおよび７ｂ（集合的に、「図７」と称され得る）は、本開示のある実施形態による、グラフィカルユーザインターフェースのユーザ構成インジケータに関する種々の表示を図示する。
【図８】図８ａおよび８ｂ（集合的に、「図８」と称され得る）は、本開示のある実施形態による、第１の動作モードにおいて図８ａのアイコンによって示され、第２の動作モードにおいて図８ｂのアイコンによって示されるような、システム設定メニューボタンに関する表示を図示する。
【図９】図９は、本開示のある実施形態による、グラフィカルユーザインターフェースの中心監視部分のタブなし表示ページの例示的非限定的構成を図示する。
【図１０−１】図１０ａ、１０ｂ、１０ｃ、１０ｄ、１０ｅ、１０ｆ、１０ｇ、および１０ｈ（集合的に、「図１０」と称され得る）は、本開示のある実施形態による、圧力センサモジュールの例示的非限定的構成を図示する。
【図１０−２】図１０ａ、１０ｂ、１０ｃ、１０ｄ、１０ｅ、１０ｆ、１０ｇ、および１０ｈ（集合的に、「図１０」と称され得る）は、本開示のある実施形態による、圧力センサモジュールの例示的非限定的構成を図示する。
【図１１】図１１ａおよび１１ｂは、本開示のある実施形態による、圧力センサモジュールの介入ボタンに関する例示的非限定的構成を図示する。
【図１２】図１２は、本開示のある実施形態による、気泡検出センサモジュールの例示的非限定的構成を図示する。
【図１３】図１３ａ、１３ｂ、１３ｃ、および１３ｄ（集合的に、「図１３」と称され得る）は、本開示のある実施形態による、種々の気泡レベルアイコンを図示する。
【図１４】図１４ａ、１４ｂ、１４ｃ、１４ｄ、および１４ｅ（集合的に、「図１４」と称され得る）は、本開示のある実施形態による、気泡検出センサモジュールの種々のアラーム指示状態を図示する。
【図１５】図１５ａ、１５ｂ、および１５ｃ（集合的に、「図１５」と称され得る）は、本開示のある実施形態による、種々の流体レベル検出状態を含む、レベルセンサモジュールの例示的非限定的構成を図示する。
【図１６】図１６ａ、１６ｂ、１６ｃ、および１６ｄ（集合的に、「図１６」と称され得る）は、本開示のある実施形態による、関連付けられるリザーバ内の流体の相対的レベルを表す種々のレベルアイコンを図示する。
【図１７−１】図１７ａ、１７ｂ、１７ｃ、および１７ｄ（集合的に、「図１７」と称され得る）は、真空ポンプが血液リザーバに接続されているときの本開示のある実施形態による、種々の流体レベル検出状態を含む、レベルセンサモジュールの例示的非限定的構成を図示する。
【図１７−２】図１７ａ、１７ｂ、１７ｃ、および１７ｄ（集合的に、「図１７」と称され得る）は、真空ポンプが血液リザーバに接続されているときの本開示のある実施形態による、種々の流体レベル検出状態を含む、レベルセンサモジュールの例示的非限定的構成を図示する。
【図１８】図１８ａ、１８ｂ、および１８ｃは、本開示のある実施形態による、レベルセンサモジュールの種々のアラーム状態を図示する。
【図１９−１】図１９ａ、１９ｂ、１９ｃ、１９ｄ、１９ｅ、１９ｆ、および１９ｇは、本開示のある実施形態による、温度センサモジュールおよび／またはそのアラーム状態のいくつかの例示的非限定的構成を図示する。
【図１９−２】図１９ａ、１９ｂ、１９ｃ、１９ｄ、１９ｅ、１９ｆ、および１９ｇは、本開示のある実施形態による、温度センサモジュールおよび／またはそのアラーム状態のいくつかの例示的非限定的構成を図示する。
【図２０−１】図２０ａ、２０ｂ、２０ｃ、２０ｄ、２０ｅ、および２０ｆは、本開示のある実施形態による、流量センサモジュールおよび／またはそのアラーム状態のいくつかの非限定的構成を図示する。
【図２０−２】図２０ａ、２０ｂ、２０ｃ、２０ｄ、２０ｅ、および２０ｆは、本開示のある実施形態による、流量センサモジュールおよび／またはそのアラーム状態のいくつかの非限定的構成を図示する。
【図２１】図２１ａ、２１ｂ、２１ｃ、および２１ｄは、本開示のある実施形態による、圧力デルタセンサモジュールおよび／またはそのアラーム状態のいくつかの非限定的構成を図示する。
【図２２】図２２ａおよび２２ｂ（集合的に、「図２２」と称され得る）は、本開示のある実施形態による、体重ベースの標的流量計算器ユーザインターフェースにダイレクトされたタブ付き表示ページの例示的非限定的実施例を図示する。
【図２３−１】図２３ａ、２３ｂ、２３、および２３ｄ（集合的に、「図２３」と称され得る）は、本開示のある実施形態による、灌流計算器ユーザインターフェースにダイレクトされたタブ付き表示ページの例示的非限定的実施例を図示する。
【図２３−２】図２３ａ、２３ｂ、２３、および２３ｄ（集合的に、「図２３」と称され得る）は、本開示のある実施形態による、灌流計算器ユーザインターフェースにダイレクトされたタブ付き表示ページの例示的非限定的実施例を図示する。
【図２４】図２４は、本開示のある実施形態による、患者モニタユーザインターフェースにダイレクトされたタブ付き表示ページの例示的非限定的実施例を図示する。
【図２５−１】図２５ａ、２５ｂ、２５ｃ、および２５ｄ（集合的に、「図２５」と称され得る）は、本開示のある実施形態による、遠隔制御ヒータ−クーラユニットユーザインターフェースにダイレクトされたタブ付き表示ページの例示的非限定的実施形態を図示する。
【図２５−２】図２５ａ、２５ｂ、２５ｃ、および２５ｄ（集合的に、「図２５」と称され得る）は、本開示のある実施形態による、遠隔制御ヒータ−クーラユニットユーザインターフェースにダイレクトされたタブ付き表示ページの例示的非限定的実施形態を図示する。
【図２６】図２６は、本開示のある実施形態による、汎用計算器にダイレクトされたタブ付き表示ページの例示的非限定的実施形態を図示する。
【図２７】図２７は、本開示のある実施形態による、動脈ポンプのための脈動制御ユーザインターフェースにダイレクトされたタブ付き表示ページの例示的非限定的実施形態を図示する。
【図２８】図２８は、本開示のある実施形態による、臨床パラメータモニタ−シミュレーションユーザインターフェースの例示的非限定的実施形態を図示する。
【図２９】図２９は、本開示のある実施形態による、臨床パラメータモニタ−シミュレーションユーザインターフェースのシミュレータキーパッドページにダイレクトされたタブ付き表示ページの例示的非限定的実施形態を図示する。
【図３０Ａ】図３０ａ、３０ｂ、３０ｃ、および３０ｄ（集合的に、「図３０」と称され得る）は、本開示のある実施形態による、臨床パラメータモニタ−シミュレーションユーザインターフェースのシミュレータスクリーンインターフェースにダイレクトされたタブ付き表示ページの例示的非限定的実施形態を図示する。
【図３０Ｂ】図３０ａ、３０ｂ、３０ｃ、および３０ｄ（集合的に、「図３０」と称され得る）は、本開示のある実施形態による、臨床パラメータモニタ−シミュレーションユーザインターフェースのシミュレータスクリーンインターフェースにダイレクトされたタブ付き表示ページの例示的非限定的実施形態を図示する。
【図３０Ｃ】図３０ａ、３０ｂ、３０ｃ、および３０ｄ（集合的に、「図３０」と称され得る）は、本開示のある実施形態による、臨床パラメータモニタ−シミュレーションユーザインターフェースのシミュレータスクリーンインターフェースにダイレクトされたタブ付き表示ページの例示的非限定的実施形態を図示する。
【図３０Ｄ】図３０ａ、３０ｂ、３０ｃ、および３０ｄ（集合的に、「図３０」と称され得る）は、本開示のある実施形態による、臨床パラメータモニタ−シミュレーションユーザインターフェースのシミュレータスクリーンインターフェースにダイレクトされたタブ付き表示ページの例示的非限定的実施形態を図示する。
【図３１】図３１は、本開示のある実施形態による、臨床パラメータモニタ−シミュレーションユーザインターフェースの例示的非限定的実施形態を図示する。
【図３２】図３２は、本開示のある実施形態による、血液監視ユニットインターフェースの例示的非限定的実施形態を図示する。
【図３３】図３３は、図３のグラフィカルユーザインターフェースのフッタ部分の例示的非限定的構成を図示する。
【図３４Ａ】図３４ａは、本開示のある実施形態による、システム構成メニューインターフェースの例示的非限定的構成を図示し、図３４ｂ、３４ｃ、３４ｄ、３４ｅ、３４ｆ、および３４ｇは、システム構成メニューインターフェースの種々のサブメニューを図示する。
【図３４Ｂ】図３４ａは、本開示のある実施形態による、システム構成メニューインターフェースの例示的非限定的構成を図示し、図３４ｂ、３４ｃ、３４ｄ、３４ｅ、３４ｆ、および３４ｇは、システム構成メニューインターフェースの種々のサブメニューを図示する。
【図３４Ｃ】図３４ａは、本開示のある実施形態による、システム構成メニューインターフェースの例示的非限定的構成を図示し、図３４ｂ、３４ｃ、３４ｄ、３４ｅ、３４ｆ、および３４ｇは、システム構成メニューインターフェースの種々のサブメニューを図示する。
【図３４Ｄ】図３４ａは、本開示のある実施形態による、システム構成メニューインターフェースの例示的非限定的構成を図示し、図３４ｂ、３４ｃ、３４ｄ、３４ｅ、３４ｆ、および３４ｇは、システム構成メニューインターフェースの種々のサブメニューを図示する。
【図３４Ｅ】図３４ａは、本開示のある実施形態による、システム構成メニューインターフェースの例示的非限定的構成を図示し、図３４ｂ、３４ｃ、３４ｄ、３４ｅ、３４ｆ、および３４ｇは、システム構成メニューインターフェースの種々のサブメニューを図示する。
【図３４Ｆ】図３４ａは、本開示のある実施形態による、システム構成メニューインターフェースの例示的非限定的構成を図示し、図３４ｂ、３４ｃ、３４ｄ、３４ｅ、３４ｆ、および３４ｇは、システム構成メニューインターフェースの種々のサブメニューを図示する。
【図３４Ｇ】図３４ａは、本開示のある実施形態による、システム構成メニューインターフェースの例示的非限定的構成を図示し、図３４ｂ、３４ｃ、３４ｄ、３４ｅ、３４ｆ、および３４ｇは、システム構成メニューインターフェースの種々のサブメニューを図示する。
【図３５Ａ】図３５ａは、本開示のある実施形態による、圧力センサモジュールのためのモジュール構成メニューの例示的非限定的構成を図示し、図３４ｂおよび３５ｃは、関連付けられるサブメニューインターフェースの例示的非限定的実施形態を図示する。
【図３５Ｂ】図３５ａは、本開示のある実施形態による、圧力センサモジュールのためのモジュール構成メニューの例示的非限定的構成を図示し、図３４ｂおよび３５ｃは、関連付けられるサブメニューインターフェースの例示的非限定的実施形態を図示する。
【図３５Ｃ】図３５ａは、本開示のある実施形態による、圧力センサモジュールのためのモジュール構成メニューの例示的非限定的構成を図示し、図３４ｂおよび３５ｃは、関連付けられるサブメニューインターフェースの例示的非限定的実施形態を図示する。
【図３６Ａ】図３６ａは、本開示のある実施形態による、気泡検出センサモジュールのためのモジュール構成メニューの例示的非限定的構成を図示し、図３６ｂは、関連付けられるサブメニューインターフェースの例示的非限定的実施形態を図示する。
【図３６Ｂ】図３６ａは、本開示のある実施形態による、気泡検出センサモジュールのためのモジュール構成メニューの例示的非限定的構成を図示し、図３６ｂは、関連付けられるサブメニューインターフェースの例示的非限定的実施形態を図示する。
【図３７Ａ】図３７ａは、本開示のある実施形態による、レベルセンサモジュールのためのモジュール構成メニューの例示的非限定的構成を図示し、図３７ｂは、関連付けられるサブメニューインターフェースの例示的非限定的実施形態を図示する。
【図３７Ｂ】図３７ａは、本開示のある実施形態による、レベルセンサモジュールのためのモジュール構成メニューの例示的非限定的構成を図示し、図３７ｂは、関連付けられるサブメニューインターフェースの例示的非限定的実施形態を図示する。
【図３８】図３８は、本開示のある実施形態による、温度センサモジュールのためのモジュール構成メニューの例示的非限定的構成を図示する。
【図３９Ａ】図３９ａは、本開示のある実施形態による、流量センサモジュールのためのモジュール構成メニューの例示的非限定的構成を図示し、図３９ｂは、関連付けられるサブメニューインターフェースの例示的非限定的実施形態を図示する。
【図３９Ｂ】図３９ａは、本開示のある実施形態による、流量センサモジュールのためのモジュール構成メニューの例示的非限定的構成を図示し、図３９ｂは、関連付けられるサブメニューインターフェースの例示的非限定的実施形態を図示する。
【図４０】図４０は、本開示のある実施形態による、圧力デルタセンサモジュールのためのモジュール構成メニューの例示的非限定的構成を図示する。
【図４１】図４１ａおよび４１ｂは、本開示の実施形態による、それぞれ、単一のアラームヘルプスクリーンおよび複数のアラームヘルプスクリーンの例示的非限定的構成を図示する。
【発明を実施するための形態】
【００３４】
例証を目的として、本開示の原理は、種々の例示的非限定的実施形態を参照することによって説明される。したがって、ある実施形態が本明細書に具体的に説明されるが、当業者は、同一の原理が他のシステムおよび方法に等しく適用可能であり、それらにおいて採用され得ることを容易に認識するであろう。開示される実施形態を詳細に説明する前に、本開示は、その適用において、示される任意の特定の実施形態の詳細に限定されないことを理解されたい。加えて、本明細書で使用される専門用語は、説明を目的とし、限定を目的としない。さらに、ある方法が、本明細書においてある順序で提示されるステップに関して説明されるが、多くの事例では、これらのステップは、当業者によって理解され得るように、任意の順序で実施され得る。本明細書に開示される新規の方法は、したがって、本明細書に開示されるステップの特定の配列に限定されない。
【００３５】
本願の目的として、本明細書で使用されるような「表示フィールド」は、ユーザインターフェース上に情報を表示するように構成されるフィールドを指し、本明細書で使用されるような「データフィールド」は、ユーザインターフェース上に情報を表示し、ユーザインターフェースを介してコンピュータシステムに情報を入力することの両方を行うように構成されるフィールドを指す。本開示による、用語「インターフェース」は、それ自体もまた機械である機械の構成要素を指すように解釈されるべきである。したがって、本開示による、用語「インターフェース」は、ソフトウェアアプリケーションとしてのみ解釈されるべきではなく、しかしながら、これは、機械および機械の構成要素として動作する関連する内蔵ソフトウェアとして解釈され得る。本開示による、用語「機構」は、機械を指すように解釈されるべきであり、これは、電気機械的デバイスと、また、機械であるその構成要素とを含み得る。
【００３６】
本開示のいくつかの実施形態によると、用語「ユーザインターフェース」は、以下の特徴、すなわち、（ｉ）ダイヤル、ノブ、および／またはタッチもしくは圧力動作ボタンのセット、（ｉｉ）オペレーティングシステムコマンド、（ｉｉｉ）グラフィカル表示フォーマット、ならびに（ｉｖ）ユーザがコンピュータまたはコンピュータ上で動作するプログラムと通信し、それを使用することを可能にするために、コンピュータによって提供される他のデバイスのうちの少なくとも２つもしくはそれを上回るものを含む機械に関連する。グラフィカルユーザインターフェース（ＧＵＩ）が、そのユーザに、コンピュータ技術と相互作用するための多少なりとも「画像指向」の方法を提供する。
【００３７】
本開示は、血液灌流を促進し、ならびに患者の種々の生理学的パラメータを監視および／または調整するための医療装置およびシステムと関連して使用するために構成されるユーザインターフェースシステムおよびディスプレイ、カスタマイズのための対応する方法、ならびにその使用を対象とする。ユーザインターフェースシステムは、心肺バイパスシステム、灌流システム、体外循環装置、または人工心肺機械のハードウェアの一部である、その中に統合される、それと関連して使用される、および／もしくはそれによってサポートされ得る。例示的実施形態では、ユーザインターフェースは、ユーザ、患者、および／または臨床用途を可能にする柔軟な人間工学的システムであり、関連するカスタマイズが、直感的使用および容易な使用を促進するために提供される。ユーザインターフェースシステムはさらに、部分的に、そうでなければデータアクセスを妨げるメニュー層のネスト化およびネスト化深さを最小限にする、ならびに／または排除することによって、生理学的データおよびシステムパラメータへの迅速、効率的、かつ連続的な妨害されないアクセスを促進し、システムパラメータの迅速かつ効率的な監視、調整、および／または調節を可能にし得る。対照的に、本開示のユーザインターフェースシステムは、開かれると、メニューの妨害されない配置を提供し、これは、妨害されるデータアクセスによって引き起こされる患者安全性へのリスクを最小限にする。さらに、本開示のユーザインターフェースは、いくつかの実施形態によると、ユーザが医療装置およびシステムを動作させないように気を散らすまたは妨げることなく、閾値を超えた、および／または危険な値に到達したシステム障害および／または患者パラメータにユーザの注意を迅速に向けさせる、複数の対応するアラーム通知を伴う統合されたアラームシステムを含み得る。本開示によると、いくつかの実施形態はさらに、各アラームに関する高レベルかつより詳細な情報、ならびにアラームを生成した根本的な状況を説明および解決するためのヘルプメニューを提供し、アラーム優先順位付けを補助する。
【００３８】
本開示の実施形態の容易な理解を促進するために、ユーザインターフェースシステムのグラフィカルユーザインターフェースが、説明され、ユーザインターフェースシステムのカスタマイズ可能な特徴の開示が続く。
【００３９】
（グラフィカルユーザインターフェース）
本開示によると、グラフィカルユーザインターフェース１００は、図１によって示されるように、心肺バイパス機械１の表示装置１０の構成要素である。グラフィカルユーザインターフェース１００はまた、図２ａによって示されるように、心肺バイパス機械１のユーザインターフェースシステム２０の構成要素であり、これは、表示装置１０と統合され得る。言い換えると、表示装置１０は、ユーザインターフェースシステム２０のいくつかの部分または全てを組み込み得る。しかしながら、ユーザインターフェースシステム２０の他の部分２２、２４は、表示装置１０から遠隔にあり得る。図２ａによると、心肺バイパス機械１のユーザインターフェースシステム２０は、心肺バイパス機械１のプロセッサ３０に信号入力を送信し、プロセッサ３０から信号入力を受信するように動作可能に接続される。プロセッサ３０は、好ましくは、内蔵システムであり得、汎用コンピュータではない。心肺バイパス機械１の構成要素およびその体外血流回路は、２０１５年５月１３日に出願された、米国仮特許出願第６２／１６０，６８９号およびその対応する米国特許出願公開第ＵＳ  ＸＸＸＸ／ＹＹＹＹＹＹＹＹ号（その両方が、それらが開示する全てに関して、参照することによってその全体として本明細書に組み込まれる）によって開示される体外循環システムのものと類似し得る。
【００４０】
図２ｂは、心肺バイパス機械１および、概して、種々の血液適合性管類から構築されるその体外血流回路３を組み込む、心肺バイパスシステム２の構成要素と統合されるような、本開示のグラフィカルユーザインターフェース１００を図示する。図２ｂは、心肺バイパスシステム２のより関連する部分の概略図示であり、したがって、そのようなシステム２のあまり関連しない部分は、図面から省略されている。心肺バイパスシステムのより詳細な図示の非限定的実施例に関して、Ｇｌｅｎｎ  Ｐ．Ｇｒａｖｌｅｅ、他による「ＣＡＲＤＩＯＰＵＬＭＯＮＡＲＹ  ＢＹＰＡＳＳ  ＰＲＩＮＣＩＰＬＥＳ  ＡＮＤ  ＰＲＡＣＴＩＣＥ」（第３版）６３−６５（Ｌｉｐｐｉｎｃｏｔｔ  Ｗｉｌｌｉａｍｓ  ＆  Ｗｉｌｋｉｎｓ  ２００８年）の第５章の図１を参照されたい。
【００４１】
図２ｂを参照すると、静脈血液が、心臓Ｈの大静脈または右心房から、静脈カテーテル３２を通して、体外血流回路３の中に引き込まれ、回路３を通して進行し、次いで、動脈カテーテル３４を通して大動脈に進入する。心臓Ｈから体外血流回路３を通して進行する静脈血液は、静脈血液リザーバ３６を通過し、１つ以上の静脈血液ポンプ３７を介して、静脈血液に酸素供給する酸素ガス源５４に接続される酸素供給器５２に圧送され、酸素供給された血液は、動脈カテーテル３４を介して酸素供給された動脈血液として大動脈に戻る前に、１つ以上の動脈ポンプ３８を介して圧送され得る。体外血流回路３は、データ入力をプロセッサ３０に送信するように接続されるいくつかのセンサ５０、６０、７０、８０、９０を提供され得る。そのようなセンサは、体外血流回路３に沿った種々の点において、それぞれ、圧力データ、気泡検出データ、温度データ、および血流データを収集するように動作するような、圧力センサ５０、気泡検出センサ６０、温度センサ８０、および血流／ポンプセンサ９０を含み得る。静脈血液リザーバ３６は、静脈血液リザーバ３６内に収集された血液流体のレベルを測定するために、１つ以上のレベルセンサ７０を提供され得る。プロセッサ３０は、血液ポンプ３７、３８および真空ポンプ３９等、心肺バイパス機械１の種々の構成要素に制御信号を送信するように接続され得る。
【００４２】
本開示のある実施形態によると、プロセッサ３０は、随意に、静脈血液ガスセンサアセンブリ９２および動脈血液ガスセンサアセンブリ９４からデータ入力を受信するように接続され、これらは、それぞれ、静脈および動脈酸素飽和度（ＳｖＯ２、ＳａＯ２）ならびに対応する動脈および静脈分圧（ＰｖＯ２、ＰａＯ２）に関するデータ入力を提供する。プロセッサ３０はまた、ＨＣＴセンサ９５からＨＣＴデータ入力を受信し、カプノグラフ９６から呼気の二酸化炭素データを受信するように接続され得る。プロセッサ３０はまた、血液流体レベルＬの上方の血液流体リザーバ３６の空気空間内に真空を引き込むように接続される、真空ポンプ３９に制御信号を送信するように接続され得る。
【００４３】
表示装置１０は、液晶ディスプレイ（ＬＣＤ）タッチスクリーンモニタ１５を含み、容量タッチスクリーンシステム、または抵抗タッチスクリーンシステム、または弾性表面波タッチスクリーンシステム、もしくは赤外線タッチスクリーンシステムを採用し得る。タッチスクリーンモニタ１５のグラフィカルユーザインターフェース１００は、図３に示されるように、ヘッダ部分１０２、フッタ部分１０４、および中心監視部分１０６に分割される。部分１０２、１０４、および１０６の各々は、本開示のある実施形態に従って、明確な境界線１０７によって囲まれ得、したがって、パネルとして解釈され得る。しかしながら、本開示の他の実施形態によると、部分１０２、１０４、および１０６は、目立たない境界線を有し得る。
【００４４】
（グラフィカルユーザインターフェースのヘッダ部分）
ヘッダ部分１０２は、概して、心肺バイパス機械１のタッチスクリーンモニタ１５を監視するそれらの個人にとって有用な種々の情報を１つ以上の表示フィールド内に表示する。本開示のある実施形態によると、図４によって図示されるように、ヘッダ部分１０２は、現在の日付および時間を連続的に表示する、日付および時間表示フィールド２００を含み得る。ヘッダ部分１０２はまた、表示されると、心肺バイパス機械１のあるオーディオアラームがオフにされている、またはある意味では無効にされていることを示す、オーディオアラームキャンセルアイコン２０２を含む。オーディオアラームキャンセルアイコン２０２は、２つの状態、すなわち、表示またはブランク（すなわち、完全には表示されない）状態を有する。オーディオアラームキャンセルアイコン２０２がブランクにされている（すなわち、完全には可視ではない）とき、心肺バイパス機械１のいかなるオーディオアラームも、無効にされていない、またはいかようにも損なわれていない。
【００４５】
ヘッダ部分１０２はまた、表示されると、心肺バイパス機械１のある視聴覚アラームがオフにされている、またはある意味では無効にされていることを示す、アラームキャンセルアイコン２０４を含み得る。アラームキャンセルアイコン２０４は、２つの状態、すなわち、表示またはブランク（すなわち、完全には表示されない）状態を有する。アラームキャンセルアイコン２０４がブランクにされている（すなわち、完全には可視ではない）とき、心肺バイパス機械１のいかなる閲覧可能な非オーディオアラームも、無効にされていない、またはいかようにも損なわれていない。心肺バイパス機械１の視聴覚アラームは、視聴覚アラームのオーディオ部分が消音され得る、選択可能なサイレントモードを有する。
【００４６】
本開示のある実施形態によると、ヘッダ部分１０２は、心肺バイパス機械１の電力管理システム４０に関する情報を表示する、バッテリアイコン２０６を含む。例えば、バッテリアイコン２０６は、心肺バイパス機械１の電力管理システム４０のバッテリ４２が、（ｉ）完全に充電されているか（図５ａ）、（ｉｉ）電力管理システム４０のバッテリ充電器４４を介して充電しているか（図５ｂ）、（ｉｉｉ）充電しておらず、３０分を上回って心肺バイパス機械１を動作させるために十分な推定される残り充電量を有しているか（図５ｃ）、（ｉｖ）充電しておらず、１０分を上回り、３０分を下回って心肺バイパス機械１を動作させるために十分な推定される残り充電量を有しているか（図５ｄ）、（ｖ）充電しておらず、１０分を下回って心肺バイパス機械１を動作させるために十分な推定される残り充電量を有しているか（図５ｅ）、または（ｖｉ）使用可能ではないか（図５ｆ）に対応する、実質的に異なる表示状態を有し得る。
【００４７】
本開示のある実施形態によると、ヘッダ部分１０２は、タッチスクリーン１７のタッチまたは圧力起動ボタンである、ロックスクリーンボタン２０８を含む。そのデフォルトモードでは、ロックスクリーンボタン２０８は、タッチスクリーンモニタ１５のタッチスクリーン１７がロック解除されていることを示し、これは、タッチスクリーンのタッチスクリーンモダリティが、動作可能かつアクティブであることを意味する。本状態では、ロックスクリーンボタン２０８は、例えば、図６ａに示されるように、ロック解除された南京錠アイコンを表示するボタンとして現れる。しかしながら、規定された期間（例えば、少なくとも２秒）にわたってロックスクリーンボタン２０８を押し続けることによって、タッチスクリーン１７は、「ロックされた」状態に遷移し、キーパッド機構が、「グレーアウト」モードにおいて表示され、そのようなキーパッド機構上に表示されたアイテムは、タッチスクリーン１７をタッチすることによって、閉じられる、または別様に影響を受け得ない。タッチスクリーン１７がそのようにロックアウトされたとき、ロックスクリーンボタン２０８は、例えば、図６ｂに示されるようなロックされた南京錠アイコンを表示すること等によって、タッチスクリーン１７のロックアウト状態を示すように、その表示モードを変更し得る。加えて、ロックアウト状態中、ロックスクリーンボタン２０８は、ロック解除スクリーンキー２０９によって囲繞および境界され得る。タッチスクリーン１７のロック解除スクリーンキー２０９の任意の部分をタッチすることは、タッチスクリーンを直ちにロック解除し、これは、タッチスクリーンが再び完全に動作可能かつアクティブである、ロック解除状態に戻るように遷移する。タッチスクリーン１７はまた、任意の技術的な高優先順位、中優先順位、または低優先順位アラームの存在下で、自動的にロック解除する、および／またはロック解除されたままである。タッチスクリーン１７はまた、自動ロック特徴に従って、いかなるタッチ活動もない期間に続いて、いかなるアラームも存在しない限り、ロックアウト状態に自動的に遷移し得る。
【００４８】
本開示のある実施形態によると、ヘッダ部分１０２は、コネクティビティステータスインジケータ２１０を含み得、これは、場合によっては緑色またはある他の好適な色等の色において点灯または発光すると、システムタッチスクリーンモニタ１５および病院情報システム／コンピュータ情報システム（ＨＩＳ／ＣＩＳ）ネットワークに対するネットワークコネクティビティステータスを示す。コネクティビティステータスインジケータ２１０が点灯もしくは発光していない、または赤色等の異なる色において点灯もしくは発光しているとき、ＨＩＳ／ＣＩＳネットワークとのネットワークコネクティビティの不在が、示される。
【００４９】
本開示のある実施形態によると、ヘッダ部分１０２は、構成インジケータ２１２を含み得、これは、ユーザの選好に従って、タッチスクリーンモニタ１５のユーザによって構成および／または選択されたグラフィカルユーザインターフェース１００の特定のユーザ構成を示す。例えば、タッチスクリーンモニタ１５は、ユーザ選好に応じて、かつプログラムされたグラフィカルユーザインターフェースオプションに応じてユーザによって選択可能である、複数の異なるタッチスクリーン構成を提供するように動作され得る。例えば、タッチスクリーンモニタ１５は、ユーザによって選択可能である２つ、または３つ、または４つ、または５つ、もしくは６つ等の異なる選択可能タッチスクリーン構成を提供するように動作され得る。例えば、図３ａは、１つの非限定的選択可能タッチスクリーン構成を構成する。例えば、図３ｂ等によって示される他の非限定的選択可能タッチスクリーン構成は、本開示の以降で説明される設定モード中にグラフィカルユーザインターフェース１００のユーザによって選択的に配列され得る。
【００５０】
図７ａは、「成人構成♯２」として識別される第２のユーザ構成が選択され、構成インジケータ２１２として表示されていることを示す。理解されるはずであるように、「成人構成♯１」として識別される、第１のユーザ構成が存在し、これは、選択され得るが、非限定的実施例に従って選択されていない。これが選択された場合、構成インジケータ２１２は、「成人構成♯１」を表示するであろう。外挿によって、第３のユーザ構成等の他のユーザ構成は、選択されると、「成人構成♯３」として識別され、以下同様である。本開示に従って可能である、第２のユーザ構成が選択後に修正される場合、構成インジケータ２１２は、場合によっては黄色または他の色において点灯または発光するインジケータによって、修正が成されたことを示し、例えば、図７ｂによって図示されるような語句「構成が変更されました」が付随する。
【００５１】
本開示のある実施形態によると、ヘッダ部分１０２は、システム構成メニューインターフェース８０２を起動するために使用される、システム設定メニューボタン２１４を含み得る。本実施形態によると、システム設定メニューボタン２１４は、図８ａに示されるようなアイコンによって表され得る。システム構成メニューインターフェースは、心肺バイパス機械１のグラフィカルユーザインターフェース１００を構成するために使用され、したがって、これは、１人以上の特定のユーザの選好によって人間工学的に構成される。システム構成メニューインターフェース８０２は、本開示の以降で説明されるであろう。システム構成メニューインターフェースが、タッチまたは圧力起動可能な単一の起動ボタンを構成し得る、システム設定メニューボタン２１４の起動に応じて表示されると、図８ａに示されるアイコンは、図８ｂによって図示される「メニューを閉じる」ボタンによって置換される。
【００５２】
本開示のある実施形態によると、ヘッダ部分１０２は、上記に説明される特徴２００、２０２、２０４、２０６、２０８、２１０、２１２、および２１４の全て、または任意の組み合わせにおける特徴２００、２０２、２０４、２０６、２０８、２１０、および２１４のいくつかのみを提供され得る。
【００５３】
（グラフィカルユーザインターフェースの中心監視部分）
中心監視部分１０６は、１つ以上の区分１０８に分割され、これらは、１つもしくはそれを上回るセンサモジュールに関連する情報を表示する、および／または心肺バイパス機械１を動作させる、もしくはその動作を促進する際に有用な１つもしくはそれを上回る機能性（すなわち、ユーザモジュール）を提供するために使用される。人工心肺機械環境または他の心肺バイパス機械への適用に関して、中心監視部分１０６を「象限」と称され得る４つの区分１０８に分割することは、最適な効率的な空間の使用を提供し、人間工学的なユーザ中心かつ構成可能な監視インターフェースを提供する。しかしながら、他の用途に関して、他の数の区分１０８が、好ましくあり得る。例えば、中心監視部分は、２つの区分、または３つの区分、または５つの区分、または６つの区分、または７つの区分、もしくは８つの区分に分割され得る。中心監視部分の区分の各々は、実質的に対称であり得る（すなわち、同一のサイズおよび形状を有する）、またはそれらは、非対称であり得る（すなわち、いくつかの区分は、他の区分と異なるサイズおよび／または形状を有し得る）。
【００５４】
区分１０８の各々は、１〜４つのユーザ構成可能なタブ付き表示ページを含むように個別に構成可能であり得る、または区分１０８の各々は、ユーザ構成可能である単一のタブなし表示ページを構成し得る。本開示のいくつかの実施形態によると、区分１０８のいくつかは、１〜４つのユーザ構成可能なタブ付き表示ページを含み、区分１０８のいくつかは、単一のタブなし表示ページを構成する。本開示のある実施形態によると、中心監視部分１０６は、区分１０８ａに関する１つのタブなし表示ページならびに複数のタブ付き表示ページを含む３つの区分１０８ｂ、１０８ｃ、および１０８ｄを提供される。
【００５５】
本開示による表示ページは、区分１０８の境界線内に表示されるグラフィカル画像であり、その中に、これは、限定される。表示ページは、表示されると、その区分を完全に被覆するか、またはその区分１０８の表示空間の実質的大部分を被覆するかのいずれかである。本開示による表示ページは、ポップアップ画像ではなく、これは、１つを上回る区分１０８に重複しない。したがって、本開示による表示ページは、その区分１０８の境界線１０７の領域内に留まり、別の区分１０８内に位置するその近傍の表示ページのいずれかに侵入しない。このように表示ページを限定することは、近傍の区分からの表示ページが、互いに重複し得ず、したがって、それらが、別の区分の表示ページによって表示される、データおよびアラームを含む画像を被覆しない、または不明瞭にし得ない利点を有する。本開示による表示ページは、タブなし表示ページまたはタブ付き表示ページのいずれかとして構築される。
【００５６】
（タブなし表示ページ）
区分１０８ａの表示ページ１１５等のタブなし表示ページは、いかなるタブも有していない。タブなし表示ページ１１５は、図９等によって示されるように、１つ以上のセクタ１２２ａ、１２２ｂ、１２２ｃ、１２２ｄ、１２２ｅ、１２２ｇ、１２２ｆ、および１２２ｈを含み得る。本開示の非限定的実施形態によると、タブなし表示ページ１１５は、主として、センサデータを表示し、随意に、心肺バイパス機械１の動作に関連する他の情報を表示する、センサモジュール表示ページとして構成される。本開示のある実施形態によると、タブなし表示ページ１１５は、灌流技師等の心肺バイパス機械１を動作させる人によって連続的に監視可能であるように、情報が連続的に表示されることを要求する様式で、心肺バイパス機械１の動作に重要な時間依存情報を表示する。このように、グラフィカルユーザインターフェース１００を監視する人物は、タブなし表示ページ１１５によって表示される情報への一定の直接的な視覚アクセスを有し得る。
【００５７】
図９から明白であるように、センサデータを表示するように構成されるタブなし表示ページ１１５のそれらのセクタは、それ自身のモジュール設定メニューボタン１２４を含む。各モジュール設定メニューボタン１２４は、各モジュール設定メニューボタン１２４がモジュール構成メニューインターフェースを起動するために使用されることを除いて、システム設定メニューボタン２１４と類似する。本開示のある実施形態によると、モジュール設定メニューボタン１２４は、図８ａに示されるようなアイコンによって表され得る。モジュール構成メニューインターフェースは、グラフィカルユーザインターフェース１００のセクタに関する対応するモジュールを構成するために使用され、したがって、これは、モジュールの機能性を設定し、センサモジュールを介してセクタに適切なセンサをリンクするユーザの選好によってセンサデータを表示するように構成され、これは、情報ディスプレイを提供される。種々の非限定的情報ディスプレイ１２５ａ、１２５ｂ、１２５ｃ、１２５ｄ、１２５ｆ、および１２５ｇが、その対応するセクタ内でその対応するセンサモジュールに関して図９に図示される。種々の具体的センサモジュールタイプの構成は、本開示の以降でより詳細に説明される。
【００５８】
種々のモジュール構成メニューインターフェースが、本開示の以降でより詳細に説明されるであろう。モジュール構成メニューインターフェースが、タッチまたは圧力感受性の単一の起動ボタンを構成し得る、モジュール設定メニューボタン１２４の起動に応じて表示されると、モジュール構成メニューインターフェースは、モジュール構成メニューインターフェースを閉じるために設計された圧力またはタッチ感受性ボタンを起動することによって閉じられるまで、その象限内に表示されたままである。本開示のある実施形態では、モジュール構成メニューインターフェースが表示されると、これは、モジュールが位置する象限全体を被覆するが、グラフィカルユーザインターフェース１００の任意の他の象限のいずれの部分も被覆しない。
【００５９】
図３から明白なように、本開示のある実施形態によると、タブなし表示ページの全てのセクタが、利用される必要があるわけではない。図９から明白なように、本開示のある実施形態によると、タブなし表示ページの各セクタは、選択的に利用され得るが、セクタのいくつかは、センサモジュールとの併用のために構成され得、セクタのいくつかは、非センサモジュールとの併用のために構成され得る。図９では、例えば、セクタ１２２ｈは、情報ディスプレイ１２５ｈを提供される非センサモジュールによって提供される非センサデータを表示するように構成される。
【００６０】
（タブ付き表示ページ）
図３の、例えば、区分１０８ｂのタブ付き表示ページ１１０、１１１、１１２、１１４等のタブ付き表示ページは、それらが、それぞれ、表示ページの一部から延在する、それぞれ、タブ１１０ａ、１１１ａ、１１２ａ、１１４ａを含むため、タブ付きとして特徴付けられる。本開示のある実施形態によると、各タブ１１０ａ、１１１ａ、１１２ａ、１１４ａは、それぞれ、その表示ページ１１０、１１１、１１２、１１４の底部部分から延在する。しかしながら、他の実施形態によると、タブは、全て表示ページの右側から延び得る、またはそれらは、全て表示ページの左側から延び得る、またはそれらは、全てタッチスクリーンモニタ１５の側に向かって側方に延び得る、またはそれらは、全てタッチスクリーン１７の内部に向かって延び得る、もしくはそれらは、全て表示ページの上部から延び得る。
【００６１】
タブ１１０ａ、１１１ａ、１１２ａ、１１４ａは、複数の機能を果たす。第１に、タブは、ユーザが、区分１０８が有する表示ページの数を確認することを可能にする。例えば、図３ａでは、４つの区分１０８が、非限定的例証的実施形態において示される。時計回りに、４つの区分１０８は、それぞれ、ヘッダ部分１０２と境界する、左上区分１０８ａおよび右上区分１０８ｂと、それぞれ、フッタ部分１０４と境界する、右下区分１０８ｃおよび左下区分１０８ｄとを含む。右上区分１０８ｂは、対応する個別のタブ１１０ａ、１１１ａ、１１２ａ、および１１４ａを伴う、４つのタブ付き表示ページ１１０、１１１、１１２、および１１４を含む。左下区分１０８ｄは、３つのタブ付き表示ページ１１６、１１８、および１２０を含み、その対応するタブは、それぞれ、タブ１１６ａ、１１８ａ、および１２０ａである。右下区分１０８ｃは、それぞれ、２つのタブ付き表示ページ１２１および１２３を含み、その対応するタブは、タブ１２１ａおよび１２３ａである。左上区分は、表示ページがいかなるタブも有していないため、単一のタブなし表示ページ１１５を表示する。
【００６２】
第２に、各タブは、表示されたアイコンに対応する表示ページの性質に関する情報を表示する、１つ以上のグラフィカル表示アイコンを提供する。例えば、本開示の非限定的実施形態によると、タブ１１０ａは、心筋保護液に特に関連するデータを監視するモジュールを表示するものとしてのタブ付き表示ページ１１０を識別する略語「ＣＰＬ」を表示し、これは、心臓外科手術中の心肺バイパスにおける患者の心臓活動の意図的かつ一時的な停止に関連する。したがって、タブ１１０ａは、心筋保護液タブと称され得、タブ付き表示ページ１１０は、心筋保護液表示ページと称され得る。
【００６３】
タブ１１１ａは、タイマデータを表示するものとしてのタブ付き表示ページ１１１を識別するクロックアイコンを表示する。したがって、タブ１１１ａは、タイマタブと称され得、タブ付き表示ページ１１１は、タイマ表示ページと称され得る。
【００６４】
タブ１１２ａは、患者の身重、体重、およびＤｕＢｏｉｓ、Ｂｏｙｄ、またはＭｏｓｔｅｌｌｅｒのいずれかによる公知のＢＳＡ公式のうちの１つを使用して計算される体表面積（ＢＳＡ）に基づいて、心肺パイバスにおいて患者の標的血流を計算するために使用され得るような、体重ベースの標的流量計算器にダイレクトされるようなタブ付き表示ページ１１２を識別する心臓パーセンテージアイコンを表示する。したがって、タブ１１２ａは、標的流量計算器タブと称され得、タブ付き表示ページ１１２は、標的流量計算器表示ページと称され得る。
【００６５】
タブ１１４ａは、心肺パイバス手技に先立って、およびその間に種々の灌流パラメータを計算するために使用され得るような、灌流計算器にダイレクトされるようなタブ付き表示ページ１１４を識別するＢＳＡ計算器アイコンを表示する。内蔵プロセッサ３０によって実装され得るような灌流計算器の実施例は、２０１５年５月１３日に出願された、米国仮特許出願第６２／１６０，６８９号およびその対応する米国特許出願公開第ＵＳ  ＸＸＸＸ／ＹＹＹＹＹＹＹＹ号（その両方が、それらが開示する全てに関して、参照することによってその全体として本明細書に組み込まれる）によって開示されている。タブ１１４ａは、灌流計算器タブと称され得、タブ付き表示ページ１１４は、灌流計算器ページと称され得る。
【００６６】
タブ１１６ａおよび１２１ａは、圧力測定、温度測定、気泡検出、およびリザーバ流体レベル測定等にダイレクトされる複数のアイコンを表示し、それによって、心肺バイパス機械１の体外血流回路の種々の部分に関する圧力測定、温度測定、気泡検出、および流体レベル測定にダイレクトされる１つ以上のタイプのセンサに関連する選択されたセンサモジュールからのデータの表示にダイレクトされるような個別のタブ付き表示ページ１１６および１２１を識別する。したがって、タブ１１６ａおよび１２１ａは、センサタブと称され得、タブ付き表示ページ１１６および１２１は、センサデータ表示ページと称され得る。
【００６７】
タブ１１８ａは、心肺バイパス機械１に関連付けられる別個のヒータ−クーラユニット８５の遠隔監視および制御にダイレクトされるようなタブ付き表示ページ１１８を識別する太陽および雪片アイコンを表示する。ヒータ−クーラユニット８５は、心肺パイバス中に患者の温度を監視および制御することに役立つように提供され、プロセッサ３０に患者温度データを提供し、プロセッサ３０から制御信号を受信するように動作可能に接続され得る。したがって、タブ１１８ａは、ヒータ／クーラ遠隔制御タブと称され得、タブ付き表示ページ１１８は、ヒータ／クーラ遠隔制御ページと称され得る。
【００６８】
タブ１２０ａは、基本的な数学的演算（例えば、加算、減算、乗算、除算）を実施するために使用され得るような、基本計算器にダイレクトされるようなタブ付き表示ページ１２０を識別する計算器アイコンを表示する。したがって、タブ１２０ａは、計算器タブと称され得、タブ付き表示ページ１２０は、計算器表示ページと称され得る。
【００６９】
タブ１２３ａは、心肺バイパス機械１が、体外血流回路の少なくとも一部において脈動波を生成することが可能な随意の動脈ポンプを採用するときにイネーブルにされる、脈動流制御モジュールにダイレクトされるようなタブ付き表示ページ１２３を識別する脈動波アイコンを表示する。したがって、タブ１２３ａは、脈動流タブと称され得、タブ付き表示ページ１２３は、脈動流制御表示ページと称され得る。
【００７０】
図３ｂは、図３ａのグラフィカルユーザインターフェース１００とは異なる構成を図示する。これらの２つの構成は、グラフィカルユーザインターフェース１００のユーザに利用可能な多数の構成からの２つの可能な構成のみを表すことを理解されたい。各構成は、ユーザがグラフィカルユーザインターフェース１００をユーザの個人的嗜好にカスタマイズすることを可能にするために利用可能な設定機能性を使用して、グラフィカルユーザインターフェース１００のユーザによって選択可能に構成され得る。
【００７１】
図３ｂは、対応するタブ付き表示ページ１２７の機能性を表す、別の一意のアイコンを提供される２つの付加的タブ１２７ａを図示する。この場合、タブ付き表示ページ１２７は、血液監視ユニット（ＢＭＵ）インターフェース表示ページを構成し、そのタブ１２７ａは、ＢＭＵインターフェースタブを構成する。理解されるはずであるように、他のアイコンも、対応するタブ付き表示ページの機能性を表すために使用され得る。言い換えると、本開示の範囲は、本明細書に明示的に開示される特定のアイコンおよびタブ付き表示ページに限定されるように解釈されるべきではない。
【００７２】
各タブは、ユーザがタッチスクリーンモニタ１５のタッチスクリーン１７上のタブをタッチまたは押下すると、選択機能を実施する。本特徴は、図３ａおよび３ｂを比較することによって明白である。図３ａでは、区分１０８ｂの表示されるタブ付き表示ページは、タブ付き表示ページ１１１であり、これは、以前のある時点で、ユーザがタッチスクリーン１７上のタブ１１１ａを押下する必要があったための場合である。タッチスクリーン１７上のタブ１１１ａを押下することは、プロセッサ３０が、タッチスクリーンモニタ１５にタイマ表示ページであるタブ付きページ１１１を表示させることをもたらし、したがって、これは、グラフィカルユーザインターフェース１００の区分１０８ｂにおいて前面に出現する。他のタブ付き表示ページ１１０、１１２、１１４は、その個別のタブ１１０ａ、１１２ａ、１１４ａを除いて、可視ではない。これは、表示されたタブ付き表示ページ１１１が、タブ付き表示ページ１１０、１１２、および１１４にオーバーレイするように出現する視覚効果を生じ、これらは、閲覧できない。
【００７３】
本開示の目的として、タブ付き表示ページがその区分において前面に表示されると、これは、表示モードにあると考えられ得る。タブ付き表示ページが、表示モードにあるタブ付き表示ページによってオーバーレイされるように出現するとき、視覚的にオーバーレイされたタブ付き表示ページは、オーバーレイモードにあると考えられる。したがって、図３ａの区分１０８ｂに関して、タブ付き表示ページ１１１は、表示モードにあり、タブ付き表示ページ１１０、１１２、および１１４は、オーバーレイモードにある。本開示のある実施形態によると、区分内の複数のタブ付き表示ページは、初期化に応じてデフォルトにされ、最も左のタブ付き表示ページを表示モードにおいて表示し、残りのタブ付き表示ページをオーバーレイモードにおいて表示し得る。
【００７４】
図３ｂでは、区分１０８ｂの表示されるタブ付き表示ページは、タブ付き表示ページ１１０であり、これは、以前のある時点で、ユーザがタッチスクリーン１７上のタブ１１０ａを押下する必要があった、または区分１０８ｂが初期化されたばかりであるための場合である。タッチスクリーン１７上のタブ１１０ａを押下することは、プロセッサ３０が、タッチスクリーンモニタ１５に心筋保護液表示ページであるタブ付きページ１１０を表示させることをもたらし、したがって、これは、グラフィカルユーザインターフェース１００の区分１０８ｂにおいて前面に出現する。他のタブ付き表示ページ１１１、１１２、１１４は、その個別のタブ１１１ａ、１１２ａ、１１４ａを除いて、可視ではない。これは、表示されたタブ付き表示ページ１１０が、表示ページ１１１、１１２、および１１４にオーバーレイするように出現する視覚効果を生じ、これらは、閲覧できない。したがって、図３ｂの区分１０８ｂに関して、タブ付き表示ページ１１０は、表示モードにあり、タブ付き表示ページ１１１、１１２、および１１４は、オーバーレイモードにある。
【００７５】
図面に明示的に示されないが、外挿によって、タッチスクリーン１７上のタブ１１２ａへのタッチまたは圧力は、プロセッサ３０が、タッチスクリーンモニタ１５に、グラフィカルユーザインターフェース１００を介して、標的流量計算器表示ページであるタブ付き表示ページ１１２を表示させることをもたらし、したがって、これは、区分１０８ｂにおいて前面に（すなわち、表示モードにおいて）出現する一方、他のタブ付き表示ページ１１０、１１１、および１１４は、オーバーレイされて（すなわち、オーバーレイモードにおいて）出現し、その個別のタブ１１０ａ、１１１ａ、および１１４ａを除いて閲覧できないことを理解されたい。同様に、タッチスクリーン１７上のタブ１１４ａへのタッチまたは圧力は、プロセッサ３０が、タッチスクリーンモニタ１５に、グラフィカルユーザインターフェース１００を介して、灌流計算器ページであるタブ付き表示ページ１１４を表示させることをもたらし、したがって、これは、区分１０８ｂにおいて前面に（すなわち、表示モードにおいて）出現する一方、他のタブ付き表示ページ１１０、１１１、および１１２は、オーバーレイされて（すなわち、オーバーレイモードにおいて）出現し、その個別のタブ１１０ａ、１１１ａ、および１１２ａを除いて閲覧できない。
【００７６】
表示モードならびにオーバーレイモードに関するタブおよびタブ付き表示ページの本タブ機能性は、ユーザが、ネスト化階層化ページ構造を通して移動する必要なく、１つのタブ付き表示ページから別のものに視覚的に移動することを可能にする。区分１０８ｂの構造は、対応するタブ付き表示ページを表示モードに遷移させる一方、残りのタブ付き表示ページをオーバーレイモードに同時に遷移させるためにタッチまたは圧力起動可能であるそのタブとともに、タブ選択可能ページ構造として特徴付けられ得、これは、米国特許第４，７１２，１９１号（参照することによってその全体として本明細書に組み込まれる）によって開示されるもの等の従来のネスト化階層化ページ構造とは実質的に異なる。図３ａおよび３ｂから理解されるはずであるように、区分１０８ｂ、１０８ｃ、および１０８ｄは、それぞれ、それ自身のタブ選択可能ページ構造を保有する。
【００７７】
タブ選択可能ページ構造の利点は、ユーザが、適切なタブに対する単一のタッチまたはプッシュによって、区分内のタブ付き表示ページのうちのいずれか１つから同一の区分内のタブ付き表示ページのうちの任意の他の１つに直接移動し得ることである。例えば、ユーザは、タブ１１０ａを起動することによって、タブ付き表示ページ１１１からタブ付き表示ページ１１０に直接移動し得る、またはタブ１１２ａを起動することによって、タブ付き表示ページ１１１からタブ付き表示ページ１１２に直接移動し得る、もしくはタブ１１４ａを起動することによって、タブ付き表示ページ１１１からタブ付き表示ページ１１４に直接移動し得る。したがって、タブ選択可能ページ構造は、ネスト化ページ構造では可能ではない、１つのタブ付き表示ページから別のタブ付き表示ページへの移動の柔軟性を可能にする。例えば、ユーザは、最初に、タブ１１０ａを起動し、タブ付き表示ページ１１０が表示モードになった後、次いで、タブ１１４ａを起動することによって、タブ付き表示ページ１１２からタブ付き表示ページ１１０に、次いで、タブ付き表示ページ１１４に移動し得る。タブ付き表示ページ間の移動の柔軟性を例証する本実施例は、区分内のタブ付き表示ページ間の連続的移動の任意の順列が本開示の範囲内であるため、非限定的であり、例証のみを目的とする。
【００７８】
タブ選択可能ページ構造の別の利点は、タブが、各タブ付き表示ページの一部として構成され得る種々のモジュールのアラームステータスをユーザにアラートするために使用され得ることである。例えば、本開示のある実施形態によると、タブ付き表示ページがオーバーレイモードにあり、オーバーレイされたタブ付き表示ページのコンポーネントである任意のセンサモジュールまたは任意の非センサモジュールがアラーム状態に遷移するときは常に、オーバーレイされたタブ付き表示ページの対応するタブは、アラームモードに遷移し、アラーム状態にユーザの注意を向けさせるために、点滅または明滅し、場合によっては変色し得る。このように、ユーザは、アラームを発するタブによって、そのアラームを発するモジュールに関するオーバーレイされたタブ付き表示ページをチェックするように通知されるであろう。本開示のある実施形態によると、アラームモードは、医療デバイス規格による規定された速度において、通常色とアラーム色との間で点滅することを含む。
【００７９】
非限定的実施例として、図３ｂの区分１０８ｂは、圧力センサモジュール１２９を含み、これは、タブ付き表示ページ１１０が表示モードにあり、タブ付き表示ページ１１１、１１２、および１１４がオーバーレイモードにある間に表示される。図３ａでは、区分１０８ｂのタブ付き表示ページ１１０は、オーバーレイモードにあり、タブ付き表示ページ１１１は、表示モードにある。本状態にあるとき、ユーザは、本開示の以降で説明されるように、圧力センサモジュール１２９の一部として組み込まれるアラームを、それらがアラームを発するときに直接確認することが可能ではないであろう。そのようなアラームは、体外血流回路の一部内の測定された圧力が、最大閾値測定圧力を超える、または最小閾値測定圧力を下回って下降すると、トリガされ得る。
【００８０】
タブ１１０ａは、タブ付き表示ページ１１０が図３ａのオーバーレイモードにあるにもかかわらず、依然として可視であるため、タブ１１０ａは、アラームを発する圧力センサモジュール１２９の通知を提供し得る。本開示のある実施形態によると、圧力センサモジュール１２９がアラームを発するべきであり、タブ付き表示ページ１１０がオーバーレイモードにあるとき、プロセッサ３０は、タブ１１０ａをアラームモードに遷移させ、タブ１１０ａは、点滅および変色し得る。本開示のある実施形態によると、タブ毎のアラームモードは、その背景色と、中優先順位アラームに関して黄色および高優先順位アラームに関して赤色等の適切なアラーム色との間で点滅することを伴う。
【００８１】
タブが点滅および／または変色する方法に基づいて、アラームを発するタブは、これが高優先順位アラーム、中優先順位アラーム、または低優先順位アラームを構成するか等、アラームの性質に関してユーザに通知し得る。例えば、本開示のある実施形態によると、黄色で点滅するタブは、中優先順位アラームを示し得、赤色で点滅するタブは、高優先順位アラームを示し得る。本開示のある実施形態によると、低優先順位アラームは、付加的点滅を伴わずに、タブの背景色からシアン色または黄色への変色を構成する。したがって、例えば、その背景色から定常シアン色または定常黄色に遷移するタブは、低優先順位アラーム状態を示している。一方、黄色で点滅し始めるタブは、中優先順位アラーム状態を示し、赤色で点滅し始めるタブは、高優先順位アラーム状態を示す。点滅の速度もまた、アラームの優先度に対応し得る。例えば、中優先順位アラームに従って黄色で点滅する速度は、高優先順位アラームに従って赤色で点滅する速度よりも遅くあり得る。しかしながら、低優先順位アラームは、色がシアン色または黄色であるかにかかわらず、アラーム色の定常非点滅表示を維持する。
【００８２】
したがって、本開示のある実施形態では、アラームを発するタブは、オーバーレイされたタブ付き表示ページのアラームを発するモジュールの深刻度を示す色付き状態に遷移し得る。例えば、アラームを発するタブは、高優先順位アラームを通知するために、全体を通して赤色を保有する、またはタブの一部の上のみに赤色を保有するように遷移し得る一方、アラームを発するタブは、中または低優先順位アラームを通知するために、全体を通して黄色を保有する、またはタブの一部の上のみに黄色を保有するように遷移し得る。アラームを発するタブはまた、低優先順位アラームを通知するために、全体を通してシアン色を保有する、またはタブの一部の上のみにシアン色を保有するように遷移し得る。本開示のために採用されるアラーム色スキームは、医療デバイスに関する標準的色スキームに従う。他の色スキームも、グラフィカルユーザインターフェース１００が非医療デバイスのみとの併用のために採用されるとき、採用され得る。
【００８３】
したがって、アラームを表示することが可能なタブ付き表示ページに関連付けられる、本開示による各タブは、関連付けられるタブ付き表示ページがオーバーレイモードにあり、オーバーレイされたタブ付き表示ページのいくつかのモジュールがアラームを発するべきであるとき、アラームモードに遷移することが可能である。タブ１１０ａのアラーム機能性が詳細に説明されたが、本アラーム機能性は、他のタブ１１１ａ、１１６ａ、１１８ａ、および１２１ａのそれぞれによって保有され、例えば、その関連付けられるタブ付き表示ページは、ユーザが注意を払う必要があるアラーム状態を有するセンサモジュールまたは非センサモジュールを保有する。
【００８４】
グラフィカルユーザインターフェース１００の一般的構造、すなわち、タブなし表示ページおよびタブ付き表示ページのタブ選択可能ページ構造を説明したが、タブなし表示ページおよび／またはタブ付き表示ページのいずれかのコンポーネントモジュールとして採用され得る、種々のセンサモジュールおよび非センサモジュールが、以下のように説明される。
【００８５】
（圧力センサモジュール）
心肺パイバスシステム１は、典型的には、体外血流回路３上の種々の所望の点における圧力を測定し、表示のためにグラフィカルユーザインターフェース１００に圧力データを出力する前にこれを処理し得るプロセッサ３０に圧力データを入力するために配置される、１つ以上の圧力センサ５０を提供される。各圧力センサ５０からのデータは、図１０ａおよび１０ｂ等に示される対応する一意の圧力センサモジュール１５２によって表示される。図１０ａは、図１０ａが圧力データをｍｍＨｇにおいて表示し、図１０ｂが圧力データをｋＰａにおいて表示することを除いて、図１０ｂと類似する。各圧力センサモジュール１５２は、ユーザの選好による用途および設定に応じて、タブなし表示ページのコンポーネントとして、またはタブ付きセンサ表示ページのコンポーネントとして、もしくはタブ付き心筋保護液表示ページのコンポーネントとしてかどうかにかかわらず、４つの象限１０８のいずれかの中に表示され得る表示モジュールである。非限定的実施例として、圧力センサモジュールは、図３ｂに示されるように、タブなし表示ページ１１５のコンポーネントとして、かつタブ付き心筋保護液表示ページ１１０のコンポーネントとして図示される。
【００８６】
図１０ａに示されるように、各一意の圧力センサモジュール１５２は、タイトルフィールド１５４を含み、これは、それから表示されるデータが取得される圧力センサ５０に関連する一意の識別子を表示する英数字フィールドである。一意の識別子は、「Ｐｘ−，」の形態を有し得、ｘは、具体的圧力センサに対応する数字であり、体外血流回路に沿った場所を示し得るような、センサ名称が続く。図１０ａに示されるセンサ名称は、単に、例示的であり、例証を目的とし、限定であることを意味しない。
【００８７】
各圧力センサモジュール１５２はまた、圧力センサ５０によって測定された圧力データの値を表示する数字フィールドである圧力値データフィールド１５６と、圧力センサ５０によって測定された圧力データの単位を表示する英数字フィールドである圧力値単位フィールド１５７とを含む。各圧力センサモジュール１５２はさらに、以下により詳細に説明されるように、心肺パイバス機械１のポンプ３８の相互作用にリンクまたはリンク解除し得る介入ボタン１５８を含み得る。各圧力センサモジュール１５２はまた、上で議論されるようなモジュール設定メニューボタン１２４を含む。
【００８８】
各圧力センサモジュール１５２はさらに、図１０ｃ、１０ｄ、１０ｅ、１０ｆ、および１０ｇによって図示されるような複数のアラーム指示状態を含み得る。例えば、図１０ｃによって示されるように、圧力センサ５０が、停止限界値に到達する、および／またはそれを超える体外血流回路内の圧力を測定すると、圧力センサモジュール１５２は、圧力高優先順位アラーム状態に切り替わる。圧力高優先順位アラーム状態は、種々の方法で構成され得る。一非限定的実施形態では、圧力高優先順位アラーム状態は、３つの感嘆符を伴う三角形等の警告シンボルおよび赤色バナーを表示することを伴い、これは、医療デバイスに関する産業規格に従って決定された速度（すなわち、１．４Ｈｚ〜２．８Ｈｚの点滅周波数および２０％〜６０％のデューティサイクル）において点滅する。本開示の別の実施形態では、上記に開示される圧力高優先順位アラーム状態の視覚コンポーネントに加えて、またはその置換として、圧力高優先順位アラーム状態は、事前決定されたケイデンスにおいてパルスを発する音（例えば、高音ビープ音）から成る聴覚アラームを含み得る。
【００８９】
図１０ｄによって示されるように、圧力センサ５０が、停止限界値よりも実質的に低い閾値限界値に到達する、および／またはそれを超える体外血流回路内の圧力を測定すると、圧力センサモジュール１５２は、圧力中優先順位アラーム状態に切り替わる。圧力中優先順位アラーム状態は、種々の方法で構成され得る。一非限定的実施形態では、圧力中優先順位アラーム状態は、２つの感嘆符を伴う三角形等の警告シンボルおよび黄色バナーを表示することを伴い、これは、別の事前決定された速度（すなわち、０．４Ｈｚ〜０．８Ｈｚの点滅周波数および２０％〜６０％のデューティサイクル等）において点滅する。本開示の別の実施形態では、上記に開示される圧力中優先順位アラーム状態の視覚コンポーネントに加えて、またはその置換として、圧力中優先順位アラーム状態は、別の事前決定されたケイデンスにおいてパルスを発する音（例えば、高優先順位アラーム状態の高音ビープ音よりも実質的に低音のビープ音）から成る聴覚アラームを含み得る。
【００９０】
図１０ｅによって示されるように、圧力センサ５０が、閾値限界値よりも実質的に低いアラーム限界値に到達する、および／またはそれを超える体外血流回路３内の圧力を測定すると、圧力センサモジュール１５２は、圧力低優先順位アラーム状態に切り替わる。圧力低優先順位アラーム状態は、種々の方法で構成され得る。一非限定的実施形態では、圧力低優先順位アラーム状態は、単一の感嘆符を伴う三角形等の警告シンボルおよびシアン色バナーを表示することを伴い、これは、非点滅様式（すなわち、デューティサイクルは、１００％である）において提示される。本開示の別の実施形態では、上記に開示される圧力低優先順位アラーム状態の視覚コンポーネントに加えて、またはその置換として、圧力低優先順位アラーム状態は、別の事前決定されたケイデンスにおいてパルスを発する音（例えば、圧力中優先順位アラーム状態の中音ビープ音よりも実質的に低音のビープ音）から成る聴覚アラームを含み得る。
【００９１】
したがって、上記の実施例によると、停止限界値に関する圧力値は、閾値限界値に関する圧力値を上回り、これは、アラーム限界値に関する圧力値を上回る。加えて、医療デバイスに関する産業規格による、高、中、および低優先順位アラームバナーに関する特定の色スキーム、すなわち、それぞれ、赤色、黄色、およびシアン色が、圧力測定に関して説明されている。しかしながら、グラフィカルユーザインターフェース１００が、非医療環境において採用されるとき、他の色スキームも、採用され得る。
【００９２】
圧力高優先順位アラーム状態が起動されている場合では、圧力センサ５０によって測定された圧力は、停止限界値に到達している、および／またはそれを超えており、これは、その圧力が圧力センサ５０によって監視される、体外血流回路３の少なくともその部分における圧力を速やかに低減させる必要性があることを意味する。そのような圧力の速やかな低減をもたらすための１つの方法は、圧力を減少させるためにポンプ活動を減少させる自動的圧力補正アルゴリズムを提供することである。圧力が設定された閾値を下回って降下するに関連付けられるポンプは、自動的圧力補正アルゴリズムに従って、活動を自動的に再開する。しかしながら、介入ボタン１５８が、提供され得、これは、ユーザによってタッチまたは圧力起動されると、そうでなければ特定の血液ポンプ３８の動作に影響を及ぼすであろう自動的圧力補正アルゴリズムを無効にする。
【００９３】
非限定的実施例として、図１０ａによると、介入ボタン１５８は、特定のポンプ、すなわち、動脈ポンプ３８への動作可能なリンクを示す。圧力が停止限界値を超えると、自動的圧力補正アルゴリズムが、起動され、したがって、プロセッサ３０は、圧力を低減させる様式で動脈ポンプ３８の動作を制御する（すなわち、ポンプ３８は、圧力を低減させるために、完全または部分的に遮断される）。しかしながら、ユーザによる介入ボタン１５８の手動起動によって、自動的圧力補正アルゴリズムは、２秒にわたって選択的に無効にされ得る。
【００９４】
いかなる介入機構もポンプに関連付けられていない場合では、介入ボタン１５８は、自動的圧力補正アルゴリズムを無効にし得るような、ポンプと介入ボタン１５８との間のいかなるリンクも示さないように、図１１ａのように現れる。介入ボタン１５８が図１１ａによって示される状態にあるとき、ユーザは、介入ボタン１５８とポンプ３８との間の関連付けの欠如に起因して、ポンプ３８の自動的圧力補正アルゴリズムの動作を手動で無効にすることができない。しかしながら、介入ボタン１５８が図１１ｂのように現れるとき、誤動作または他の意図されない介入ボタン１５８とポンプ３８との間の機能的切断が、検出され、これは、介入ボタン１５８が自動的圧力補正アルゴリズムの動作を無効にすることを妨げる。
【００９５】
圧力センサモジュール１５２によって現れ得る他の圧力アラーム状態は、図１０ｆ、１０ｇ、および１０ｈに図示される状態を含む。図１０ｆでは、圧力センサモジュール１５２は、圧力センサ５０がセンサパネルから切断するときに起こり得るような、圧力センサ５０がプロセッサ３０から切断される状態を示している。図１０ｇでは、圧力センサモジュール１５２は、圧力センサ５０が誤動作している状態を示している。図１０ｈでは、圧力センサモジュール１５２は、圧力センサ５０が「オフ」構成にあるとき等、圧力センサ５０が利用不可能である状態を示している。
【００９６】
（気泡検出センサモジュール）
心肺パイバスシステム１は、典型的には、体外血流回路３上の種々の所望の点における血流内の気泡を検出し、表示のためにグラフィカルユーザインターフェース１００に気泡検出データを出力する前にこれを処理し得るプロセッサ３０に気泡検出データを入力するために配置される、１つ以上の気泡センサ６０を提供される。各気泡検出センサ６０からのデータは、図１２等に示されるような対応する一意の気泡検出センサモジュール１６２によって表示される。各気泡検出センサモジュール１６２は、ユーザの選好による用途および設定に応じて、タブなし表示ページのコンポーネントとして、またはタブ付きセンサ表示ページのコンポーネントとして、もしくはタブ付き心筋保護液表示ページのコンポーネントとしてかどうかにかかわらず、４つの象限１０８のいずれかの中に表示され得る表示モジュールである。非限定的実施例として、気泡検出センサモジュールは、図３ｂに示されるように、タブなし表示ページ１１５のコンポーネントとして、かつタブ付き心筋保護液表示ページ１１０のコンポーネントとして図示される。
【００９７】
図１２に示されるように、各一意の気泡検出センサモジュール１６２は、タイトルフィールド１６４を含み、これは、それから表示されるデータが取得される気泡検出センサ６０に関連する一意の識別子を表示する英数字フィールドである。一意の識別子は、「Ｂｘ−，」の形態を有し得、ｘは、具体的気泡検出センサに対応する数字であり、体外血流回路に沿った場所を示し得るような、センサ名称が続く。図１２に示されるセンサ名称は、単に、例示的であり、例証を目的とし、限定であることを意味しない。
【００９８】
各気泡検出センサモジュール１６２はまた、気泡レベルアイコンを介して、気泡検出センサ６０によって取得される気泡検出データを表示するグラフィカルフィールドである、気泡検出データフィールド１６６と、気泡検出モジュール１６２が気泡検出高優先順位アラームの状態にあるとき、検出される気泡のサイズをリセットするために、タッチまたは圧力によって起動され得る、リセットボタン１６７とを含む。気泡検出モジュール１６２が高優先順位アラームの状態にあり、それによって、事前決定された閾値を超える気泡の検出を示すとき、体外血流回路３内の血液流体の流量を低減させ、気泡が患者に進入する前にそれらを除去する必要性がある。したがって、灌流技師または心肺バイパス機械１の他のオペレータは、気泡検出センサモジュール１６２が気泡検出高優先順位アラーム状態に入ると、必要に応じて、検出された気泡を除去するための是正措置が講じられていることを確実にしなければならない。
【００９９】
次いで、気泡検出高優先順位アラーム状態は、大きい検出された気泡を除去するための是正措置が講じられるまで持続する必要性がある。その結果、リセットボタン１６７は、気泡検出モジュール１６２が気泡検出高優先順位アラームの状態にないとき、選択のために利用不可能である。気泡検出センサモジュール１６２が気泡検出高優先順位アラーム状態に入ると、リセットボタン１６７は、選択のために利用可能になる。しかしながら、リセットボタン１６７のタッチまたは圧力起動は、気泡検出センサモジュール１６２のアラームステータスをリセットしないであろう一方、センサ６０は、気泡検出高優先順位アラーム状態に対応する気泡サイズ閾値よりも大きい気泡を検出している。
【０１００】
気泡検出高優先順位アラーム状態が起動される場合では、体外血流回路３から検出された気泡を除去する必要性がある。これらの大きい気泡の除去を開始するための１つの方法は、心肺バイパス機械１のポンプ活動を改変することによって、体外血流回路３を通した血流を減少させる自動的気泡除去アルゴリズムを提供することである。各気泡検出センサモジュール１６２はさらに、ユーザによってタッチまたは圧力起動されると、そうでなければ１つ以上の血液ポンプの動作に影響を及ぼすであろう自動的気泡除去アルゴリズムを無効にし得る、介入ボタン１６８を含み得る。介入ボタン１６８の起動は、以下により詳細に対処されるように、自動的気泡除去アルゴリズムの２秒の無効化を開始する。各気泡検出センサモジュール１６２はまた、上で議論されるようなモジュール設定メニューボタン１２４を含む。
【０１０１】
気泡検出データフィールド１６６の気泡レベルアイコンは、図１３ａ、１３ｂ、１３ｃ、および１３ｄを参照して説明される。気泡レベルアイコンは、複数のレベルの事前決定された検出可能気泡サイズを表示することが可能である。ユーザ選択された気泡検出サイズは、図に示される白色リング等によって示されるような、選択された気泡サイズの周囲のリングとして示される。例証される実施形態は、白色リングを採用するが、リングに関する他の色も、それらが気泡検出センサモジュール６２のユーザによって容易に理解される限り、採用され得る。図１３ｂから明白なように、気泡レベルアイコンの各円は、より高い優先順位アラームをトリガするために選択されるものよりも小さい気泡の検出（すなわち、微小気泡活動の検出）を示すように、気泡検出中優先順位アラーム状態を表す色で、塗り潰され、最も左の円において始まり、選択された気泡検出サイズを表す円（すなわち、白色円によって囲繞された円）の前で終わる。この場合、気泡検出中優先順位アラーム色は、これが圧力中優先順位アラーム状態を伴うため、黄色であり得る。
【０１０２】
現在の気泡検出活動が、図１３ｃ等によって示されるように、選択された気泡検出サイズを上回る、またはそれに等しいとき、気泡レベルアイコンは、圧力高優先順位アラーム状態に関して採用されるような赤色等の気泡検出高優先順位アラーム色で、最も小さい検出された気泡サイズから最も大きい検出された気泡サイズまで塗り潰される。高優先順位アラームに関する色は、医療デバイスに関する産業規格に従って選択される。高優先順位アラームを示すための赤色以外の他の色の選択は、非医療デバイス用途のみを対象とする実施形態に関連する。
【０１０３】
図１３ｄは、気泡検出センサモジュール１６２が、オンであるように構成される場合を図示するが、しかしながら、いかなる気泡検出センサ６０も、気泡検出センサモジュール１６２に動作可能に取り付けられていない。この場合、気泡検出アイコンの気泡サイズインジケータの全ては、気泡検出センサモジュール１６２の背景色の代わりに、黒色で塗り潰される。本開示の全ての色選択の場合のように、適用される環境が、非医療デバイスのみに関連するとき、黒色以外の別の色が、気泡検出センサモジュール１６２に動作可能に接続される気泡検出センサ６０の不在を示すために使用され得る。
【０１０４】
各気泡検出センサモジュール１６２はさらに、図１４ａ、１４ｂ、１４ｃ、１４ｄ、および１４ｅによって図示されるような複数のアラーム指示状態を含み得る。例えば、図１４ａによって示されるように、気泡検出センサ６０が、選択された気泡検出サイズ値に到達する、および／またはそれを超える体外血流回路内の気泡を検出すると、気泡検出センサモジュール１６２は、気泡検出高優先順位アラーム状態に切り替わる。気泡検出高優先順位アラーム状態は、種々の方法で構成され得る。一非限定的実施形態では、気泡検出高優先順位アラーム状態は、３つの感嘆符を伴う三角形等の警告シンボルおよび赤色バナーを表示することを伴い、これは、医療デバイスに関する産業規格に従って事前決定された速度（すなわち、１．４Ｈｚ〜２．８Ｈｚの点滅周波数および２０％〜６０％のデューティサイクル）において点滅する。加えて、検出された最大気泡サイズに対応する気泡検出サイズインジケータによって示される選択された気泡サイズおよびより小さい気泡サイズインジケータも、同様に赤色で塗り潰される。本開示の別の実施形態では、上記に開示される気泡検出高優先順位アラーム状態の視覚コンポーネントに加えて、気泡検出高優先順位アラーム状態は、医療デバイスに関する産業規格に従って、事前決定されたケイデンスにおいてパルスを発する音（例えば、高音ビープ音）から成る聴覚アラームを含み得る。
【０１０５】
図１４ｂによって示されるように、気泡検出センサ６０が、閾値限界値よりも小さい体外血流回路３内の気泡を検出すると（すなわち、選択された気泡検出サイズ閾値よりも小さい微小気泡の検出）、気泡検出センサモジュール１６２は、気泡検出中優先順位アラーム状態に切り替わる。気泡検出中優先順位アラーム状態は、種々の方法で構成され得る。一非限定的実施形態では、気泡検出中優先順位アラーム状態は、単一の感嘆符を伴う三角形等の警告シンボルおよび黄色バナーを表示することを伴い、これは、別の事前決定された速度において（すなわち、気泡検出高優先順位アラーム状態の点滅速度よりも実質的に遅く、医療デバイスに関する産業規格に従って、０．４Ｈｚ〜０．８Ｈｚの点滅周波数および２０％〜６０％のデューティサイクルから選択される速度において）点滅し得る。本開示の別の実施形態では、上記に開示される気泡検出中優先順位アラーム状態の視覚コンポーネントに加えて、気泡検出中優先順位アラーム状態は、事前決定されたケイデンスにおいてパルスを発する音（例えば、気泡検出高優先順位アラーム状態の高音ビープ音よりも実質的に低音のビープ音）から成る聴覚アラームを含み得る。
【０１０６】
医療デバイスに関する産業規格による、高および中優先順位アラームバナーに関する特定の色スキーム、すなわち、それぞれ、赤色および黄色が、気泡検出に関して説明されている。しかしながら、グラフィカルユーザインターフェース１００が、非医療環境において採用されるとき、他の色スキームも、採用され得る。
【０１０７】
気泡検出センサモジュール１６２が、気泡検出高優先順位アラーム状態に入ると、気泡検出センサモジュール１６２は、リセットボタン１６７が起動され（すなわち、押下またはタッチ起動され）、気泡検出センサ６０が、気泡検出センサモジュール１６２に関して設定された気泡サイズ検出限界に等しい、またはそれよりも大きい気泡をもはや検出しなくなるまで、本状態のままであろう。言い換えると、気泡検出センサモジュール１６２が、気泡検出高優先順位アラーム状態に入ると、気泡検出センサモジュール１６２が、リセットボタン１６７を使用してリセットされるまで（および同時に、気泡検出センサ６０が、高優先順位アラームの設定に関する気泡サイズ検出閾値またはそれを上回るサイズの気泡を目下検出しなくなるまで）、これは、アラームなし状態または気泡検出中優先順位アラーム状態に戻るように遷移しないであろう。
【０１０８】
気泡検出センサモジュール１６２が、気泡検出中優先順位アラーム状態に入ると、気泡検出センサモジュール１６２は、リセットボタン１６７の起動を要求することなく、本状態から遷移し得る。実際には、リセットボタン１６７は、気泡検出センサモジュール１６２が気泡検出高優先順位アラーム状態にある間にのみ起動可能であるが、これは、気泡検出センサモジュール１６２が気泡検出中優先順位アラーム状態にある間に起動可能ではない。本開示のある実施形態によると、気泡検出センサモジュール１６２は、気泡が検出可能限界を下回るサイズに減少する（すなわち、いかなる検出可能な気泡もない）か、または気泡検出高優先順位アラーム状態への遷移をトリガするサイズに増加するかに応じて、気泡検出中優先順位アラームから、図１２等に示されるような非気泡検出状態、または図１４ａ等に示されるような気泡検出高優先順位アラーム状態のいずれかに自発的に遷移し得る。
【０１０９】
気泡検出高優先順位アラーム状態が起動されているときの場合では、気泡検出センサ６０によって検出される１つ以上の気泡は、選択された閾値気泡検出サイズに到達している、および／またはそれを超えており、これは、許容できないほど大きい気泡が気泡検出センサ６０によって検出されている体外血流回路の少なくともその部分における血流を速やかに停止させる必要性があることを意味する。そのような血流の速やかな停止をもたらすための１つの方法は、本システムに、体外血流回路３の少なくとも関連する部分における前方血液流体流量を減少または中止させるように、気泡検出高優先順位アラーム状態に応答して、心肺バイパス機械の１つ以上のポンプを自動的に調節する自動的気泡補正アルゴリズムを提供することである。このように、本システムは、気泡検出高優先順位状態に自動的に応答し、したがって、体外血流回路３内に検出される許容できないほど大きい気泡を一掃することを対象とする、灌流技師または他の医療提供者によって実施されるプロセスを促進し得る。
【０１１０】
気泡検出センサモジュール１６２は、タッチまたは圧力によってユーザによって起動されると、自動的気泡補正アルゴリズムを無効にする介入ボタン１６８を提供され得、したがって、これは、２秒等の事前決定された期間にわたって特定のポンプ３８の動作に影響を及ぼさなくなる。非限定的実施例として、図１４ａによると、介入ボタン１６８は、特定のポンプ、すなわち、動脈ポンプ３８への動作可能なリンクを示す。気泡検出閾値限界を超えるサイズの気泡が検出されると、自動的気泡補正アルゴリズムは、起動され、したがって、プロセッサ３０は、体外血流回路３の少なくとも関連する部分における前方血流を低減または中止させる様式で動脈ポンプ３８の動作を制御する。しかしながら、ユーザによる介入ボタン１６８の手動起動によって、自動的気泡補正アルゴリズムは、２秒にわたって選択的に無効にされる。
【０１１１】
気泡検出センサモジュール１６２は、いくつかの付加的アラーム状態に遷移することが可能である。例えば、図１４ｃに示されるように、気泡検出センサ６０がセンサパネルから切断された状態になるときの場合では、気泡検出センサモジュール６２は、気泡検出切断高優先順位アラーム状態に遷移する。気泡検出切断高優先順位アラーム状態は、種々の方法で構成され得る。一非限定的実施形態では、気泡検出切断高優先順位アラーム状態は、３つの感嘆符を伴う三角形等の警告シンボルおよび赤色バナーを表示することを伴い、これは、事前決定された速度において点滅する。しかしながら、気泡検出高優先順位アラーム状態とは異なり、気泡検出切断高優先順位アラーム状態の間、気泡検出データフィールド１６６のいずれの気泡サイズインジケータも、赤色で塗り潰されず、それらは、切断を示すために黒色で塗り潰される。本開示の別の実施形態では、上記に説明される気泡検出切断高優先順位アラーム状態の視覚コンポーネントに加えて、気泡検出切断高優先順位アラーム状態は、事前決定されたケイデンスにおいてパルスを発する音（例えば、高音ビープ音）から成る聴覚アラームを含み得る。
【０１１２】
図１４ｄに示されるように、気泡検出センサ６０がイネーブルにされるが、不良ステータスを返すようにある意味では誤動作していると、気泡検出センサモジュール１６２は、気泡センサ不良アラーム状態に遷移する。気泡センサ不良アラーム状態は、種々の方法で構成され得る。一非限定的実施形態では、気泡センサ不良アラーム状態は、３つの感嘆符を伴う三角形等の警告シンボルおよび赤色バナーを表示することを伴い、これは、事前決定された速度において点滅する。しかしながら、気泡検出高優先順位アラーム状態とは異なり、気泡センサ不良アラームの状態の間、気泡検出データフィールド１６６のいずれの気泡サイズインジケータも、赤色で塗り潰されず、それらは、背景の色で塗り潰され、大きい赤色の「Ｘ」が、気泡検出データフィールド１６６にわたって重ねられる。本開示の別の実施形態では、上記に開示される気泡センサ不良アラーム状態の視覚コンポーネントに加えて、気泡センサ不良アラーム状態は、事前決定されたケイデンスにおいてパルスを発する音（例えば、高音ビープ音）から成る聴覚アラームを含み得る。本開示のある実施形態によると、気泡検出センサモジュール１６２が、気泡センサ不良アラーム状態にあるとき、リセットボタン１６７は、イネーブルにされない。
【０１１３】
図１４ｅに示されるように、気泡検出センサ６０がオフ状態に構成されると、気泡検出センサモジュール１６２は、気泡検出センサ利用不可能状態に遷移する。気泡検出センサ利用不可能アラーム状態は、種々の方法で構成され得る。一非限定的実施形態では、気泡検出センサ利用不可能状態は、暗色バナーおよび抑制された気泡検出データフィールド１６６を表示することを伴う。気泡検出センサ利用不可能状態にあるとき、リセットボタン１６７および介入ボタン１６８は、イネーブルにされないが、モジュール設定メニューボタン１２４が、イネーブルにされる。本開示のある実施形態によると、リセットボタン１６７および介入ボタン１６８は、図１４ｅに示されるように、それらが気泡検出センサ利用不可能状態中に起動可能ではない（イネーブルにされない）ことを示すために、抑制されたモードにおいて表示される。しかしながら、モジュール設定メニューボタン１２４は、図１４ｅに示されるように、その起動可能（イネーブルにされる）条件を示すために、照明付きモードにおいて表示される。
【０１１４】
（レベルセンサモジュール）
心肺パイバスシステム１は、心肺パイバスシステム１の体外血流回路３の構成要素を構成する、血液リザーバ、典型的には、静脈リザーバ内の流体レベルを検出するために配置される、１つ以上のレベルセンサ７０を提供され得る。各レベルセンサ７０は、表示のためにグラフィカルユーザインターフェース１００に流体レベルデータを出力する前にこれを処理し得る、プロセッサ３０に流体レベルデータを入力するように動作可能に接続される。レベルセンサ７０からのデータは、図１５ａ等に示される対応する一意のレベルセンサモジュール１７２によって表示され得る。各レベルセンサモジュール１７２は、ユーザの選好による用途および設定に応じて、タブなし表示ページのコンポーネントとして、またはタブ付きセンサ表示ページのコンポーネントとして、もしくはタブ付き心筋保護液表示ページのコンポーネントとしてかどうかにかかわらず、４つの象限１０８のいずれかの中に表示され得る表示モジュールである。非限定的実施例として、レベルセンサモジュールは、図３ｂに示されるように、タブなし表示ページ１１５のコンポーネントとして図示される。
【０１１５】
図１５ａに示されるように、各一意のレベルセンサモジュール１７２は、タイトルフィールド１７４を含み、これは、それから表示されるデータが取得されるレベルセンサ７０に関連する一意の識別子を表示する英数字フィールドである。一意の識別子は、「Ｌｘ−，」の形態を有し得、ｘは、具体的レベルセンサに対応する数字であり、体外血流回路に沿った場所を示し得るような、センサ名称が続く。図１５ａに示されるセンサ名称は、単に、例示的であり、例証を目的とし、限定であることを意味しない。
【０１１６】
各レベルセンサモジュール１７２はまた、レベルデータフィールド１７６を含み、これは、レベルアイコンを介して、レベルセンサ７０によって取得された相対レベルデータを表示するグラフィカルフィールドである。より具体的には、レベルセンサ７０によって取得されたレベルデータは、レベルセンサ７０の位置に関連する。各レベルセンサモジュール１７２はさらに、以下により詳細に説明されるように、適切な状況下で、心肺バイパス機械１の血液流体ポンプ３７の動作を介して、血液リザーバ７０内の血液流体レベルを自動的に調節する自動的レベル補正アルゴリズムを無効にするように起動可能である、介入ボタン１７８を含み得る。介入ボタン１７８に動作可能に接続されるポンプ３７は、血液リザーバ７０から血液流体を圧送する種類のものである。各レベルセンサモジュール１７２はまた、上で議論されるようなモジュール設定メニューボタン１２４を含む。
【０１１７】
レベルデータフィールド１７６のレベルアイコンが、図１６ａ、１６ｂ、１６ｃ、および１６ｄを参照して説明される。レベルアイコンの各々は、関連付けられるリザーバ内の流体の相対レベルをグラフで表す。例えば、図１６ａのレベルアイコンは、血液リザーバ内の流体の許容可能なレベル（すなわち、調整レベルを上回るレベル）をグラフで表す。例証される実施形態は、医療デバイスに関する産業規格に従って、緑色三角形を採用する。しかしながら、グラフィカルユーザインターフェース１００が、非医療システムの構成要素として採用されるとき、他の色および形状も、それらがレベルセンサモジュール１７２のユーザによってそのようなものとして容易に理解される限り、許容可能な相対レベルを表すために採用され得る。緑色三角形アイコンはまた、２つの水平白色破線を提供され、これは、他のレベルアイコンに関して以下に説明されるような他の重要な相対レベルを表す。
【０１１８】
図１６ｂのレベルアイコンは、図１６ａのレベルアイコンによってグラフで表される流体のレベルよりも低い、血液リザーバ内の流体のレベルをグラフで表す。実際には、図１６ｂのレベルアイコンによってグラフで表される流体のレベルは、上側水平破線によって表される調整限界にある、またはそれを下回り、下側水平破線によって表されるレベルセンサ７０のレベルを上回る。図１６ｂによってグラフで表される流体レベルは、依然として、流体の許容可能なレベルであるが、これは、図１５ｂ等によって表されるように、レベル低優先順位アラーム状態による、より綿密な注意に値する流体レベルを表す。本レベル低優先順位アラーム状態は、種々の方法で構成され得る。例えば、図１５ｂに示されるように、グラフで表される流体レベルの色付けは、緑色から黄色に改変され得、黄色バナーが、起動されると定常非点滅状態を維持する三角形警告アイコンおよび２つの感嘆符を提供され得る。本開示の別の実施形態では、レベル低優先順位アラーム状態の視覚コンポーネントに加えて、レベル低優先順位アラーム状態は、レベル低優先順位アラーム状態を示す事前決定されたケイデンスにおいてパルスを発する音（すなわち、低または中音）から成る聴覚アラームを含み得る。
【０１１９】
図１６ｃのレベルアイコンは、下側水平破線によって表されるように、図１６ｂのレベルアイコンによってグラフで表される流体のレベルよりも低く、レベルセンサ７０のレベルにある、またはそれを下回る流体レベルに対応する血液リザーバ内の流体のレベルをグラフで表す。図１６ｃによってグラフで表される流体レベルは、枯渇する血液リザーバに関連付けられるリスクのため、流体の許容可能なレベルではなく、したがって、これは、図１５ｃ等によって示されるように、レベル高優先順位アラーム状態に対応する。本レベル高優先順位アラーム状態は、種々の方法で構成され得る。例えば、グラフで表される流体レベルの色付けは、赤色に改変され得、赤色バナーが、三角形警告アイコンおよび３つの感嘆符とともに提供され得、レベルアイコンは、レベル高優先順位アラーム状態を示す事前決定された速度において点滅するようにされ得る。本開示の別の実施形態では、レベル高優先順位アラーム状態の視覚コンポーネントに加えて、レベル高優先順位アラーム状態は、レベル高優先順位アラーム状態を示すケイデンスにおいてパルスを発する音（すなわち、高音）から成る聴覚アラームを含み得る。
【０１２０】
レベルデータフィールド１７６が、図１６ｃのレベルアイコンを表示し、それによって、レベル高優先順位アラーム状態を示すと、血液リザーバ内の低流体レベルを補正する必要性が、急を要している。この場合、プロセッサ３０は、自動的レベル補正アルゴリズムを開始し、これは、血液ポンプ３８またはある他の血液ポンプの動作を調節することを伴い、したがって、血液流体が、血液リザーバ３６内に蓄積し、それによって、血液流体レベルを上昇させる。介入ボタン１７８が、これらの状況下で起動可能な状態になり、したがって、ユーザは、タッチスクリーン１７に対する圧力またはタッチによって、介入ボタン１７８を起動し、２秒の期間にわたって自動的レベル補正アルゴリズムを無効にし得る。そのような無効化は、自動的レベル補正アルゴリズムを中断し、したがって、血液ポンプ３８は、自動的レベル補正アルゴリズムの起動前のその動作の以前の状態を再開する。
【０１２１】
表示されるレベルアイコンが図１６ｂのアイコンであるとき、レベルセンサモジュール１７２は、レベルセンサモジュールおよび介入ボタン１７８と動作可能に関連付けられるポンプが、動脈血液ポンプ３８であるときの図１５ｂによって図示される構成を表示し得る。表示されるレベルアイコンが図１６ｃのアイコンであるとき、レベルセンサモジュール１７２は、レベルセンサモジュールおよび介入ボタン１７８と動作可能に関連付けられるポンプが、動脈血液ポンプ３８であるときの図１５ｃによって図示される構成を表示し得る。
【０１２２】
図１６ｄによってグラフで表される条件は、レベルデータが特定の血液リザーバセンサに対して利用可能ではない状況に対応する。レベルセンサモジュール１７２のレベルデータフィールド１７６によって表示されるレベルアイコンは、必要に応じて、図１６ａ、１６ｂ、１６ｃ、および１６ｄによってグラフで表される状態のいずれかの間で自動的に遷移し得る。このように、レベルセンサモジュール１７２は、ユーザが任意のリセット機能を実施することなく、流体リザーバ内の流体レベルを示し得る。
【０１２３】
図１６ａ、１６ｂ、１６ｃ、および１６ｄのレベルアイコンの図示される実施形態は、非限定的であるが、しかしながら、それらは、医療デバイスに関する産業規格による。グラフィカルユーザインターフェース１００が、非医療システムにおいて採用されるとき、他の形状および／または色も、種々の相対的流体レベルがレベルセンサモジュール１７２のユーザによってそのようなものとして容易に理解される限り、対応する血液リザーバに関する種々の相対的流体レベルをグラフで図示するために採用され得る。
【０１２４】
いくつかの場合では、流体レベルセンサ７０が、血液ポンプ３７または３８ではなく、空気除去ポンプ３９（すなわち、真空ポンプ）への介入ボタン１７８と動作可能に接続されるレベルセンサモジュール１７２に関連付けられ得る。そのような場合では、自動的レベル補正アルゴリズム中、プロセッサ３０は、血液リザーバ３６の中への血流を増加させ、それによって、血液リザーバ３６内の血液流体レベルを増加させるために、空気除去ポンプ３９の動作を操作する。これらの状況下で、介入ボタン１７８の起動が、可能な状態になる。タッチまたは圧力による介入ボタン１７８の起動は、２秒の期間にわたって自動的レベル補正アルゴリズムを無効にし、無効化の期間中、空気除去ポンプ３９は、自動的レベル補正アルゴリズムが開始される前のように動作する。
【０１２５】
レベルセンサモジュール１７２は、図１７ａ、１７ｂ、および１７ｃに示されるような種々の状態を呈し得る。本開示による血液ポンプは、主として、血液流体を体外血流回路を通して圧送することを目的として、血液リザーバ３６および心肺パイバスシステム１の体外血流回路３に接続されるポンプである。そのような血液流体は、微小気泡の形態における微量の空気を含み得るが、血液ポンプによって圧送される体積の大部分は、主として、血液流体である。本開示による空気除去ポンプは、血液リザーバから空気を除去するように、血液リザーバ３６に接続されるポンプである。そのような除去された空気は、ある程度の血液流体を含み得るが、空気除去ポンプによって圧送される体積の大部分は、概して、空気である。
【０１２６】
レベルセンサモジュール１７２が、空気除去ポンプ３９への介入ボタン１７８と動作可能に接続され、血液リザーバ内の血液流体が、許容可能なレベルにある（すなわち、調整レベルを上回る）と、レベルセンサモジュール１７２は、図１７ａのように現れるであろう。図１７ａは、タイトルフィールド１７４、レベルデータフィールド１７６、介入ボタン１７８、およびモジュール設定メニューボタン１２４を保有することに関して、図１５ａと実質的に類似する。しかしながら、図１７ａの介入ボタン１７８は、「ＡＲＴ」（動脈側上の血液ポンプ）ではなく、「ＡＲＰ」（空気除去ポンプ）を識別する。
【０１２７】
血液リザーバ内の血液流体レベルが許容可能なレベルにあり、レベルセンサモジュール１７２が図１７ａのように表示する間、空気除去ポンプは、係脱され得、これは、これが、通常、血液リザーバ内に存在するエアポケットに関して真空に引くように動作していないことを意味する。血液リザーバ内の流体のレベルが、図１７ａのレベルアイコンによってグラフで表される流体のレベルよりも低く、したがって、流体のレベルが、（上側水平破線によって表される）調整限界にある、またはそれを下回るが、（下側水平破線によって表される）レベルセンサ７０のレベルを上回るとき、レベルセンサモジュール１７２は、図１７ｂのように現れるであろう。本状態は、空気除去ポンプに関するレベル高優先順位状態に対応し、種々の方法で構成され得る。例えば、グラフで表される流体レベルの色付けは、緑色から黄色に改変され得、赤色バナーが、三角形警告アイコンおよび３つの感嘆符を提供され得、レベルアイコンは、本アラーム状態による事前決定された速度において点滅するようにされ得る。本開示の別の実施形態では、レベル高優先順位アラーム状態の視覚コンポーネントに加えて、レベル高優先順位アラーム状態は、高優先順位アラーム状態の本レベルを示すケイデンスにおいてパルスを発する音（すなわち、中または高音）から成る聴覚アラームを含み得る。
【０１２８】
レベルセンサモジュール１７２が、図１７ｂのレベル高優先順位アラーム状態を表示するとき、空気除去ポンプが、血液リザーバ３６内のエアポケットに対して真空を付与するために、自動的レベル補正アルゴリズムの開始に起因して、自動的に関与する。本真空は、心肺バイパス機械１の体外血流回路から血液リザーバの中に血液を引き込むことに役立つ。同時に、介入ボタン１７８は、タッチまたは圧力によってユーザによって起動可能な状態になる。ユーザが、これらの条件下でタッチまたは圧力によって介入ボタン１７８を起動すると、自動的レベル補正アルゴリズムは、２秒の期間にわたって一時的に無効にされ、したがって、空気除去ポンプが、自動的レベル補正アルゴリズムが起動された時点で存在していたその動作状態を一時的に再開する。
【０１２９】
図１７ｃのレベルアイコンは、下側水平破線によって表されるように、図１７ｂのレベルアイコンによってグラフで表される流体のレベルよりも低く、レベルセンサ７０のレベルにある、またはそれを下回る流体レベルに対応する血液リザーバ内の流体のレベルをグラフで表す。本状態はまた、レベル高優先順位アラーム状態に対応し、これが図１７ｂと類似するバナーおよび警告シンボル、すなわち、赤色バナー、三角形警告アイコン、および３つの感嘆符を表示し、レベルアイコンが本レベル高優先順位アラーム状態に対応する事前決定された速度において点滅し得る点において、図１７ｂと類似する。本レベル高優先順位アラーム状態によると、グラフで表される流体レベルの色は、黄色から赤色に遷移し得る。本開示の別の実施形態では、本レベル高優先順位アラーム状態の視覚コンポーネントに加えて、レベル高優先順位アラーム状態は、本レベル高優先順位アラーム状態の程度と合致するケイデンスにおいてパルスを発する音（すなわち、高音）から成る聴覚アラームを含み得る。
【０１３０】
レベルセンサモジュール１７２が図１７ｃのレベル高優先順位アラーム状態を表示するとき、空気除去ポンプは、体外血流回路から血液リザーバの中に血液を引き込むことに役立てるために、血液リザーバ内のエアポケットに対して真空を付与するための自動的レベル補正アルゴリズムに従って、自動的に関与する、または自動的に継続して関与する。同時に、介入ボタン１７８は、ユーザによって起動可能なタッチまたは圧力において起動可能である。ユーザが、これらの条件下で介入ボタン１７８を起動すると、自動的レベル補正アルゴリズムは、２秒の期間にわたって一時的に無効にされ、したがって、空気除去ポンプが、自動的レベル補正アルゴリズムが起動された時点で実施されていたその動作状態を再開する。
【０１３１】
レベルセンサモジュール１７２が、図１７ｂまたは１７ｃ等に対応するレベル高優先順位アラーム状態を表示し、次いで、図１７ｄに対応する状態、すなわち、血液リザーバ内の血液流体レベルが許容可能なレベルにある条件を表示するように続けて遷移すると、空気除去ポンプは、最初に、自動的レベル補正アルゴリズムによる、ヒステリシス期間の持続時間にわたって、血液リザーバのエアポケットに対して真空を付与するようにアクティブなままである。本ヒステリシス期間中、レベルセンサモジュール１７２は、図１７ｄに示されるようなレベル高優先順位アラーム状態を表示し、介入ボタン１７８は、起動可能なままである。図１７ｄによって表されるアラーム状態によると、レベルデータフィールド１７６は、図１６ａのレベルアイコンを表示し、それによって、血液リザーバ内の血液流体の許容可能なレベルを示す。しかしながら、バナーは、赤色のままであり、三角形警告アイコンおよび３つの感嘆符は、継続して表示され、ユーザに、空気除去ポンプが依然として関与し、真空に引いていることを通知する。
【０１３２】
ヒステリシス期間が終了した後、レベルセンサ７０によって検出される血液リザーバの血液レベルが許容可能なままであると、次いで、レベルセンサモジュール１７２は、図１７ａによる画像を表示するように遷移する。この時点で、自動的レベル補正アルゴリズム下の空気除去ポンプの操作は、自動的レベル補正アルゴリズムが中止すると、中止し、介入ボタン１７８は、これがタッチまたは圧力によって起動可能ではない状態に遷移する。
【０１３３】
図１７ａ、１７ｂ、１７ｃ、および１７ｄのレベルアイコンの図示される実施形態は、非限定的であるが、しかしながら、それらは、医療デバイスに関する産業規格による。グラフィカルユーザインターフェース１００が、非医療システムの構成要素として採用されるとき、他の形状および／または色も、種々の相対的流体レベルがレベルセンサモジュール１７２のユーザによってそのようなものとして容易に理解される限り、対応する血液リザーバに関する種々の相対的流体レベルをグラフで図示するために採用され得る。
【０１３４】
レベルセンサモジュール１７２は、いくつかの付加的アラーム状態に遷移することが可能である。例えば、図１８ａに示されるように、レベルセンサ７０がセンサパネルから切断された状態になるときの場合では、レベルセンサモジュール１７２は、レベル切断高優先順位アラーム状態に遷移する。レベル切断高優先順位アラーム状態は、種々の方法で構成され得る。一非限定的実施形態では、レベル切断高優先順位アラーム状態は、３つの感嘆符を伴う三角形等の警告シンボルおよび赤色バナーを表示することを伴い、これは、事前決定された速度において点滅する。しかしながら、他のレベル高優先順位アラーム状態とは異なり、レベル切断高優先順位アラーム状態の間、レベルデータフィールド１７６のレベルアイコンは、レベルを示さないように黒色で塗り潰される。本開示の別の実施形態では、上記に説明されるレベル切断高優先順位アラーム状態の視覚コンポーネントに加えて、レベル切断高優先順位アラーム状態は、レベル切断高優先順位アラーム状態を示す事前決定されたケイデンスにおいてパルスを発する音（例えば、高音ビープ音）から成る聴覚アラームを含み得る。
【０１３５】
レベルセンサ７０が、イネーブルにされるが、不良ステータスを返すようにある意味では誤動作していると、レベルセンサモジュール１７２は、図１８ｂに示されるようなレベル不良アラーム状態に遷移する。レベル不良アラーム状態は、種々の方法で構成され得る。一非限定的実施形態では、レベル不良アラーム状態は、３つの感嘆符を伴う三角形等の警告シンボルおよび赤色バナーを表示することを伴い、これは、事前決定された速度において点滅する。加えて、レベル不良アラーム状態の間、レベルデータフィールド１７６のレベルアイコンは、黒色で塗り潰され、大きい赤色の「Ｘ」が、レベルデータフィールド１７６にわたって重ねられる。本開示の別の実施形態では、上記に開示されるレベル不良アラーム状態の視覚コンポーネントに加えて、レベル不良アラーム状態は、レベル不良アラーム状態を示す事前決定されたケイデンスにおいてパルスを発する音（例えば、高音ビープ音）から成る聴覚アラームを含み得る。
【０１３６】
レベルセンサ７０が、オフ状態に構成されるとき、レベルセンサモジュール１７２は、図１８ｃに示されるようなレベルセンサ利用不可能状態に遷移する。レベルセンサ利用不可能状態は、種々の方法で構成され得る。一非限定的実施形態では、レベルセンサ利用不可能状態は、暗色バナーおよび抑制されたレベルデータフィールド１７６を表示することを伴い、これも同様に、黒色で塗り潰され得る。レベルセンサ利用不可能状態にあるとき、介入ボタン１７８は、起動可能ではないが、モジュール設定メニューボタン１２４は、タッチまたは圧力によって起動され得る。
【０１３７】
（温度センサモジュール）
心肺パイバスシステム１は、典型的には、体外血流回路３上の種々の所望の点における温度を測定し、および／または患者の温度を測定し、ならびに／もしくは心筋保護中に心臓の温度を測定し、表示のためにグラフィカルユーザインターフェース１００に温度データを出力する前にこれを処理し得るプロセッサ３０に温度データを入力するために配置される、１つ以上の温度センサ８０を提供される。各温度センサ８０からのデータは、図１９ａ、１９ｆ、および１９ｇ等に示されるような対応する一意の温度センサモジュール１８２によって表示される。図１９ａは、図１９ｆおよび１９ｇが、心筋保護液回路との関連付けに関する情報を表示する、それぞれ、アイコンフィールド１８８および１８９を含むことを除いて、図１９ｆおよび１９ｇと類似する。より具体的には、アイコンフィールド１８８は、温度センサ８０が心筋保護液加熱−冷却ユニットに関連付けられ、体外血流回路３の血液流体の温度を測定することを示す。この関連付けは、太陽および雪片シンボルならびに身体シンボルによってグラフで示される。アイコンフィールド１８９は、温度センサ８０が心筋保護液加熱−冷却ユニットに関連付けられ、心筋保護溶液の温度を測定することを示す。この関連付けは、太陽および雪片シンボルならびに心臓シンボルによってグラフで示される。
【０１３８】
温度センサモジュール１８２は、ユーザの選好による用途および設定に応じて、必要に応じて、タブなし表示ページのコンポーネントとして、またはタブ付きセンサ表示ページのコンポーネントとして、もしくはタブ付き心筋保護液表示ページのコンポーネントとして、４つの象限１０８のいずれかの中に表示され得る表示モジュールである。非限定的実施例として、温度センサモジュールは、図３ｂに示されるように、タブ付き表示ページ１１６および１２１のコンポーネントとして、かつタブ付き心筋保護液表示ページ１１０のコンポーネントとして図示される。
【０１３９】
図１９ａに示されるように、各一意の温度センサモジュール１８２は、タイトルフィールド１８４を含み、これは、それから表示されるデータが取得される温度センサ８０に関連する一意の識別子を表示する英数字フィールドである。一意の識別子は、「Ｔｘ−，」の形態を有し得、ｘは、具体的温度センサに対応する数字であり、体外血流回路３に沿った場所を示し得るような、センサ名称が続く。図１９ａに示されるセンサ名称は、単に、例示的であり、例証を目的とし、限定であることを意味しない。
【０１４０】
各温度センサモジュール１８２はまた、温度センサ８０によって測定された温度データの値を表示する数字フィールドである温度値データフィールド１８６と、温度センサ８０によって測定された温度データの単位を表示する英数字フィールドである温度値単位フィールド１８７とを含む。温度値単位フィールド１８７は、温度単位を摂氏度または華氏度において示し得る。本開示のある実施形態によると、温度値データフィールド１８６および温度値単位フィールド１８７は、単一のフィールドとしてともに統合され得る。各温度センサモジュール１８２はまた、上で議論されるようなモジュール設定メニューボタン１２４を含む。
【０１４１】
各温度センサモジュール１８２はさらに、図１９ｂ、１９ｃ、および１９ｄによって図示されるような複数のアラーム指示状態を含み得る。例えば、図１９ｂによって示されるように、温度センサ８０が、上限値に到達する、および／もしくはそれを超える、または下限値に到達する、および／もしくはそれを下回って降下する体外血流回路内の温度を測定すると、温度センサモジュール１８２は、温度中優先順位アラーム状態に切り替わる。温度中優先順位アラーム状態は、種々の方法で構成され得る。一非限定的実施形態では、温度中優先順位アラーム状態は、対合感嘆符を伴う三角形等の警告シンボルおよび黄色バナーを表示することを伴い、これは、中優先順位アラーム状態を示す事前決定された速度において点滅し得る。本開示の別の実施形態では、上記に説明される温度中優先順位アラーム状態の視覚コンポーネントに加えて、温度中優先順位アラーム状態は、温度中優先順位アラーム状態を示すケイデンスにおいてパルスを発する音（例えば、中音ビープ音）から成る聴覚アラームを含み得る。
【０１４２】
温度測定に関して説明された中優先順位アラームバナーに関する特定の色スキーム、すなわち、黄色バナーは、医療デバイスに関する産業規格と一貫する。他の色スキームも、本開示の種々の代替実施形態に従って、グラフィカルユーザインターフェース１００が非医療デバイスのみと採用されるとき、同様に採用され得る。
【０１４３】
温度センサモジュール１８２は、いくつかの付加的アラーム状態に遷移することが可能である。図１９ｃでは、温度センサモジュール１８２は、温度センサ８０がセンサパネルから切断するときに起こり得るような、温度センサ８０がプロセッサ３０から切断される状態を示している。図１９ｄでは、温度センサモジュール１８２は、温度センサ８０が誤動作している状態を示している。図１９ｅでは、温度センサモジュール１８２は、温度センサ８０が「オフ」構成にあるとき等、圧力センサ８０が利用不可能である状態を示している。
【０１４４】
（流量センサモジュール）
心肺パイバスシステム１は、典型的には、体外血流回路３上の種々の所望の点における血液流体流量を測定し、表示のためにグラフィカルユーザインターフェース１００に血液流体流量データを出力する前にこれを処理し得るプロセッサ３０に血液流体流量データを入力するために配置される、１つ以上の血流センサ９０を提供される。各流量センサ９０からのデータは、図２０ａ等に示されるような対応する一意の流量センサモジュール１９２によって表示される。流量センサモジュール１９２は、ユーザの選好による用途および設定に応じて、必要に応じて、タブなし表示ページのコンポーネントとして、またはタブ付きセンサ表示ページのコンポーネントとして、もしくはタブ付き心筋保護液表示ページのコンポーネントとして、４つの象限１０８のいずれかの中に表示され得る表示モジュールである。非限定的実施例として、流量センサモジュールは、図３ｂに示されるように、タブなし表示ページ１１５のコンポーネントとして、かつタブ付き表示ページ１１６のコンポーネントとして図示される。
【０１４５】
図２０ａに示されるように、各一意の流量センサモジュール１９２は、タイトルフィールド１９４を含み、これは、それから表示されるデータが取得される流量センサ９０に関連する一意の識別子を表示する英数字フィールドである。一意の識別子は、「Ｆｘ−，」の形態を有し得、ｘは、具体的流量センサに対応する数字であり、体外血流回路に沿った場所を示し得るような、センサ名称が続く。図２０ａに示されるセンサ名称は、単に、例示的であり、例証を目的とし、限定であることを意味しない。
【０１４６】
各流量センサモジュール１９２はまた、流量センサ９０によって測定された流量データの値を表示する数字フィールドである流量値データフィールド１９６と、流量センサ９０によって測定された流量データの単位を表示する英数字フィールドである流量値単位フィールド１９７とを含む。例えば、表示される単位は、リットル／分（ＬＰＭ）であり得る。本開示のある実施形態によると、流量値データフィールド１９６および流量値単位フィールド１９７は、単一のフィールドとしてともに統合され得る。各流量センサモジュール１９２はまた、上で議論されるようなモジュール設定メニューボタン１２４を含む。
【０１４７】
各流量センサモジュール１９２はさらに、図２０ｂ、２０ｃ、２０ｄ、および２０ｅによって図示されるような複数のアラーム指示状態を含み得る。例えば、図２０ｂによって示されるように、流量センサ９０が、負である体外血流回路３内の血液流体の流量を測定する（すなわち、逆流が存在する）と、流量センサモジュール１９２は、流量中優先順位アラーム状態に切り替わる。中高優先順位アラーム状態は、種々の方法で構成され得る。一非限定的実施形態では、流量中優先順位アラーム状態は、２つの感嘆符を伴う三角形等の警告シンボルおよび黄色バナーを表示することを伴い、これは、流量中優先順位アラーム状態に対応する事前決定された速度において点滅する。本開示の別の実施形態では、上記に説明される流量中優先順位アラーム状態の視覚コンポーネントに加えて、流量中優先順位アラーム状態は、パルスが流量中優先順位アラーム状態を示す音（例えば、中音ビープ音）から成る聴覚アラームを含み得る。
【０１４８】
図２０ｃによって示されるように、流量センサ９０が、上限値に到達する、および／またはそれを超える体外血流回路３内の血液流体の流量を測定すると、流量センサモジュール１９２は、流量中優先順位アラーム状態に切り替わる。本流量中優先順位アラーム状態は、流量が負であるときに提供される中優先順位アラームと類似する様式で構成される。
【０１４９】
流量高および中優先順位アラームバナーに関する特定の色スキーム、すなわち、高優先順位に関する赤色バナーおよび中優先順位に関する黄色バナーが、血液流体流量測定に関して説明されたが、この色スキームは、医療デバイスに関する産業規格による。他の色スキームも、いかなる医療デバイスも採用されない、本開示の種々の代替実施形態に従って、グラフィカルユーザインターフェース１００が厳密に非医療監視環境において採用されるとき、採用され得る。
【０１５０】
流量センサモジュール１９２は、いくつかの付加的アラーム状態に遷移することが可能である。図２０ｄでは、流量センサモジュール１９２は、流量センサ９０がセンサパネルから切断するときに起こり得るような、流量センサ９０がプロセッサ３０から切断されるアラーム状態を示している。図２０ｅでは、流量センサモジュール１９２は、流量センサ９０が誤動作しているアラーム状態を示している。図２０ｆでは、圧力センサモジュール１９２は、流量センサ９０が「オフ」構成にあるとき等、圧力センサ９０が利用不可能である通知状態を示している。
【０１５１】
（圧力デルタモジュール）
心肺バイパスシステム１のグラフィカルユーザインターフェースの区分１０８は、１つ以上の圧力デルタセンサモジュール２５２を採用し得、これは、体外血流回路３上の種々の所望の点において比較目的のために圧力を測定し、表示のためにグラフィカルユーザインターフェース１００に圧力デルタデータを出力する前に、圧力デルタデータを生成するように圧力データを処理し得るプロセッサ３０に圧力データの２つのソースを入力するために配置される、少なくとも２つの圧力センサ５０に動作可能に接続される。プロセッサ３０によって計算されるような、対合圧力センサ５０からのそのような生成された圧力デルタデータは、図２１ａおよび２１ｂ等に示されるような対応する一意の圧力デルタセンサモジュール２５２によって表示される。図２１ａは、図２１ａが圧力デルタデータをｍｍＨｇにおいて表示し、図２１ｂが圧力デルタデータをｋＰａにおいて表示することを除いて、図２１ｂと類似する。圧力デルタデータセンサモジュール２５２は、ユーザの選好による用途および設定に応じて、必要に応じて、タブなし表示ページのコンポーネントとして、またはタブ付きセンサ表示ページのコンポーネントとして、もしくはタブ付き心筋保護液表示ページのコンポーネントとして、４つの象限１０８のいずれかの中に表示され得る表示モジュールである。非限定的実施例として、圧力デルタデータセンサモジュールは、図３ｂのタブなし表示ページ１１５のコンポーネントとして、かつ図３ａに示されるようなタブ付き表示ページ１１６のコンポーネントとして図示される。
【０１５２】
図２１ａに示されるように、各一意の圧力デルタデータセンサモジュール２５２は、タイトルフィールド２５４を含み、これは、それから表示されるデータが取得される対合圧力センサ５０に関連する一意の識別子を表示する英数字フィールドである。一意の識別子は、「圧力デルタＰｙ−Ｐｘ，」の形態を有し得、ｘは、具体的な第１の圧力センサに対応する数字であり、ｙは、圧力デルタを計算することを目的として第１の圧力センサと対合される具体的な第２の圧力センサに対応する数字である。図２０ａに示されるタイトル実施例は、単に、例示的であり、例証を目的とし、限定であることを意味しない。
【０１５３】
各圧力デルタセンサモジュール２５２はまた、対合圧力センサ５０によって測定された圧力から計算された圧力デルタデータの値を表示する数字フィールドである圧力デルタ値データフィールド２５６と、対合圧力センサ５０によって提供される測定された圧力データから計算された圧力デルタデータの単位を表示する英数字フィールドである圧力デルタデータ値単位フィールド２５７とを含む。本開示のある実施形態によると、圧力デルタ値データフィールド２５６および圧力デルタ値単位フィールド２５７は、単一のフィールドとしてともに統合され得る。各圧力デルタデータセンサモジュール２５２はまた、上で議論されるようなモジュール設定メニューボタン１２４を含む。
【０１５４】
各圧力デルタデータセンサモジュール２５２はさらに、図２１ｃによって図示されるようなアラーム指示状態を含み得る。計算された圧力デルタデータ値が、閾値限界値に到達する、および／またはそれを超える場合、圧力センサモジュール２５２は、図２１ｃによって示されるような圧力デルタ中優先順位アラーム状態に切り替わる。圧力デルタ中優先順位アラーム状態は、種々の方法で構成され得る。一非限定的実施形態では、圧力デルタ中優先順位アラーム状態は、２つの感嘆符を伴う三角形等の警告シンボルおよび黄色バナーを表示することを伴い、これは、中優先順位アラーム状態を示す事前決定された速度において点滅する。本開示の別の実施形態では、上記に開示される圧力デルタ中優先順位アラーム状態の視覚コンポーネントに加えて、圧力デルタ中優先順位アラーム状態は、圧力デルタ中優先順位アラーム状態を示す事前決定されたケイデンスにおいてパルスを発する音（例えば、中音ビープ音）から成る聴覚アラームを含み得る。
【０１５５】
中優先順位アラームバナーに関する特定の色スキーム、すなわち、医療デバイスに関する産業規格による、黄色が、圧力デルタ決定に関して説明された。しかしながら、他の色スキームも、グラフィカルユーザインターフェース１００が、厳密に非医療監視環境において使用され、いずれの医療デバイスとも関連付けられないとき、本開示の種々の実施形態に従って採用され得る。
【０１５６】
図２１ｄでは、圧力デルタデータセンサモジュール２５２は、対合圧力センサのうちの一方または両方が利用不可能である通知状態を示している。これは、圧力センサ５０のうちの一方または両方が「オフ」構成にあるときに起こり得る。
【０１５７】
上で議論される種々のセンサモジュール以外に、タブ付きおよびタブなし表示ページは、種々の非センサモジュールから選択されるコンポーネントを提供され得る。例えば、タブなし表示ページ１１６は、図９に示されるように、セクタ１２２ｈ内に非センサモジュールを採用する。この非センサモジュールは、心肺パイバス手技の異なる部分である、灌流、およびクロスクランプ、ならびに再灌流を対象とする心肺パイバス手技中の時間等のタイマデータを表示する。非センサモジュールの本実施例は、単に、例示として、したがって、非限定的として解釈されるべきである。
【０１５８】
（タブなしおよびタブ付き表示ページの非限定的実施例）
グラフィカルユーザインターフェース１００の種々のタブなしおよびタブ付き表示ページを選択的に構築するためにユーザによって採用され得るような、センサモジュールおよび非センサモジュールのいくつかの非限定的例証的実施例を説明したが、タブなしおよびタブ付き表示ページのいくつかの非限定的例証的実施例は、タブなしおよびタブ付き表示ページのモジュール式構造ならびにこのモジュール式構造に関連付けられる選択可能性によって提供される柔軟性およびカスタマイズを強調するために説明される。
【０１５９】
（非限定的例証的タブなし表示ページ構成）
図３ａの区分１０８ａのタブなし表示ページは、２つの圧力センサモジュール（すなわち、Ｐ１−膜前およびＰ２−膜前）と、２つの気泡検出センサモジュール（すなわち、Ｂ１−膜前およびＢ２−膜前）と、２つのレベルセンサモジュール（すなわち、Ｌ１−リザーバおよびＬ２）とを含む。圧力センサモジュールのうちの一方（すなわち、Ｐ２−膜前）は、動脈ポンプに動作可能にリンクされ、それによって、その介入ボタンの起動は、そのようにリンクされた動脈ポンプの動作に影響を及ぼすであろうが、しかしながら、他方の圧力センサモジュール（すなわち、Ｐ１−膜前）は、切れた鎖の上側にＸマークを伴う切れた鎖のアイコンから明白なように、いずれのポンプにもリンクされない。気泡検出センサモジュールのうちの一方（Ｂ１−膜前）は、動脈ポンプに動作可能にリンクされ、それによって、この気泡検出センサモジュールの介入ボタンの起動は、動脈ポンプの動作に影響を及ぼすであろう。気泡検出センサモジュールのうちの他方（Ｂ２−膜前）は、補助ポンプに動作可能にリンクされ、それによって、この気泡検出センサモジュールの介入ボタンの起動は、リンクされた補助ポンプの動作に影響を及ぼすであろう。レベルセンサモジュールのうちの一方（すなわち、Ｌ２）は、補助ポンプに動作可能にリンクされ、それによって、このモジュールの介入ボタンの起動は、補助ポンプの動作に影響を及ぼすであろう。他方のレベルセンサモジュール（すなわち、Ｌ１−リザーバ）は、これがアイコンから明白なように「オフ」状態にあるため、いずれのポンプにもリンクされない。
【０１６０】
図３ｂの区分１０８ａのタブなし表示ページは、図３ａの区分１０８ａのものとは異なる構成を図示する。図３ｂは、２つの圧力センサモジュール（すなわち、Ｐ１−膜前およびＰ２−膜後）、１つの圧力デルタセンサモジュール（すなわち、圧力デルタＰ２−Ｐ１）、１つの気泡検出センサモジュール（すなわち、Ｂ２−膜後）、２つのレベルセンサモジュール（すなわち、Ｌ１−リザーバおよびＬ２）、および流量センサモジュール（すなわち、Ｆ１−膜前）を図示する。圧力センサモジュールのうちの一方（すなわち、Ｐ１−膜前）は、介入ボタンの輪郭付きの切れた鎖アイコンから明白なように、ポンプにリンクされず、したがって、その介入ボタンは、そのリンクされない状態に起因して、いずれのポンプの動作にも影響を及ぼすことができない。他方の圧力センサモジュール（すなわち、Ｐ２−膜後）は、介入ボタンに対応する輪郭なしのそのままの鎖のアイコンから明白なように、動脈ポンプに動作可能にリンクされ、それによって、本圧力感受性モジュールの介入ボタンの起動は、リンクされる動脈ポンプの動作に少なくとも一時的に影響を及ぼすはずである。気泡検出センサモジュール（Ｂ２−膜後）は、動脈ポンプに動作可能にリンクされ、それによって、本気泡検出センサモジュールの介入ボタンの起動は、動脈ポンプの動作に影響を及ぼすであろう。レベルセンサモジュールのうちの一方（すなわち、Ｌ１−リザーバ）は、真空ポンプである空気除去ポンプ（「ＡＲＰ」）に動作可能にリンクされ、それによって、その介入ボタンの起動は、空気除去ポンプの動作に一時的に影響を及ぼすであろう。レベルセンサモジュールのうちの他方（すなわち、Ｌ２）は、動脈ポンプに動作可能にリンクされ、それによって、本センサモジュールの介入ボタンの起動は、動脈ポンプの動作に一時的に影響を及ぼすはずである。
【０１６１】
図９のタブなし表示ページは、別の非限定的構成を図示し、これは、２つの圧力センサモジュール（すなわち、Ｐ１−膜前およびＰ２−膜前）と、２つの気泡検出センサモジュール（すなわち、Ｂ１−膜前およびＢ２−膜前）と、２つのレベルセンサモジュール（すなわち、Ｌ１−リザーバおよびＬ２）と、１つの流量センサモジュール（すなわち、Ｆ１−膜前）と、非センサモジュール（すなわち、タイマ）とを含む。２つの圧力センサモジュールは、同一の動脈ポンプに動作可能にリンクされ、それによって、Ｐ１−膜前圧力センサモジュールまたはＰ２−膜前圧力センサモジュールのいずれかの介入ボタンの起動は、動脈ポンプの動作に一時的に影響を及ぼす。一方、Ｂ１−膜前気泡検出センサモジュールは、動脈ポンプに動作可能にリンクされ、Ｂ２−膜前気泡検出センサモジュールは、補助ポンプに動作可能にリンクされる。したがって、Ｂ１−膜前気泡検出センサモジュールの介入ボタンの起動は、動脈ポンプの動作に一時的に影響を及ぼす一方、Ｂ２−膜前気泡検出センサモジュールの介入ボタンの起動は、補助ポンプの動作に一時的に影響を及ぼす。Ｌ１−リザーバレベルセンサモジュールは、空気除去ポンプに動作可能にリンクされ、Ｌ２レベルセンサモジュールは、補助ポンプに動作可能にリンクされる。したがって、Ｌ１−リザーバセンサモジュールの介入ボタンの起動は、空気除去ポンプ（すなわち、空気ポンプ）の動作に一時的に影響を及ぼす一方、Ｌ２レベルセンサモジュールの介入ボタンの起動は、補助ポンプ（すなわち、血液流体ポンプ）の動作に一時的に影響を及ぼす。
【０１６２】
非センサモジュール１２５ｈは、例えば、灌流の持続時間、クロスクランプ持続時間、および再灌流の持続時間を記録するためのタイマ等、心肺パイバス手技中に有用な種々のタイマに関連する情報ディスプレイである。非センサモジュール１２５ｈは、モジュール設定メニューボタンを含まない。
【０１６３】
図３ａ、３ｂ、および９の構成は、タブなし表示ページの柔軟かつ再構成可能な性質を実証するために、単に、非限定的実施例を構成する。本開示のある実施形態では、中心監視部分１０６は、１つのみのタブなし表示ページと、１つ、２つ、または３つのタブ付き表示ページとを含み、タブなし表示ページは、複数のセクタに分割され、各セクタは、圧力センサモジュール、気泡検出センサモジュール、レベルセンサモジュール、温度センサモジュール、流量センサモジュール、およびタイマモジュール（すなわち、非センサモジュール）から成る群から選択される１つのモジュールを用いて構成され得る。
【０１６４】
（心筋保護液のための非限定的例証的タブ付き表示ページ構成）
図３ａおよび３ｂの区分１０８ｂのタブ付き表示ページは、心肺バイパス手技中に心筋保護を実施することを対象とする、センサデータ、ポンプ、および心肺バイパス機械の他の構成要素に関連し得るように、心筋保護液表示インターフェースに関連する。例えば、図３ｂに示され、そのタブ１１０ａのみが図３ａにおいて閲覧可能なタブ付き表示ページ１１０の部分であるような、タブ付き表示ページ１１０は、圧力センサモジュール（すなわち、Ｐ３−心筋保護液）と、温度センサモジュール（すなわち、Ｔ１−心筋保護液）と、気泡検出センサモジュール（すなわち、Ｂ２−心筋保護液）とを含むように構成され得る。圧力センサモジュールおよび気泡検出センサモジュールの両方は、同一の心筋保護液（「ＣＰＬ」）ポンプに動作可能にリンクされ、それによって、Ｐ３−心筋保護液圧力センサモジュールまたはＢ２−心筋保護液気泡検出モジュールのいずれかに関する介入ボタンの起動は、心筋保護液ポンプの動作に一時的に影響を及ぼす。本タブ付き表示ページはまた、非センサモジュール（すなわち、合計心筋保護液体積）を含み、これは、心筋保護手技の進行に関して患者に投与される流体体積の量を手動で追跡するために使用される。図３ｂによって示されるような区分１０８ｂのタブ付き表示ページはまた、心筋保護液休止時間を追跡することに関連するタイマモジュールと、心筋保護液送達モジュールとを含む。タブ付き表示ページ１１０は、「実際の心筋保護液をリセットする」と標識化されたリセットボタンを有し、これは、少なくとも２秒にわたってタッチまたは圧力起動されると、ページをリセットする。
【０１６５】
図３ａに示され、そのタブ１１１ａのみが図３ｂにおいて閲覧可能な部分であるような、タブ付き表示ページ１１１は、タイマ表示インターフェースに関連する。タブ付き表示ページ１１１は、非センサタイマモジュールを含み、これは、心肺バイパス中の灌流、クロスクランプ、および再灌流の持続時間を記録するために、心肺バイパス手技中に使用される種々のタイマを表示する。灌流、クロスクランプ、および再灌流を計時することに関連するこれらの非センサモジュールは、モジュール設定メニューボタンを含まない。タブ付き表示ページ１１１はまた、クリスタロイド送達タイマと、注入液タイマとを備えている非センサタイマモジュールを含み、これらは、モジュール設定メニューボタンから明白なように、クリスタロイド送達ポンプおよび注入液送達ポンプに動作可能にリンクされ得る。タブ付き表示ページ１１１はまた、非センサカウントアップタイマと、カウントダウンタイマモジュールとを含み得、これは、カウントアップタイマと、カウントダウンタイマとを含む。タブ付き表示ページ１１１のタイマの各々は、少なくとも２秒にわたって対応するタイマリセットフィールドを連続的に押下することによって、選択的にリセットされ得る。
【０１６６】
（非限定的例証的タブ付き表示ページ計算器構成）
タブ付き表示ページ１１２が、図２２ａおよび２２ｂに図示され、本開示のある実施形態による、体重ベースの標的流量計算器ユーザインターフェースに関連する。タブ付き表示ページ１１２は、インターフェースのユーザが、それぞれ、ＤｕＢｏｉｓ公式、Ｂｏｙｄ公式、またはＭｏｓｔｅｌｌｅｒ公式を採用することを所望するかに応じて、３つの公式選択ボタン３０２、３０４、３０６を有する体表面積公式選択モジュール３００を含み、タッチまたは圧力感受性キーパッド３１２を使用して、それぞれ、データフィールド３０８および３１０内に入力されるメートル単位における患者の身長および体重に基づいて、体表面積（ＢＳＡ）を計算する。計算されたＢＳＡは、データフィールド３１４内に表示される。タブ付き表示ページ１１２はまた、患者の計算されたＢＳＡおよびデータフィールド３１８（図２２ａ）内に入力される標的心臓指数の積、または患者の体重およびデータフィールド３２０（図２２ｂ）内に入力される標的流量指数（ＣＩ）の積のいずれかとして、ユーザが体外血流回路３に関する患者の標的流量を計算することを可能にする標的流量モジュール３１６を含む。ユーザは、ＢＳＡベースの標的流量計算ボタン３２２または体重ベースの標的流量計算ボタン３２４のいずれかを起動することによって、どちらの標的流量計算を実施するかを選択し得る。標的流量計算の結果は、データフィールド３２６内に表示される。上記の計算の全ては、プロセッサ３０によって実施される。
【０１６７】
タブ付き表示ページ１１４が、図２３ａ、２３ｂ、２３ｃ、および２３ｄに図示され、本開示のある実施形態による、灌流計算器ユーザインターフェースに関連する。タブ付き表示ページ１１４は、ユーザが、患者パラメータを入力する、心肺内流体（内部ＣＰＢ）を計算する、患者に対するヘパリン投薬量を計算する、または患者の指標付き酸素送達ＤＯ２Ｉおよび指標付き酸素消費ＶＯ２Ｉならびに、随意に、その比率を計算することを可能にするモジュールを選択するための、それぞれ、４つのタッチまたは圧力感受性選択ボタン３３２、３３４、３３６、３３８を有する灌流パラメータ選択モジュール３３０を含み、これらは、米国特許出願公開第ＵＳ  ２００６／０２５７２８３  Ａ１号（これが開示する全てに関して、参照することによって本明細書に組み込まれる）等に開示されるように、患者を監視するときに有用な臨床パラメータである。タッチまたは圧力感受性選択ボタン３３２、３３４、３３６、３３８に照らして、タブ付き表示ページ１１４は、非ネスト化サブ階層化構造を有し、これは、ネスト化構造とは実質的に異なる。タブ付き表示ページ１１４はまた、データ入力のために使用されるデータフィールドにデータを入力するためのキーパッド３４０を含む。
【０１６８】
「患者統計」ボタン３３２がタッチまたは圧力起動されると、タブ付き表示ページ１１４は、図２３ａによって示されるように、患者統計データ入力ユーザインターフェースを表示し、これは、データ入力フィールド３５０と、データ出力フィールド３４２、３４４、３４６、３４８、３５２、３５４、および３５６とを有する。データ出力フィールド３４２は、タブ付き表示ページ１１２のデータ入力フィールド３０８に入力されるような患者の身長を自動投入される身長データフィールドを有する。データ出力フィールド３４４は、タブ付き表示ページ１１２のデータ入力フィールド３１０に入力されるような患者の体重を自動投入される体重データフィールドを有する。データ出力フィールド３４６は、タブ付き表示ページ１１２を使用して選択可能なＢＳＡ公式のうちの１つを使用して、プロセッサ３０によって計算される患者の体表面積（ＢＳＡ）を出力するためのＢＳＡデータフィールドを有する。データ出力フィールド３４８は、公知の公式ならびにデータ出力フィールド３４２および３４４に自動投入された身長および体重データを使用して、プロセッサ３０によって計算される患者の肥満度指数を出力するための肥満度指数（ＢＭＩ）データフィールドを有する。データ入力フィールド３５０は、キーパッド３４０を使用して、他の計算において使用するための体重比あたりの推定される血管内血液体積を入力するための体積／ｋｇデータフィールドを有する。データ出力フィールド３５２は、公知の公式ならびにデータ出力フィールド３４２、３４４、およびデータ入力フィールド３５０によって表示されるデータに基づいて、プロセッサ３０によって計算される患者に関する推定される事前ＣＰＢ血液体積を出力するための事前ＣＰＢ体積データフィールドを有する。データ出力フィールド３５４は、タブ付き表示ページ１１２の体表面積公式選択モジュール３００から選択されるように、患者のＢＳＡを計算するために使用される選択されたＢＳＡ公式（すなわち、ＤｕＢｏｉｓ、Ｂｏｙｄ、またはＭｏｓｔｅｌｌｅｒ）を表示するためのデータフィールドを有する。データ出力フィールド３５６は、プロセッサ３０によって計算されたＢＭＩおよび一般的に採用される体重特性評価パラダイムに基づいてプロセッサ３０によって選択される、体重特性評価（すなわち、低体重、正常、過体重、肥満）を出力するための体重分類フィールドを有する。
【０１６９】
「内部ＣＰＢ流体」ボタン３３４が、タッチまたは圧力起動されると、タブ付き表示ページ１１４は、図２３ｂによって示されるように、内部ＣＰＢ流体データ入力ユーザインターフェースを表示し、これは、データ入力フィールド３６０、３６２、３６４、３６６、３６８、３７２と、データ出力フィールド３７０および３７４とを有する。キーパッド３４０が、データをデータ入力フィールドに入力するために使用される。データ入力フィールド３６０は、心肺バイパスシステム２をプライミングするために要求されるプライミング体積を入力するためのプライミング体積データフィールドを有する。データ入力フィールド３６２は、ＣＰＢ手技中に患者に輸血される濃厚赤血球（ｐＲＢＣ）の体積を入力するためのｐＲＢＣ体積データフィールドを有する。データ入力フィールド３６４は、ＣＰＢ手技が実施される医療設備におけるｐＲＢＣのヘマトクリット（Ｈｃｔ）を入力するためのｐＲＢＣ  Ｈｃｔデータフィールドを有する。データ入力フィールド３６６は、ＣＰＢ手技中のその時点までに患者に注入された静脈内流体（すなわち、クリスタロイド、生理食塩水、血小板、新鮮な凍結血漿等）の体積を入力するためのＩＶ流体データフィールドを有する。データ入力フィールド３６８は、ＣＰＢ手技の開始時に体外血流回路３から除去されたプライミング外れ体積を入力するためのプライミング外れ体積データフィールドを有する。データ出力フィールド３７０は、２０１５年５月１３日に出願された米国仮特許出願第６２／１６０，６８９号およびその対応する米国特許出願公開第ＵＳ  ＸＸＸＸ／ＹＹＹＹＹＹＹＹ号（その両方が、参照することによって本明細書に組み込まれる）等に開示されるような、公知の公式を使用して、データ入力フィールド３６０、３６２、３６４、３６６、３６８からの入力されたデータを使用して、プロセッサ３０によって計算される患者の内部ＣＰＢ体積を表示するための内部ＣＰＢ体積データフィールドを有する。データ入力フィールド３７２は、ＣＰＢ手技の開始前に測定されるような患者のＨｃｔを入力するための事前ＣＰＢ−Ｈｃｔデータフィールドを有する。データ出力フィールド３７４は、公知の公式に従って、入力されるデータを使用してプロセッサ３０によって計算される、ＣＰＢ手技中の患者の推定されるヘマトクリットを表示するための推定ＣＰＢ  Ｈｃｔデータフィールドを有する。例えば、２０１５年５月１３日に出願された米国仮特許出願第６２／１６０，６８９号およびその対応する米国特許出願公開第ＵＳ  ＸＸＸＸ／ＹＹＹＹＹＹＹＹ号を参照されたい。
【０１７０】
「ヘパリン投薬量」ボタン３３６がタッチまたは圧力起動されると、タブ付き表示ページ１１４は、図２３ｃによって示されるように、ヘパリン投薬量表を表示し、これは、体重あたりヘパリン投薬量列３８０と、列３８０によって表示されるデータおよびタブ付き表示ページ１１２のデータフィールド３０８に入力された患者の体重に基づいて、プロセッサ３０によって計算され、計算されたヘパリン投薬量を自動投入される、ヘパリン計算投薬量列３８２とを有する。列３８０および３８２から明白なように、各行は、列３８０からの体重あたりヘパリン投薬量を列３８２からのその計算されたヘパリン投薬量と対合させる。例えば、体重が８０ｋｇの患者に関して、２４，０００単位の計算されたヘパリンの投薬量は、３００単位／ｋｇの投薬量に対応する。
【０１７１】
「指標付きＤＯ２／ＶＯ２」ボタン３３８がタッチまたは圧力起動されると、タブ付き表示ページ１１４は、図２３ｄによって示されるように、臨床データ入力ユーザインターフェースを表示し、これは、データ入力フィールド３９０、３９２、３９４、３９６、３９８、４００と、データ出力フィールド４０２および４０４とを有する。キーパッド３４０が、データをデータ入力フィールドに入力するために使用される。データ入力フィールド３９０は、患者のヘモグロビンデータを入力するためのヘモグロビン（Ｈｂ）データフィールドを有する。データ入力フィールド３９２は、患者の動脈血液酸素飽和度データを入力するための動脈血液酸素飽和度（ＳａＯ２）データフィールドを有する。データ入力フィールド３９４は、患者の動脈酸素分圧データを入力するための動脈酸素分圧（ＰａＯ２）データフィールドを有する。データ入力フィールド３９６は、体外血流回路３からのポンプ流量（ＣＯ）データを入力するためのポンプ流量データフィールドを有する。データ入力フィールド３９８は、患者の静脈血液酸素飽和度データを入力するための静脈血液酸素飽和度（ＳｖＯ２）データフィールドを有する。データ入力フィールド４００は、患者の静脈酸素分圧データを入力するための静脈酸素分圧（ＰｖＯ２）データフィールドを有する。データ出力フィールド４０２は、公知の公式に従って、入力データフィールド３９０、３９２、３９４、３９６、３９８、４００に入力されたデータを使用して、プロセッサ３０によって計算される指標付き酸素送達（ＤＯ２Ｉ）値を表示するための指標付き酸素送達（ＤＯ２Ｉ）データフィールドを有する。データ出力フィールド４０４は、公知の公式に従って、入力データフィールド３９０、３９２、３９４、３９６、３９８、４００に入力されたデータを使用して、プロセッサ３０によって計算される指標付き酸素消費（ＶＯ２Ｉ）値を表示するための指標付き酸素消費（ＶＯ２Ｉ）データフィールドを有する。
【０１７２】
（非限定的例証的タブ付き表示ページ患者モニタ構成）
本開示のある実施形態によると、タブ付き表示ページ１１７は、タブ付き表示ページ１１４と代用され得る。図２４に示されるように、タブ付き表示ページ１１７は、ユーザが、患者パラメータを入力する、心肺内流体（内部ＣＰＢ）を計算する、患者に対するヘパリン投薬量を計算する、または患者を監視するときに有用な臨床パラメータを監視することを可能にするモジュールを選択するための、それぞれ、４つのタッチまたは圧力感受性選択ボタン３３２、３３４、３３６、４１２を有する灌流パラメータ選択モジュール４１０を含む。タッチまたは圧力感受性選択ボタン３３２、３３４、および３３６は、モニタボタン４１２が「指標付きＤＯ２／ＶＯ２」ボタン３３８と代用され、実質的に異なるユーザインターフェースを起動することを除いて、それぞれ、図２３ａ、２３ｂ、および２３ｃによって図示される実質的に同一のユーザインターフェースを起動する。タブ付き表示ページ１１７は、それ自身の一意のタブ１１７ａを有する。タブ付き表示ページ１１７は、タッチまたは圧力感受性選択ボタン３３２、３３４、３３６、４１２によって提供される非ネスト化サブ階層化構造を有する。
【０１７３】
「モニタ」ボタン４１２がタッチまたは圧力起動されると、タブ付き表示ページ１１７は、図２４によって示されるように、臨床パラメータ監視インターフェースを表示し、これは、データ出力フィールド４１４、４１６、４１８、４１９、４２０、４２２、４２４、４２５、４２６、４２８、４３０、４３２を有する。データ出力フィールド４１４、４１６、４１８、４２０、４２２、および４２４は、センサ出力フィールドを構成し、フィールド設定メニューボタン４３４を含み、これは、各フィールドを適切なデータセンサにリンクするために使用され、モジュール設定メニューボタン１２４と類似する様式でアラーム（すなわち、高優先順位アラーム、中優先順位アラーム、低優先順位アラーム）を設定するために使用され得る。データ出力フィールド４２６、４２８、４３０、および４３２は、計算出力フィールドを構成し、高優先順位アラーム、中優先順位アラーム、および低優先順位アラームから成る群から選択される１つ以上のアラーム等のアラームを設定するためのフィールド設定メニューボタン４３５を含む。
【０１７４】
例えば、データ出力フィールド４１４は、連続的様式でＨＣＴセンサ９５から導出される患者のヘモグロビンデータを表示するためのヘモグロビン（Ｈｂ）データフィールドを有する。本開示の別の実施形態では、データ出力フィールド４１４は、ヘモグロビンデータフィールド内のヘモグロビンデータの代わりに、ヘマトクリットデータフィールド内にヘマトクリットデータを表示し得る、またはセンサは、ヘモグロビンセンサであり得る。ヘモグロビンおよびヘマトクリットは、概して、関係Ｈｃｔ＝３・（Ｈｂ）によって関連するため、ヘモグロビンおよびヘマトクリットは、本開示の目的として、同等かつ同義的と見なされる。フィールド４１４のフィールド設定メニューボタン４３４がタッチまたは圧力起動されると、フィールド設定メニューが、起動され、閲覧可能にされ、したがって、ユーザは、フィールド４１４内に測定されたＨｂデータまたはＨＣＴデータを表示するために、ＨＣＴセンサ９５をフィールド４１４にリンクし得、したがって、ユーザは、フィールド４１４に対して任意の所望のＨｂ／ＨＣＴ高、中、および／または低優先順位アラームを設定し得る。Ｈｂ／ＨＣＴ高、中、および低優先順位アラームのグラフィカル表示は、温度センサモジュール１８２または流量センサモジュール１９２に関して採用される色スキームおよび構成を模倣し得る。
【０１７５】
データ出力フィールド４１６は、連続的様式でＳａＯ２を測定する動脈血液ガスセンサアセンブリ９４から導出される患者の動脈血液酸素飽和度データを表示するための動脈血液酸素飽和度（ＳａＯ２）データフィールドを有する。フィールド４１６のフィールド設定メニューボタン４３４がタッチまたは圧力起動されると、フィールド設定メニューが、起動され、閲覧可能にされ、したがって、ユーザは、フィールド４１６内にＳａＯ２データを表示するために、動脈血液ガスセンサアセンブリ９４をフィールド４１６にリンクし得、したがって、ユーザは、フィールド４１６に対して任意の所望のＳａＯ２高、中、および／または低優先順位アラームを設定し得る。
【０１７６】
データ出力フィールド４１８は、連続的様式でＰａＯ２を測定する動脈血液ガスセンサアセンブリ９４から導出される患者の動脈酸素分圧データを表示するための動脈酸素分圧（ＰａＯ２）データフィールドを有する。フィールド４１８のフィールド設定メニューボタン４３４がタッチまたは圧力起動されると、フィールド設定メニューが、起動され、閲覧可能にされ、したがって、ユーザは、フィールド４１８内にＰａＯ２データを表示するために、動脈血液ガスセンサアセンブリ９４をフィールド４１８にリンクし得、したがって、ユーザは、フィールド４１８に対して任意の所望のＰａＯ２高、中、および／または低優先順位アラームを設定し得る。
【０１７７】
データ出力フィールド４１９は、連続的様式でｅｘｐＣＯ２を測定するカプノグラフ９６から導出される患者の呼気の二酸化炭素分圧データを表示するための呼気ＣＯ２（ｅｘｐＣＯ２）データフィールドを有する。フィールド４１９のフィールド設定メニューボタン４３４がタッチまたは圧力起動されると、フィールド設定メニューが、起動され、閲覧可能にされ、したがって、ユーザは、フィールド４１９内にｅｘｐＣＯ２データを表示するために、カプノグラフ９６をフィールド４１９にリンクし得、したがって、ユーザは、フィールド４１９に対して任意の所望のｅｘｐＣＯ２高、中、および／または低優先順位アラームを設定し得る。
【０１７８】
データ出力フィールド４２０は、連続的様式で圧送血流センサ９０によって取得されるような、体外血流回路からのポンプ流量（ＣＯ）データを入力するためのポンプ流量データフィールドを有する。フィールド４２０のフィールド設定メニューボタン４３４がタッチまたは圧力起動されると、フィールド設定メニューが、起動され、閲覧可能にされ、したがって、ユーザは、フィールド４２０内に血液流体流量データを表示するために、血流センサ９０をフィールド４２０にリンクし得、したがって、ユーザは、フィールド４２０に対して任意の所望の血液流体流量高、中、および／または低優先順位アラームを設定し得る。
【０１７９】
データ出力フィールド４２２は、連続的様式でＳｖＯ２を測定する静脈血液ガスセンサアセンブリ９２から導出される患者の静脈血液酸素飽和度データを表示するための静脈血液酸素飽和度（ＳｖＯ２）データフィールドを有する。フィールド４２２のフィールド設定メニューボタン４３４がタッチまたは圧力起動されると、フィールド設定メニューが、起動され、閲覧可能にされ、したがって、ユーザは、フィールド４２２内にＳｖＯ２データを表示するために、静脈血液ガスセンサアセンブリ９２をフィールド４２２にリンクし得、したがって、ユーザは、フィールド４２２に対して任意の所望のＳｖＯ２高、中、および／または低優先順位アラームを設定し得る。
【０１８０】
データ出力フィールド４２４は、連続的様式でＰｖＯ２を測定する静脈血液ガスセンサアセンブリ９２から導出される患者の静脈酸素分圧データを表示するための静脈酸素分圧（ＰｖＯ２）データフィールドを有する。フィールド４２４のフィールド設定メニューボタン４３４がタッチまたは圧力起動されると、フィールド設定メニューが、起動され、閲覧可能にされ、したがって、ユーザは、フィールド４２４内にＰｖＯ２データを表示するために、静脈血液ガスセンサアセンブリ９２をフィールド４２４にリンクし得、したがって、ユーザは、フィールド４２４に対して任意の所望のＰｖＯ２高、中、および／または低優先順位アラームを設定し得る。
【０１８１】
データ出力フィールド４２５は、連続的様式で血中乳酸レベルを測定するインライン血中乳酸センサ９９から導出される患者の血中乳酸データを表示するための血中乳酸データフィールドを有する。フィールド４２５のフィールド設定メニューボタン４３４がタッチまたは圧力起動されると、フィールド設定メニューが、起動され、閲覧可能にされ、したがって、ユーザは、フィールド４２５内に血中乳酸データを表示するために、血中乳酸センサ９９をフィールド４２５にリンクし得、したがって、ユーザは、フィールド４２５に対して任意の所望の血中乳酸高、中、および／または低優先順位アラームを設定し得る。
【０１８２】
データ出力フィールド４２６は、公知の公式に従って、ＨＣＴセンサ９５、圧送血流センサ９０、および動脈血液ガスセンサアセンブリ９４から入力されたデータならびにタブ付き表示ページ１１２を介するデータ入力から計算された患者のＢＳＡを使用して、プロセッサ３０によって計算された指標付き酸素送達（ＤＯ２Ｉ）値を表示するための指標付き酸素送達（ＤＯ２Ｉ）データフィールドを有する。フィールド４２６のフィールド設定メニューボタン４３５がタッチまたは圧力起動されると、フィールド設定メニューが、起動され、閲覧可能にされ、したがって、ユーザは、フィールド４２６に対して所望のＤＯ２Ｉ高、中、および／または低優先順位アラームを設定し得る。
【０１８３】
データ出力フィールド４２８は、公知の公式に従って、ＨＣＴセンサ９５、圧送血流センサ９０、動脈血液ガスセンサアセンブリ９２、および静脈血液ガスセンサアセンブリ９４から入力されたデータならびにタブ付き表示ページ１１２を介するデータ入力から計算された患者のＢＳＡを使用して、プロセッサ３０によって計算された指標付き酸素消費（ＶＯ２Ｉ）値を表示するための指標付き酸素消費（ＶＯ２Ｉ）データフィールドを有する。フィールド４２８のフィールド設定メニューボタン４３５がタッチまたは圧力起動されると、フィールド設定メニューが、起動され、閲覧可能にされ、したがって、ユーザは、フィールド４２６に対して所望のＶＯ２Ｉ高、中、および／または低優先順位アラームを設定し得る。
【０１８４】
データ出力フィールド４３０は、公知の公式に従って、プロセッサ３０によって計算される指標付き酸素消費（ＶＯ２Ｉ）に対する指標付き酸素送達（ＤＯ２Ｉ）の比率の値を表示するための（ＤＯ２Ｉ）／（ＶＯ２Ｉ）比率データフィールドを有する。フィールド４３０のフィールド設定メニューボタン４３５がタッチまたは圧力起動されると、フィールド設定メニューが、起動され、閲覧可能にされ、したがって、ユーザは、フィールド４３０に対して所望の（ＤＯ２Ｉ）／（ＶＯ２Ｉ）比率高、中、および／または低優先順位アラームを設定し得る。
【０１８５】
データ出力フィールド４３２は、ＨＣＴセンサ９５、圧送血流センサ９０、動脈血液ガスセンサアセンブリ９２、およびカプノグラフ９６からのデータ入力を使用して、公知の公式に従ってプロセッサ３０によって計算される、指標付き二酸化炭素生産（ＶＣＯ２Ｉ）に対する指標付き酸素送達（ＤＯ２Ｉ）の比率の値を表示するための（ＤＯ２Ｉ）／（ＶＣＯ２Ｉ）比率データフィールドを有する。フィールド４３２のフィールド設定メニューボタン４３５がタッチまたは圧力起動されると、フィールド設定メニューが、起動され、閲覧可能にされ、したがって、ユーザは、フィールド４３２に対して所望の（ＤＯ２Ｉ）／（ＶＣＯ２Ｉ）比率高、中、および／または低優先順位アラームを設定し得る。
【０１８６】
本開示のある実施形態によると、タブ付き表示ページ１１７と同一の患者監視構成を伴うタブなし表示ページが、タブ付き表示ページ１１７の代わりに実装され得る。本実施形態では、タブなし表示ページは、これがいかなるタブも有しておらず、それ自身の区分１０８内に連続的に表示されることを除いて、タブ付き表示ページ１１７の実質的に同一のデータ出力フィールドおよび機能性を保有する患者監視構成を提供される。そのような実施形態では、本タブなし患者監視表示ページは、タブなし表示ページ１１５に加えて、連続的に表示される連続的患者監視表示ページを提供し、したがって、中心監視部分１０６は、それぞれ、それ自身の区分１０８内に２つのタブなし表示ページを提供され、中心監視部分１０６の残りの区分１０８は、それぞれ、１つ以上のタブ付き表示ページを提供される。本開示の別の実施形態によると、中心監視部分１０６の１つの区分１０８は、単一のタブなし表示ページ、すなわち、タブなし患者監視表示ページを提供され、中心監視部分１０６の残りの区分１０８は、１つ以上のタブ付き表示ページ（好ましくは、区分あたり１〜４つのタブ付き表示ページ）を投入される。
【０１８７】
（付加的センサのための非限定的例証的タブ付き表示ページ構成）
区分１０８ｄのタブ付き表示ページ１１６および区分１０８ｃのタブ付き表示ページ１２２は、それを通してユーザによって所望される種々の付加的センサが、グラフィカルユーザインターフェース１００にリンクされ、それによって、ユーザによって監視可能である、センサページを構成する。したがって、任意の付加的圧力センサモジュール、気泡検出センサモジュール、レベルセンサモジュール、温度センサモジュール、流量センサモジュール、圧力デルタセンサモジュール、および同等物が、区分１０８ｃおよび１０８ｄのそのような付加的センサページにおいて任意の順序で構成され得る。図３ａおよび３ｂに示される実施例は、単に、例示的であり、限定的実施例および／または好ましい実施例として解釈されるべきではない。
【０１８８】
（ヒータ／クーラユニットの遠隔制御のための非限定的例証的タブ付き表示ページ構成）
区分１０８ｃまたは区分１０８ｄ内に位置し得るようなタブ付き表示ページ１１８は、心肺バイパス手技中にヒータ−クーラユニット８５を使用して、患者の加熱−冷却を遠隔制御する、および／または心筋保護中に加熱−冷却を遠隔制御するために使用され得るような、ヒータ／クーラ遠隔制御ユーザインターフェースを構成する。図２５ａに示されるように、タブ付き表示ページ１１８は、タブ付き表示ページ１１８のスクリーン４４１に関する構成を選択するために使用される、スクリーン選択モジュール４４０を含む。スクリーン選択モジュール４４０は、ホームボタン４４２と、スクリーン設定ボタン４４４と、ヒータ−クーラユニット機能ボタン４４６と、ヒータ−クーラユニットアラームボタン４４８とを含み、これらは全て、タッチまたは圧力起動される。ホームボタン４４２の起動は、図２５ａによる、スクリーン構成の表示をもたらす。スクリーン設定ボタン４４４の起動は、図２５ｂによる、スクリーン構成の表示をもたらし、これは、患者の身体および心筋保護液に関する温度設定点ならびに加温および／または冷却において使用される温度勾配等の温度パラメータを設定するために使用される。ヒータ−クーラユニット機能ボタン４４６の起動は、図２５ｃによる、スクリーン構成の表示をもたらし、これは、ヒータ−クーラユニット８５のコンプレッサの動作を管理し、患者および／または心筋保護液加熱−冷却回路の脱気を開始し、ならびに患者および／または心筋保護液加熱−冷却回路の管の排出を開始するために使用される。ヒータ−クーラアラームボタン４４８の起動は、図２５ｄによる、スクリーン構成の表示をもたらし、これは、ヒータ−クーラユニット８５に関連する任意のアラーム状態に関連するメッセージを精査するために使用される。図２５ａおよび２５ｄから明白なように、ヒータ−クーラユニットアラームボタン４４４のアイコンおよび／または色スキームは、通常状態（すなわち、アラームなし）から高優先順位アラーム状態（すなわち、３つの感嘆符を伴うアラーム）に切り替わり、それによって、アラーム状態に関連する付加的情報を精査するために、ヒータ−クーラユニットアラームボタン４４４を起動するようにユーザに通知し得る。
【０１８９】
図２５ａのスクリーンは、以下のようにより詳細に説明される。図２５ａによるスクリーンは、ヒータ−クーラ温度モジュール４５０、４５２、４５４、および４５６を含む。これらの温度モジュールの各々は、温度センサによって取得される温度データを表示するための温度値フィールド４５８を含む。温度モジュール４５０は、患者アイコンに関連付けられる用語「Ｔ  Ｏｕｔ」を含むタイトルフィールド４６０を含み、これは、このモジュールがヒータ−クーラユニット８５の患者回路に関する実際の出力温度を表示することを示す。温度モジュール４５２は、心臓アイコンに関連付けられる用語「Ｔ  Ｏｕｔ」を含むタイトルフィールド４６２を含み、これは、このモジュールがヒータ−クーラユニット８５の心筋保護液回路に関する実際の出力温度を表示することを示す。温度モジュール４５４は、患者アイコンに関連付けられる「Ｔ  Ｓｅｔ」ボタン４６４を含み、これは、本ボタン４６４が、タッチまたは圧力によって、ヒータ−クーラユニット８５の患者回路に関する設定温度を設定するためのメニュースクリーンを起動することを示す。温度モジュール４５６は、心臓アイコンに関連付けられる「Ｔ  Ｓｅｔ」ボタン４６６を含み、これは、本ボタン４６６が、タッチまたは圧力に続いて、ヒータ−クーラユニット８５の心筋保護液回路に関する設定温度を設定するためのメニュースクリーンを起動することを示す。
【０１９０】
図２５ａのスクリーンはまた、患者回路モジュール４７０と、心筋保護液回路モジュールとを含む。患者回路モジュール４７０は、複数の患者回路制御状態から選択するために使用される、患者回路制御ボタン４７４を含む。患者回路モジュール４７０はさらに、患者加温ボタン４７８と、患者冷却ボタン４８０とを含む。タッチまたは圧力によって起動されると、患者加温ボタン４７８は、患者加温温度設定点および患者加温温度勾配を確認またはキャンセルするために使用されるスクリーンの表示を引き起こす。タッチまたは圧力によって起動されると、患者冷却ボタン４８０は、患者冷却温度設定点および患者冷却温度勾配を確認またはキャンセルするために使用されるスクリーンの表示を引き起こす。
【０１９１】
心筋保護液回路モジュール４７２は、複数の心筋保護液回路制御状態から選択するために使用される、心筋保護液回路制御ボタン４７６を含む。心筋保護液回路モジュール４７２はさらに、心筋保護液加温ボタン４８２と、心筋保護液冷却ボタン４８４とを含む。タッチまたは圧力によって起動されると、心筋保護液加温ボタン４８２は、心筋保護液加温温度設定点および心筋保護液加温温度勾配を確認またはキャンセルするために使用されるスクリーンの表示を引き起こす。タッチまたは圧力によって起動されると、心筋保護液冷却ボタン４８４は、心筋保護液冷却温度設定点および心筋保護液冷却温度勾配を確認またはキャンセルするために使用されるスクリーンの表示を引き起こす。
【０１９２】
（汎用計算器のための非限定的例証的タブ付き表示ページ構成）
図２６に示されるように、タブ付き表示ページ１２０は、加算、減算、乗算、除算、および逆関数等の標準的算術機能を提供される汎用計算器として構成される。汎用計算器はまた、ポンドからキログラム、キログラムからポンド、インチからセンチメートル、およびセンチメートルからインチ等のいくつかの単位変換機能を提供される。
【０１９３】
（血流の脈動制御のための非限定的例証的タブ付き表示ページ構成）
タブ付き表示ページ１２３が、図２７に図示され、動脈ポンプ３８が回路３内で動作しているとき、体外血流回路３を通して流動する血液流体の脈動特性を制御するために使用されるような、本開示のある実施形態による、脈動制御ユーザインターフェースに関連する。そのような脈動制御は、有利なこととして、より生理学的である体外血流回路３内の脈動血流を提供し、したがって、非脈動流によって達成可能ではない灌流利点を生産し得る。
【０１９４】
タブ付き表示ページ１２３は、脈動制御モジュール４９０と、最大流量モジュール４９１と、開始時間モジュール４９２と、停止時間モジュール４９４と、パルス繰り返し数および周波数モジュール４９６と、基底流量モジュール４９８とを含む。脈動制御モジュール４９０は、固定タイトルフィールド５００と、脈動送達設定メニューボタン５０２と、脈動制御ボタン５０４とを含む。タッチまたは圧力による脈動送達設定メニューボタン５０２の起動は、脈動送達設定メニュースクリーンが可視になるようにし、これは、タブ付き表示ページ１２３の他のモジュール４９１、４９２、４９４、４９６、および４９８内に表示される制御パラメータを入力するためのグラフィカルユーザインターフェーススクリーンを構成する。少なくとも２秒にわたる連続的タッチまたは圧力による脈動制御ボタン５０４の起動は、タブ付き表示ページ１２３に動作可能にリンクされる動脈ポンプ３８を以下のように定義されるような特性を有する脈動流モードにおいて動作させる。
【０１９５】
最大流量モジュール４９１は、固定最大流量タイトルフィールド５０６と、固定単位フィールド５０８と、最大流量値フィールド５１０とを含む。最大流量値フィールド５１０は、脈動送達設定メニューを使用して設定されるような、脈動流に関する達成可能な最大流量値を表示する。
【０１９６】
開始時間モジュール４９２は、固定開始時間タイトルフィールド５１２と、ポンプ圧力がポンプサイクル中にその最大値に到達するためにかかる時間を心臓サイクルのパーセンテージとして表示する、開始時間値フィールド５１４とを含む。停止時間モジュール４９４は、固定停止時間タイトルフィールド５１６と、ポンプ圧力がポンプサイクル中にそのベースライン最小値に到達するためにかかる時間を心臓サイクルのパーセンテージとして表示する、停止時間値フィールド５１８とを含む。
【０１９７】
パルス繰り返し数および周波数モジュール４９６は、パルス繰り返し数および脈動周波数に関する固定タイトルフィールド５２０と、固定単位フィールド５２２と、ポンプ３８のパルス繰り返し数を心拍数（ｂｐｍ）およびポンプサイクルと心臓サイクルとの比率において表示する、パルス繰り返し数および脈動値フィールド５２４とを含む。この場合、表示される１：１比は、心臓サイクルあたり１回のポンプサイクルが存在することを意味する。
【０１９８】
基底流量モジュール４９８は、固定基底流量タイトルフィールド５２６と、基底流量を動脈ポンプ３８の標的流量のパーセンテージとして表示する、基底流量値フィールド５２８とを含む。動脈ポンプ３８の標的流量は、ユーザインターフェースシステム２０の別の部分２４の一部として別の場所に表示される。
【０１９９】
（臨床パラメータモニタ−シミュレータのための非限定的例証的タブ付き表示ページ構成）
本開示のある実施形態によると、グラフィカルユーザインターフェース１００は、臨床パラメータモニタ−シミュレータユーザインターフェース５９８を含み得る。臨床パラメータモニタ−シミュレータユーザインターフェース５９８は、タブ付き表示ページ１１７、６００、および６０２の組み合わせられた同時表示によって形成され、これは、ユーザがタブ１１７ａ、６００ａ、および６０２ａを並行してタッチまたは圧力起動すると起こり、したがって、タブ付き表示ページ１１７、６００、および６０２は、図２８に示されるように、ともに表示モードにある。言い換えると、図２８等によって示されるように、タブ付き表示ページ１１７、６００、および６０２が、３つの異なる区分１０８、例えば、それぞれ、区分１０８ｂ、１０８ｃ、および１０８ｄ等内に同時に表示されると、これらの３つのタブ付き表示ページは、統一臨床パラメータモニタ−シミュレータグラフィカルインターフェースを形成するようにともに動作可能である。本開示によると、３つの動作可能に接続されたタブ付き表示ページによって形成されるそのようなテーマ別ユーザインターフェースは、タブ付き表示ページの三重対として特徴付けられ得る。本開示の他の実施形態によると、ともに表示される２つの動作可能に接続されたタブ付き表示ページによって形成されるテーマ別ユーザインターフェースが、タブ付き表示ページの二重対として特徴付けられ得る。
【０２００】
タブ付き表示ページ１１７は、上記に説明され、タッチまたは圧力感受性モニタボタン４１２が起動されると、患者モニタ構成を表示する（図２４参照）。タブ付き表示ページ６００は、シミュレータページを構成し、タブ付き表示ページ６０２は、シミュレータキーパッドページを構成し、これらはともに、患者の実際の臨床データに基づいて、リアルタイムかつ原位置で複数の仮説的臨床シナリオを試行するために、臨床シミュレータに関する臨床データを入力および操作するためのグラフィカルユーザインターフェースを提供する。したがって、統一臨床パラメータモニタ−シミュレータグラフィカルインターフェースは、臨床医に、例えば、心肺バイパス手技中に患者を管理することに関するタイムリーなガイダンスを提供するように動作可能である。
【０２０１】
図２９に示されるように、タブ付き表示ページ６０２は、タッチまたは圧力感受性であるタブ６０２ａを含む。タッチまたは圧力によるタブ６０２ａの起動は、表示モードにおけるタブ付き表示ページ６０２の表示をもたらし、対応する区分の残りのタブ付き表示ページは、次いで、オーバーレイモードにおいて表示される。タブ付き表示ページ６０２は、スナップボタン６１０と、繰り返しボタン６１２と、算出ボタン６１４と、全てクリアボタン６１６と、キーパッド６１８とを含み、その全ては、タッチスクリーン１７上でタッチまたは圧力起動される。スナップボタンは、タッチまたは圧力によって、タブ付き表示ページ６００のシミュレータスクリーンのデータフィールドアレイへのタブ付き表示ページ１１７の患者モニタによって表示される監視される患者データの転送をもたらすように動作可能である。繰り返しボタン６１２は、タッチまたは圧力によって、シミュレータスクリーンの第２または第３のデータフィールドアレイへの監視される患者データの複製転送をもたらすように動作可能である。算出ボタン６１４は、タッチまたは圧力によって、タブ付き表示ページ６００の１つ、２つ、または３つのデータフィールドアレイ内の患者データに基づいて、１つ以上の算出をもたらすように動作可能である。全てクリアボタンは、タッチまたは圧力によって、好ましくは、要求される２秒のホールドによって、シミュレータスクリーンのデータフィールドアレイによって表示される全ての監視される患者データのクリアならびにシミュレータスクリーンの算出フィールドアレイ内に含有される全ての計算された臨床パラメータのクリアをもたらすように動作可能である。
【０２０２】
キーパッド６１８は、公知のキーパッドコンポーネントのような、複数の数字および句読点キー６２０、ならびに上矢印キー６２２、下矢印キー６２４、バックスペースキー６２６、クリアキー６２８、および入力キー６３０を含む。種々のキーは、タブ付き表示ページ６００のシミュレータスクリーンの１つ以上のデータフィールドアレイ内のデータを操作するために使用される。上矢印キー６２２および下矢印キー６２４は、カーソルをデータフィールドアレイの上下に移動させるために使用される。バックスペースキー６２６は、データフィールド内の入力を一度に１つの数字だけ消去するために使用される一方、クリアキー６２８は、単一のデータフィールド内のデータの全てをクリアするために使用される。入力キー６３０は、カーソルを１つのデータフィールドアレイから別のデータフィールドアレイに移動させるために使用され得る。
【０２０３】
図３０ａは、タブ付き表示ページ６００を図示し、これは、タッチまたは圧力起動タブ６００ａを含み、これは、タブ６００ａがタッチまたは圧力によって起動されると、タブ付き表示ページ６００がその象限内に表示されるようにする。タブ付き表示ページ６００は、それぞれ、シナリオＮｏ．１、２、および３としてともに標識化される、３つの臨床データフィールドアレイ６４０、６４２、６４４と、それぞれ、対応する３つの算出データフィールドアレイ６５０、６５２、６５４とを含むシミュレータスクリーンを構成する。各臨床データフィールドアレイは、複数のデータ入力フィールドを含み、これらは、その中に臨床データ値が、タブ付き表示ページ６０２のキーパッド６１８を使用して入力され、選択的に操作されるデータフィールドである。データフィールドアレイ６４０、６４２、６４４等を形成するデータ入力フィールドは、その中にＩＶ流体体積データが入力されるＩＶ流体データ入力フィールド６４６と、その中に輸血されるｐＲＢＣの体積のデータが入力されるｐＲＢＣデータ入力フィールド６４８と、その中に患者呼気二酸化炭素データが入力されるｅｘｐＣＯ２データ入力フィールド６７０と、その中にポンプからの、および／または体外血流回路の血流データが入力される流量データ入力フィールド６７２と、その中に患者動脈酸素飽和度データが入力されるＳａＯ２データ入力フィールド６７４と、その中に患者動脈酸素分圧データが入力されるＰａＯ２データ入力フィールド６７６と、その中に患者静脈酸素飽和度データが入力されるＳｖＯ２データ入力フィールド６７８と、その中に患者静脈酸素分圧データが入力されるＰｖＯ２データ入力フィールド６８０とを含み得る。
【０２０４】
タブ付き表示ページ６０２のスナップボタン６１０を押下することによって、タブ付き表示ページ１１７（図２４）および／またはタブ付き表示ページ１１４（図２３ｂ）からの対応するデータフィールドによって表示される患者臨床データ値が、第１の臨床データフィールドアレイ６４０のデータ入力フィールドに瞬間的に自動投入されるように使用される。これは、図３０ａによって図示されるような場合であり、これは、患者臨床データ値を投入された第１の臨床データフィールドアレイ６４０を示し、スナップボタン６１０がある時点ｔ０において起動されると、自動投入される。ユーザが、続けて、ある後の時点ｔ１において再びスナップボタン６１０を押下した場合、第２の臨床データフィールドアレイ６４２は、後の時点ｔ１においてであるが、タブ付き表示ページ１１４、１１７の対応するデータフィールドからの患者臨床値を自動投入されるであろう。ユーザが、続けて、ある後の時点ｔ２において再びスナップボタンを押下した場合、第３の臨床データフィールドアレイ６４４は、さらに後の時点ｔ２に対応するが、タブ付き表示ページ１１４、１１７の対応するデータフィールドからの患者臨床値を自動投入されるであろう。３つの臨床データフィールドアレイ６４０、６４２、６４４がデータを投入されると、スナップボタン６１０の起動は、臨床データフィールドアレイ６４０、６４２、６４４内のデータが、例えば、全てクリアボタン６１６を起動することによってクリアされるまで、いかなる影響も及ぼさないであろう。本開示のある実施形態では、全てクリアボタン６１６のタッチまたは押下起動は、同時に、臨床データフィールドアレイ６４０、６４２、および６４４からのデータをプロセッサ３０に関連付けられるメモリデバイス内に記憶し、臨床データフィールドアレイ６４０、６４２、６４４をクリアする。本開示のある実施形態によると、メモリデバイスは、ハードウェアデバイスである。
【０２０５】
算出データフィールドアレイ６５０、６５２、６５４の各々は、複数のデータ表示フィールドを含み、これらは、２０１５年５月１３日に出願された米国仮特許出願第６２／１６０，６８９号およびその対応する米国特許出願公開第ＵＳ  ＸＸＸＸ／ＹＹＹＹＹＹＹＹ号、ならびに／または米国特許出願公開第ＵＳ  ２００６／０２５７２８３  Ａ１号（それらが開示する全てに関して、参照することによってその全体として本明細書に組み込まれる）によって開示されるもの等の公知の公式を使用して、算出された臨床データ値を表示するデータフィールドである。算出データフィールドアレイ６５０、６５２、６４４等を形成するデータ表示フィールドは、算出されたヘモグロビン値を表示する算出ヘモグロビンデータ表示フィールド６５５と、算出された指標付き酸素送達値を表示する指標付き酸素送達（ＤＯ２Ｉ）データ表示フィールド６５６と、算出された指標付き酸素消費値を表示する指標付き酸素消費（ＶＯ２Ｉ）データ表示フィールド６５８と、指標付き酸素消費に対する指標付き酸素送達の算出された比率（ＤＯ２Ｉ／ＶＯ２Ｉ）を表示する指標付き酸素消費データ表示フィールド６６０に対する指標付き酸素送達の算出された比率と、指標付き二酸化炭素生産に対する指標付き酸素送達の算出された比率（ＤＯ２Ｉ／ＶＣＯ２Ｉ）を表示する指標付き二酸化炭素生産データ表示フィールド６６２に対する指標付き酸素送達の算出された比率とを含み得る。
【０２０６】
算出データフィールドアレイ６５０等の算出データフィールドアレイのデータ表示フィールドに投入されるであろう算出データ値は、対応するデータフィールドアレイ６４０がデータを完全に投入され、次いで、タブ付き表示ページ６０２の算出ボタン６１４がタッチまたは圧力によって起動されると、プロセッサ３０によって計算される。それぞれ、対合される臨床および算出データフィールドアレイ６４０および６５０に関して上記に説明される同一の動作が、それぞれ、対合される臨床および算出データフィールドアレイ６４２および６５２ならびに対合される臨床および算出データフィールドアレイ６４４および６５４に適用される。
【０２０７】
図３０ｂは、タブ付き表示ページ６０２の繰り返しボタン６１２の効果を図示する。タッチまたは圧力による繰り返しボタン６１２の起動は、すぐ左の臨床データフィールドアレイのデータ入力フィールド内のデータを、同一のデータを用いてすぐ右の臨床データフィールドアレイのデータ入力フィールドに自動投入させる。したがって、臨床データフィールドアレイ６４０が図３０ａに示されるようにデータを投入されるとき、繰り返しボタン６１２の起動は、臨床データフィールドアレイ６４２が、図３０ｂに示されるように、臨床データフィールドアレイ６４０と同一のデータを投入されるようにする。繰り返しボタン６１２が再び起動される場合、空欄の臨床データフィールドアレイ６４４は、臨床データフィールドアレイ６４２に投入される同一のデータを自動投入されるであろう。繰り返しボタン６１２の目的は、異なるシナリオシミュレーションの可能な比較を行うために、仮説的臨床介入に基づいて、仮説的算出データ値を算出する前に、後続操作を目的として同一のデータを１つを上回る臨床データフィールドアレイにコピーすることを促進することである。
【０２０８】
繰り返しボタン６１２の起動は、臨床データフィールドアレイ６４０および６４２が空欄であるとき、いかなる影響も及ぼさない。繰り返しボタン６１２の起動はまた、３つの臨床データフィールドアレイがデータで満たされているとき、いかなる影響も及ぼさない。
【０２０９】
臨床データフィールドアレイ６４０、６４２、６４４が空欄であるとき、３回連続したスナップボタン６１０の起動は、各スナップショットが異なる時点ｔ０、ｔ１、ｔ２において起こり、スナップショットされたデータの多くは連続的に監視され、したがって、これが連続的に変化しているため、異なる情報による臨床データフィールドアレイ６４０、６４２、６４４の投入をもたらし得ることを理解されたい。一方、スナップボタン６１０の起動に続けて２回繰り返しボタン６１２を起動することは、臨床データフィールドアレイ６４０、６４２、６４４に同一のデータが投入されることをもたらすであろう。
【０２１０】
図３０ｃは、シミュレーションが臨床パラメータモニタ−シミュレータユーザインターフェース５９８を使用して患者ケアを促進するために使用され得る方法の非限定的実施例を図示する。本実施例では、臨床医は、全ての他のパラメータが一定に保持される場合、種々の量のｐＲＢＣ（例えば、２５０ｃｃ、５００ｃｃ、または７５０ｃｃ）が、ヘモグロビンレベルならびにＤＯ２Ｉ、ＶＯ２Ｉ、ＤＯ２Ｉ／ＶＯ２Ｉ、およびＤＯ２Ｉ／ＶＣＯ２Ｉ等の他の臨床パラメータに影響を及ぼし得る様子を探求し得る。本実施例では、臨床医は、スナップボタン６１０またはスナップボタン６１０および、次いで、繰り返しボタン６１２を起動することによって以前に提供された自動投入されたデータ入力を選択的に変更するために、キーパッド６１８を採用する。シミュレーションデータの入力に続いて、臨床医は、算出ボタン６１４を起動し、したがって、算出データフィールドアレイ６５０、６５２、６５４は、算出されたデータを投入される。
【０２１１】
輸血される血液の量を変動させることを対象とする本実施例は、単に、例示的であり、例えば、投与される合計ＩＶ流体および／または二酸化炭素生産（ｅｘｐＣＯ２）の変更等の他のパラメータを変動させる他のシミュレーションが実施され得るため、限定として解釈されるべきではない。一度に１つのパラメータのみが変動され、全ての他の変数は一定に保持されるシミュレーションが、実施され得る。一度に複数のパラメータが変動され、残りの他の変数は一定に保持される、シミュレーションが、実施され得る。シミュレーションはまた、変数が、１つ以上の他の変数の仮定された変更に起因して変化し得る様子に関する推定値および推測値を含み得る。
【０２１２】
図３０ｄは、推定値または推測値のいずれかを採用するシミュレーションの非限定的実施例を図示する。本開示による推定値は、シミュレーションにおいて使用される推定されるデータを生成するために、事実を基礎として使用され得る、別の計算に基づく、または患者についての履歴データに基づく仮説的データ点を構成する。一方、本開示による推測値は、それ自体が事実に基づかない仮説的データ点を構成し、これは、直感に基づき得る。例えば、患者の二酸化炭素生産が、再加温中に華氏１０度の体温の上昇に続いて増加し得ることが考えられる場合、シミュレーションに関する推測値は、例えば、患者の二酸化炭素生産ｅｘｐＣＯ２が１０％だけ上昇し得るという直感的推測を含み得る。したがって、そのような状況下では、患者のｅｘｐＣＯ２は、患者の体温を１０％増加させることが計画される場合、以前のベースラインよりも１０％高い推測値としてシミュレータに入力され得る。
【０２１３】
図３０ｄのシミュレーションによると、臨床データフィールドアレイ６４０は、スナップボタン６１０の起動からもたらされるタブ付き表示ページ１１４および１１７から自動投入されたデータを意味する、スナップショットされたデータから成る。臨床データフィールドアレイ６４２は、繰り返しボタン６１２を使用して、臨床データフィールドアレイ６４０から繰り返されたデータを構成し、データフィールドのいくつかは、次いで、キーパッド６１８を使用して仮説的データを含むように修正されている。より具体的には、臨床データフィールドアレイ６４０は、心肺バイパス手技中にスナップボタン６１０が起動される時間までに、２５０ｃｃのＩＶ流体および５００ｃｃのｐＲＢＣを受容した患者に対応し、患者は、３２．１ｍｍＨｇのｅｘｐＣＯ２、５．００ｌ／分の流量、９９％のＳａＯ２、２５０ｍｍＨｇのＰａＯ２、７３％のＳｖＯ２、および３６ｍｍＨｇのＰｖＯ２の測定された値を有する。シミュレーションによると、シミュレーションに関する仮説的データは、ｐＲＢＣ、ＳＶＯ２、およびＰｖＯ２に関して追加されており、これは、患者に与えられる別の２５０ｃｃのｐＲＢＣ輸血を反映し、輸血された血液が患者のＳｖＯ２およびＰｖＯ２を増加させるであろうという仮定に基づいて、それぞれ、８１および４０のＳｖＯ２およびＰｖＯ２に関する推定または推測された値を伴う。算出ボタン６１４を起動することは、次いで、算出されたデータが算出データフィールド６５０および６５２に投入されることをもたらし、これは、ヘモグロビン、指標付き酸素送達（ＤＯ２Ｉ）、指標付き酸素消費（ＶＯ２Ｉ）、および臨床転帰との相関を有することが公知である、またはそのように考えられる種々の比率等の公知の計算可能な臨床パラメータに基づいて、計画された介入が患者の臨床ステータスに影響を及ぼし得る様子についてのアイデアを臨床医に与える。例えば、Ｍ．Ｒａｎｎｕｃｉ、他による「Ａｎａｅｒｏｂｉｃ  Ｍｅｔａｂｏｌｉｓｍ  Ｄｕｒｉｎｇ  Ｃａｒｄｉｏｐｕｌｍｏｎａｒｙ  Ｂｙｐａｓｓ：  Ｐｒｅｄｉｃｔｉｖｅ  Ｖａｌｕｅ  ｏｆ  Ｃａｒｂｏｎ  Ｄｉｏｘｉｄｅ  Ｄｅｒｉｖｅｄ
Ｐａｒａｍｅｔｅｒｓ」（８１  ＡＮＮＵＡＬＳ  ＴＨＯＲＡＣＩＣ  ＳＵＲＧＵＲＹ
２１８９−２１９５（２００６年））によると、５またはそれを上回るＤＯ２Ｉ／ＶＣＯ２Ｉ比率は、改善された臨床転帰に関連付けられる。
【０２１４】
本開示のある実施形態によると、グラフィカルユーザインターフェース１００は、タブ付き表示ページ７００および７０２の組み合わせられた同時表示によって形成される臨床パラメータモニタ−シミュレータユーザインターフェース６９８を含み得、これは、ユーザがタブ７００ａおよび７０２ａを並行してタッチまたは圧力起動すると起こり、したがって、タブ付き表示ページ７００および７０２は、図３１に示されるように、ともに表示モードにある。言い換えると、図３１等によって示されるように、タブ付き表示ページ７００および７０２が、２つの異なる区分１０８、例えば、それぞれ、区分１０８ｃおよび１０８ｄ等内に同時に表示されると、これらの２つのタブ付き表示ページは、統一臨床パラメータモニタ−シミュレータグラフィカルインターフェース６９８を形成するようにともに動作可能である。本開示によると、２つの動作可能に接続されたタブ付き表示ページによって形成されるそのようなテーマ別ユーザインターフェースは、タブ付き表示ページの二重対として特徴付けられ得る。本開示のある実施形態によると、臨床パラメータモニタ−シミュレータユーザインターフェースは、単一のタブ付き表示ページ（すなわち、一重タブ付き表示ページ）によって形成され得、これは、患者モニタおよびシミュレータの両方を組み込む。
【０２１５】
タブ付き表示ページ７００は、患者モニタページを構成し、タブ付き表示ページ１１７と類似するが、しかしながら、タブ付き表示ページ７００は、単に、タブ７００ａのタッチまたは圧力起動によって表示モードにおいて起動可能である。タブ付き表示ページ７０２は、シミュレータスクリーン７０４およびシミュレータキーパッド７０６を構成し、これは、臨床医に、例えば、心肺バイパス手技中に患者を管理することに関するタイムリーなガイダンスを提供するために、患者の実際の臨床データに基づいて、リアルタイムかつ原位置で複数の仮説的臨床シナリオを試行するために、臨床シミュレータに関する臨床データを入力および操作するためのグラフィカルユーザインターフェースを提供する。
【０２１６】
タブ付き表示ページ７０２は、スナップボタンと、繰り返しボタンと、算出ボタンと、全てクリアボタンと、キーパッド７０６とを含み、その全ては、タッチスクリーン１７上でタッチまたは圧力起動される。スナップボタンは、タッチまたは圧力によって、タブ付き表示ページ７０２のシミュレータスクリーン７０４のデータフィールドアレイへのタブ付き表示ページ７００の患者モニタによって表示される監視される患者データの転送をもたらすように動作可能である。繰り返しボタンは、タッチまたは圧力によって、シミュレータスクリーン７０４の第２または第３のデータフィールドアレイへの監視される患者データの複製転送をもたらすように動作可能である。算出ボタンは、タッチまたは圧力によって、タブ付き表示ページ７０２の１つ、２つ、または３つのデータフィールドアレイ内の患者データに基づいて、１つ以上の算出をもたらすように動作可能である。全てクリアボタン（ＣＬＲ  ＡＬＬ）は、タッチまたは圧力によって、好ましくは、要求される２秒のホールドによって、シミュレータスクリーンのデータフィールドアレイによって表示される全ての監視される患者データのクリアならびにシミュレータスクリーンの算出フィールドアレイ内に含有される全ての計算された臨床パラメータのクリアをもたらすように動作可能である。シミュレータスクリーン７０４およびキーパッド７０６の動作は、タブ付き表示ページ６００および６０２の動作と実質的に同一である。タブ付き表示ページ７０２の全てクリアボタンは、保存動作をもたらし得、データフィールドアレイ内のデータは、データフィールドアレイがデータをクリアされると同時に、プロセッサ３０に関連付けられるメモリデバイスに保存される。
【０２１７】
二重臨床パラメータモニタ−シミュレータユーザインターフェース６９８が有する三重臨床パラメータモニタ−シミュレータユーザインターフェース５９８に優る利点は、二重ユーザインターフェース６９８が三重ユーザインターフェース５９８よりも少ないスペースを占めることである。三重ユーザインターフェース５９８が有する二重ユーザインターフェース６９８に優る利点は、三重ユーザインターフェース５９８が、これが監視およびシミュレーションのためのより広いスペースを有するため、二重ユーザインターフェース６９８よりも多くの臨床パラメータを監視およびシミュレートするために使用され得ることである。
【０２１８】
（血液監視ユニットとインターフェースをとるための非限定的例証的タブ付き表示ページ構成）
本開示のある実施形態によると、図３２に示されるように、グラフィカルユーザインターフェース１００は、血液監視ユーザインターフェース７１０を含み得、これは、心肺バイパス機械１のプロセッサ３０に動作可能に接続され得る、血液監視ユニットＢＭＵ４０（ＭＡＱＵＥＴ）等の血液監視ユニット８００とインターフェースをとるためのタブ付き表示ページである。血液監視ユニット（ＢＭＵ）８００は、体外血液循環中の生体血液パラメータの連続的測定のためのインライン監視デバイスであり、体外血流回路３の動脈側上の酸素分圧および温度ならびに体外血流回路の静脈側上の酸素飽和度、ヘモグロビン、ヘマトクリット、および温度を監視するためのセンサを含有し得る。
【０２１９】
血液監視ユニットインターフェース７１０は、タブ付き表示ページのために採用されるグラフィカルユーザインターフェース１００のセクタ１０８のうちのいずれか１つの中に配置され得るような、タブ７１２ａを伴うタブ付き表示ページ７１２を含む。図３２は、血液監視ユニットインターフェース７１０の非限定的実施形態を図示し、これは、静脈酸素飽和度センサモジュール７１４と、静脈温度モジュール７１６と、ヘモグロビンセンサモジュール７１８と、ヘマトクリットセンサモジュール７２０と、スナップショット機構７２２とを含み得る。
【０２２０】
静脈酸素飽和度センサモジュール７１４は、固定英数字タイトルフィールド７２４と、測定された静脈酸素飽和度の値を表示する静脈酸素飽和度値フィールド７２６とを含む。静脈酸素飽和度値フィールド７２６は、適切な単位フィールド（％）７２８に関連付けられる。静脈酸素飽和度センサモジュール７１４はまた、モジュール設定メニューボタン１２４を含む。
【０２２１】
静脈温度センサモジュール７１６は、固定英数字タイトルフィールド７３０と、測定された静脈温度の値を表示する静脈温度値フィールド７３２とを含む。静脈温度値フィールド７３２は、適切な単位フィールド（℃）７３４に関連付けられる。静脈温度センサモジュール７１６はまた、モジュール設定メニューボタン１２４を含む。
【０２２２】
ヘモグロビンセンサモジュール７１８は、固定英数字タイトルフィールド７３６と、測定された血中ヘモグロビンの値を表示するヘモグロビン値フィールド７３８とを含む。ヘモグロビン値フィールド７３８は、適切な単位フィールド（ｇ／ｄｌ）７４０に関連付けられる。ヘモグロビンセンサモジュール７１８はまた、モジュール設定メニューボタン１２４を含む。
【０２２３】
ヘマトクリットセンサモジュール７２０は、固定英数字タイトルフィールド７４２と、測定された血中ヘマトクリットの値を表示するヘマトクリット値フィールド７４４とを含む。ヘマトクリット値フィールド７４４は、適切な単位フィールド（％）７４６に関連付けられる。ヘマトクリットセンサモジュール７２０はまた、モジュール設定メニューボタン１２４を含む。
【０２２４】
スナップショット機構７２２は、タッチまたは圧力起動されると、静脈血液酸素飽和度（ＳｖＯ２）、静脈温度（Ｔｖｅｎ）、ヘモグロビン（Ｈｂ）、およびヘマトクリット（Ｈｃｔ）に関する表示された値を、記憶および後の読出のためにプロセッサ３０と動作可能に関連付けられるメモリデバイス（すなわち、ハードウェアメモリデバイス）に保存する、タッチスクリーン上のタッチまたは圧力感受性ボタンを構成する。関連付けられるメモリデバイスは、外部デバイスまたはプロセッサ３０のコンポーネントのいずれかとして、プロセッサ３０と動作可能に接続され得る。
【０２２５】
（グラフィカルユーザインターフェースのフッタ部分）
フッタ部分１０４は、主として、スクロール特徴を提供される表示フィールド７５０内に英数字エラーメッセージを表示する。フッタ部分１０４は、上スクロールボタン７５２および下スクロールボタンを提供され、その両方は、タッチまたは圧力起動される。上スクロールボタン７５２の起動は、表示フィールド７５０を表示フィールドを通して上にスクロールさせ、下スクロールボタン７５４の起動は、表示フィールド７５０を表示フィールドを通して下にスクロールさせる。表示フィールド７５０によって表示されるエラーメッセージは、誤動作、誤接続、切断、およびアラーム状態に関するメッセージを含む。フッタ部分１０４はまた、可変アラームメッセージアイコン７５６および利用可能ヘルプスクリーンボタン７５８を提供され得る。アラームメッセージアイコン７５６は、上記に説明されるような種々の高優先順位アラーム状態、中優先順位アラーム状態、および低優先順位アラーム状態に対応して、異なる色に遷移し、印を表示し、点滅するように構築される。
【０２２６】
例えば、アラームメッセージアイコン７５６は、高優先順位アラームが存在するとき、赤色を表示し、３つの感嘆符を伴う三角形を表示しながら、高優先順位アラーム状態を示す速度において点滅し得る。一方、アラームメッセージアイコン７５６は、中優先順位アラームが存在するとき、黄色を表示し、２つの感嘆符を伴う三角形を表示しながら、中優先順位アラーム状態を示す速度において点滅し得る。アラームメッセージアイコン７５６は、低優先順位アラームが存在するとき、１つの感嘆符を伴う三角形を表示しながら、点滅することなくシアン色を表示し得る。１つを上回るアラームが同時にトリガされている場合、アラームメッセージアイコン７５６は、現在実施されている最も高いレベルのアラームを示す状態に遷移するであろう。
【０２２７】
利用可能ヘルプスクリーンボタン７５８は、１つ以上のアラームがトリガされているときは常に、タッチスクリーン１７上で利用可能になるタッチまたは圧力起動可能ボタンである。したがって、本開示のある実施形態によると、利用可能ヘルプスクリーンボタン７５８は、起動されたアラームが存在するときのみ利用可能である（すなわち、そのときのみ表示される）。利用可能ヘルプスクリーンボタン７５８の起動は、フッタ部分１０４に、単一のアラームのみが起動されているとき、図４１ａに示されるように、単一のアラームヘルプスクリーンを表示させる、または複数のアラームがトリガされているとき、図４１ｂに示されるように、複数のアラームヘルプスクリーンを表示させる。図４１ａの単一のアラームヘルプスクリーンおよび図４１ｂの複数のアラームヘルプスクリーンは、単に、例示的であり、限定として解釈されるべきではない。
【０２２８】
（グラフィカルユーザインターフェースシステムのための設定機構）
グラフィカルユーザインターフェース１００のヘッダ１０２は、図３４ａに示されるように、システム構成メニューインターフェース８０２を起動するために使用されるシステム設定メニューボタン２１４を含む。システム構成メニューインターフェース８０２は、ネスト化構造を有し得、これは、設定機構を対象とせず、ネスト化構造ではないグラフィカルユーザインターフェース１００のそれらの部分とは異なる。言い換えると、本開示のある実施形態によると、システムおよびモジュール構成メニューインターフェースは、それらが設定機構に関連するため、ネスト化構造を有し得る一方、グラフィカルユーザインターフェースの臨床的に動作する部分は、主として、ネスト化構造ではないタブ選択可能ページ構造を提供される。
【０２２９】
システム設定メニューボタン２１４は、タッチまたは圧力起動可能である。タッチまたは圧力によるシステム設定メニューボタン２１４の起動は、システム構成メニューインターフェース８０２がグラフィカルユーザインターフェース１００によって表示されるようにする。システム構成メニューインターフェース８０２は、負荷構成ボタン８０４と、アラーム履歴ボタン８０６と、一般設定ボタン８０８と、システム情報ボタン８１０と、外部デバイスボタン８１２と、サービスモードボタン８１４と、メニュー閉ボタン８１６とを含む。ボタン８０４、８０６、８０８、８１０、８１２、８１４、および８１６の各々は、タッチまたは圧力によって起動可能である。
【０２３０】
タッチまたは圧力による構成ロードボタン８０４の起動は、図３４ｂ等に示されるように、選択可能な事前定義されたグラフィカルユーザインターフェース構成のメニュー８２０が、システム構成メニューインターフェース８０２の表示フィールド８１８内に表示されるようにする。ユーザは、次いで、グラフィカルユーザインターフェース１００による表示のために、事前定義されたグラフィカルユーザインターフェース構成のうちの１つを選択し得る。
【０２３１】
タッチまたは圧力によるアラーム履歴ボタン８０６の起動は、図３４ｃ等に示されるように、アラームメッセージのログ８２２がシステム構成メニューインターフェース８０２の表示フィールド８１８内に表示されるようにする。アラームメッセージのログ８２０は、各メッセージの時間および日付を含み、アラームメッセージは、高優先順位アラームメッセージに関して赤色、中優先順位アラームメッセージに関して黄色、および低優先順位メッセージに関してシアン色、ならびに優先順位を割り当てられないメッセージに関して白色等、その優先順位レベルに従って色分けされ得る。
【０２３２】
タッチまたは圧力による一般設定ボタン８０８の起動は、図３４ｄ等に示されるように、選択可能設定ボタンのメニュー８２４がシステム構成メニューインターフェース８０２の表示フィールド８１８内に表示されるようにする。選択可能設定ボタンのメニュー８２４は、ディスプレイ輝度８２６、アラーム音量８２８、日付および時間設定８３０、スクリーンロック設定８３２、およびタイマフォーマット設定８３４にダイレクトされる設定ボタンを含み得る。これらの設定ボタンの各々は、選択されたカテゴリに対応する選択可能設定を表示するように、タッチまたは圧力起動可能である。
【０２３３】
タッチまたは圧力によるシステム情報ボタン８１０の起動は、図３４ｅ等に示されるように、種々のシステム情報８３６がシステム構成メニューインターフェース８０２の表示フィールド８１８内に表示されるようにする。表示フィールド８１８内に表示されるシステム情報８３６は、合計システム時間データ、システムソフトウェア改訂データ、最終システム保守日付データ、次回システム保守期限データ、バッテリ試験期限日付データ、およびバッテリ交換日付データ等の情報を含み得る。
【０２３４】
タッチまたは圧力による外部デバイスボタン８１２の起動は、図３４ｆ等に示されるように、外部デバイスメニュー８３８がシステム構成メニューインターフェース８０２の表示フィールド８１８内に表示されるようにする。外部デバイスメニュー８３８は、グラフィカルユーザインターフェース１００と、ヒータ−クーラユニット８５または血液監視ユニット８００等の外部デバイスとの間の通信をイネーブルまたはディスエーブルにするために使用される。
【０２３５】
タッチまたは圧力によるサービスモードボタン８１４の起動は、臨床動作モードを終了し、サービス動作モードに入る方法を詳述し、逆もまた同様である、命令８４０がシステム構成メニューインターフェース８０２の表示フィールド８１８内に表示されるようにする。サービスモードボタン８１４の起動はまた、サービスモードに入るボタン８４２を利用可能にさせる。サービスモードに入るボタン８４２は、タッチまたは圧力起動可能ボタンであり、これは、プロセッサ３０がサービスモードに入るであろう前に、少なくとも２秒にわたって押下されなければならない。サービスモードは、診断を実施するために、ならびに／またはプロセッサ３０に関するプログラミング更新および／もしくは改訂を提供するために、サービス技術者によって採用される動作モードである。
【０２３６】
（グラフィカルユーザインターフェースのモジュールのための設定機構）
上記に説明される種々のセンサモジュールおよび非センサモジュールは、モジュール設定メニューボタン１２４を提供され得、これは、タッチスクリーンのタッチまたは圧力起動可能ボタンである。センサモジュールまたは非センサモジュールに関するモジュール設定メニューボタン１２４の起動は、そのモジュールに関する設定メニューインターフェースが表示されるようにするであろう。種々の設定メニューインターフェースが、以下のように説明される。
【０２３７】
（圧力センサモジュール構成メニューインターフェース）
図３５ａは、圧力センサモジュール１５２に関する設定メニューインターフェースを図示する。圧力センサモジュール１５２のタッチまたは圧力によるモジュール設定メニューボタン１２４の起動は、圧力センサモジュール構成メニューインターフェース９０２がグラフィカルユーザインターフェース１００によって表示されるようにする。圧力センサモジュール構成メニューインターフェース９０２は、関連付けられる圧力センサモジュール１５２のタイトルフィールド１５４と合致する英数字タイトルフィールド９０３を含み得る。圧力センサ構成メニューインターフェース９０２は、値をメニュー９０２の種々の設定フィールド９０６、９０８に入力するために使用されるキーパッド９０４を含む。圧力センサ構成メニューインターフェース９０２は、圧力停止限界フィールド９０６と、圧力調整限界フィールド９０８と、アラーム限界ボタン９１０と、ゼロ圧力ボタン９１２と、圧力較正ボタン９１４と、センサオンボタン９１６と、センサオフボタン９１８と、ポンプ関連付けボタン９２０と、設定キャンセルボタン９２２と、設定起動ボタン９２４とを含む。ボタン９１０、９１２、９１４、９１６、９１８、９２０、９２２、および９２４の各々は、タッチまたは圧力によって起動可能である。圧力センサ構成メニューインターフェース９０２は、随意に、圧力センサモジュール１５２にリンクされる圧力センサ５０によって測定される実際の圧力を表示し得る、圧力表示フィールド９２６を提供され得る。
【０２３８】
図３５ａの圧力センサモジュール構成メニューインターフェース９０２は、ｍｍＨｇの単位における圧力の表示のために構成される。しかしながら、圧力センサモジュール構成メニューインターフェースはまた、ｋＰａの単位における圧力表示のために構成され得る。
【０２３９】
圧力停止限界フィールド９０６および圧力調整限界フィールド９０８は、上記に説明される種々の圧力優先順位アラーム状態を起動するために圧力センサモジュール１５２によって使用される、それぞれ、圧力停止限界値および圧力閾値限界値を設定するために使用される。アラーム限界ボタン９１０は、圧力アラーム限界値の設定をイネーブルおよびディスエーブルにするために提供される。圧力停止限界フィールド９０６、圧力調整限界フィールド９０８、およびアラーム限界ボタン９１０の各々は、それぞれ、オーディオボタン９２８、９３０、９３２に関連付けられる。オーディオボタン９２８、９３０、および９３２は、それぞれ、少なくとも２秒にわたるタッチまたは圧力によって起動される、タッチまたは圧力起動可能ボタンである。これらのボタン９２８、９３０、９３２は、対応する閾値に関連付けられるオーディオアラームをディスエーブルおよびイネーブルにするために使用される。図３５に示されるように、ボタン９２８および９３０は、圧力センサモジュール構成メニューインターフェース９０２によって、ボタン９３２よりも薄く、より灰色なものとして表示され、これは、ボタン９２８および９３０に関連付けられるオーディオアラームがディスエーブルにされている一方、ボタン９３２に関連付けられるオーディオアラームがイネーブルにされていることを示す。
【０２４０】
ゼロ圧力ボタン９１２は、少なくとも２秒にわたって押し続けることによって起動されると、圧力チャネルをゼロに設定するタッチまたは圧力起動可能ボタンである。圧力較正ボタン９１４は、起動されると、図３５ｂに示されるように、圧力センサモジュール構成メニューインターフェース９０２の一部にオーバーレイするポップアップとしての圧力較正メニューインターフェース９３６の表示をもたらす、タッチまたは圧力起動可能単一アクションボタンである。圧力較正メニューインターフェース９３６は、ゼロ圧力ボタン９１２を使用して圧力チャネルがゼロに設定された後、ユーザがリンクされる圧力センサを較正することを可能にする。圧力較正メニューインターフェース９３６は、標的較正圧力値を標的較正圧力データフィールドに入力するためのキーボード９３７を提供され得る。圧力較正メニューインターフェース９３６は、圧力センサモジュール１５２にリンクされる圧力センサ５０によって測定される実際の圧力を表示し得る、圧力表示フィールド９４０を含み得る。圧力較正メニューインターフェース９３６は、設定キャンセルボタン９４１と、設定起動ボタン９４２とを含み、これらは、２つのタッチまたは圧力起動可能単一アクションボタンである。設定キャンセルボタン９４１の起動は、標的較正圧力のいずれの新しい変更も受け取ることなく、圧力較正メニューインターフェース９３６を閉じる。設定起動ボタン９４２の起動は、圧力較正メニューインターフェース９３６を閉じると同時に、圧力較正メニューインターフェース９０２を使用して成される標的較正圧力の任意の新しい変更を受け取り、イネーブルにする。
【０２４１】
センサオンボタン９１６およびセンサオフボタン９１８は、２つのタッチまたは圧力起動可能単一アクションボタンである。センサオンボタン９１６の起動は、リンクされる圧力センサ５０をイネーブルにし、センサオフボタン９１８の起動は、リンクされる圧力センサ５０をディスエーブルにする。
【０２４２】
ポンプ関連付けボタン９２０は、起動されると、圧力センサモジュール構成メニューインターフェース９０２の一部にオーバーレイするポップアップとしての圧力センサポンプ関連付けメニューインターフェース９４４の表示をもたらす、タッチまたは圧力起動可能単一アクションボタンである。圧力センサポンプ関連付けメニューインターフェース９４４は、ユーザが、心肺バイパスシステム１のポンプを選択し、これを圧力センサモジュール１５２にリンクすることを可能にし、したがって、ユーザによる介入ボタン１５８の起動は、リンクされるポンプ（すなわち、関連付けられるポンプ）の動作に影響を及ぼすであろう。したがって、圧力センサポンプ関連付けメニューインターフェース９４４は、圧力センサモジュール１５２に関連付けるために利用可能なポンプに対応する、複数のイネーブルにされる単一アクションポンプボタン９４５、９４６、９４７、９４８、９４９を含む。圧力センサポンプ関連付けメニューインターフェース９４４は、例えば、空気除去ポンプ（「ＡＲＰ」）等、圧力センサモジュール１５２に関連付けるために利用可能ではないそれらのポンプに関連する、イネーブルにされない単一アクションポンプボタンを含み得る。圧力センサポンプ関連付けメニューインターフェース９４４は、「なし」ボタンを提供され得、これは、いかなるポンプも圧力センサモジュール１５２に関連付けられるべきではないときに選択され得る。ポンプが対応するポンプボタンの起動によって選択されると、ポンプボタンは、動脈血液ポンプが圧力センサモジュール１５２に関連付けられている図３５ｃの非限定的実施例におけるポンプボタン９４５等によって示されるように、チェックアイコンを表示する。
【０２４３】
圧力センサポンプ関連付けメニューインターフェース９４４は、設定キャンセルボタン９５０と、設定起動ボタン９５１とを含み、これらは、２つのタッチまたは圧力起動可能単一アクションボタンである。設定キャンセルボタン９５０の起動は、圧力センサモジュール１５２に関連付けられるポンプのいずれの新しい変更も受け取ることなく、圧力センサポンプ関連付けメニューインターフェース９４４を閉じる。設定起動ボタン９５１の起動は、圧力センサポンプ関連付けメニューインターフェース９４４を閉じると同時に、圧力センサポンプ関連付けメニューインターフェース９４４を使用して成される圧力センサモジュール１５２に関連付けられるポンプの任意の新しい変更を受け取り、イネーブルにする。
【０２４４】
圧力センサモジュール構成メニューインターフェース９０２の設定キャンセルボタン９２２および設定起動ボタン９２４は、２つのタッチまたは圧力起動可能単一アクションボタンである。設定キャンセルボタン９２２の起動は、圧力センサモジュール構成のいずれの新しい変更も受け取ることなく、圧力センサモジュール構成メニューインターフェース９０２を閉じる。設定起動ボタン９２４の起動は、圧力センサモジュール構成メニューインターフェース９０２を閉じると同時に、圧力センサモジュール構成メニューインターフェース９０２を使用して成される圧力センサモジュール構成の任意の新しい変更を受け取り、イネーブルにする。
【０２４５】
（気泡検出センサモジュール構成メニューインターフェース）
図３６ａは、気泡検出センサモジュール１６２に関する設定メニューインターフェースを図示する。気泡検出センサモジュール１６２のタッチまたは圧力によるモジュール設定メニューボタン１２４の起動は、気泡検出センサモジュール構成メニューインターフェース９５２がグラフィカルユーザインターフェース１００によって表示されるようにする。気泡検出センサモジュール構成メニューインターフェース９５２は、関連付けられる気泡検出センサモジュール１６２のタイトルフィールド１６４と合致する英数字タイトルフィールド９５３を含み得、これは、使用中であり、気泡検出センサモジュール１６２にリンクされる特定のタイプの気泡検出センサを識別する、英数字気泡検出センサタイプフィールド９５４を含み得る。気泡検出センサモジュール構成メニューインターフェース９５２は、複数の気泡検出レベルボタン９５７、９５８、９５９、９６０を提供される気泡感度検出アレイ９５６と、微小気泡オーディオアラームボタン９６２と、センサオンボタン９６４と、センサオフボタン９６６と、ポンプ関連付けボタン９６８と、設定キャンセルボタン９７０と、設定起動ボタン９７２とを含む。ボタン９５７、９５８、９５９、９６０、９６２、９６４、９６６、９６８、９７０、および９７２の各々は、タッチまたは圧力によって起動可能である。
【０２４６】
気泡感度検出アレイ９５６は、気泡検出レベルボタン９５７、９５８、９５９、９６０のうちの１つを起動することによって、ユーザが関連付けられる気泡検出センサモジュール１６２による気泡検出のアラーム感度を設定することを可能にする。気泡検出レベルボタン９５７、９５８、９５９、９６０の各々は、タッチまたは圧力単一アクションボタンであり、これは、上記に説明される種々の気泡検出優先順位アラーム状態を起動するために、気泡検出センサモジュール１６２によって使用される気泡検出サイズアラーム閾値を設定する。気泡感度検出アレイ９５６は、アラーム状態を設定するが、これは、リンクされる気泡検出センサ６０によって検出される気泡のサイズを変更しない。気泡検出レベルボタン９５７は、最も小さいサイズの気泡の検出アラーム閾値（すなわち、最も高い気泡検出感度）に対応し、気泡検出レベルボタン９６０は、最も大きいサイズの気泡の検出アラーム閾値（すなわち、最も低い気泡検出感度）に対応し、気泡検出レベルボタン９５８および９５９は、気泡検出レベルボタン９５７および９６０を使用して設定可能なこれらのアラーム閾値間でアラーム閾値を設定する。
【０２４７】
微小気泡オーディオアラームボタン９６２は、微小気泡オーディオアラームの設定をイネーブルおよびディスエーブルにするために提供される。タッチまたは圧力によって微小気泡オーディオアラームボタン９６２を起動することは、オーディオアラームの状態をイネーブルにされた状態とディスエーブルにされた状態との間で反転させる。例えば、微小気泡オーディオアラームが関与する場合、微小気泡オーディオアラームボタン９６２を起動することは、オーディオアラームを解除させ、本解除された状態は、解除アイコン（すなわち、アクティブなスピーカアイコンにわたる赤色の「Ｘ」）によって示される。微小気泡オーディオアラームが解除されている場合、微小気泡オーディオアラームボタン９６２を起動することは、オーディオアラームを関与させ、本関与する状態は、関与アイコン（すなわち、アクティブなスピーカアイコン）によって示される。
【０２４８】
センサオンボタン９６４およびセンサオフボタン９６６は、２つのタッチまたは圧力起動可能ボタンであるが、センサオンボタン９６４は、単一アクションボタンであり、センサオフボタン９６６は、起動するために少なくとも２秒にわたって押し続けられなければならない。センサオンボタン９６４の起動は、リンクされる気泡検出センサ６０をイネーブルにし、センサオフボタン９６６の起動は、リンクされる気泡検出センサ６０をディスエーブルにする。
【０２４９】
ポンプ関連付けボタン９６８は、図３６ｂ等に示されるように、起動されると、気泡検出センサモジュール構成メニューインターフェース９５２の一部にオーバーレイするポップアップとしての気泡センサポンプ関連付けメニューインターフェース９７４の表示をもたらす、タッチまたは圧力起動可能単一アクションボタンである。気泡センサポンプ関連付けメニューインターフェース９７４は、ユーザが、心肺バイパスシステム１のポンプを選択し、これを気泡検出センサモジュール１６２にリンクすることを可能にし、したがって、ユーザによる介入ボタン１６８の起動は、リンクされるポンプ（すなわち、関連付けられるポンプ）の動作に影響を及ぼすであろう。
【０２５０】
気泡センサポンプ関連付けメニューインターフェース９７４は、気泡検出センサモジュール１６２に関連付けるために利用可能なポンプに対応する、複数のイネーブルにされる単一アクションポンプボタン９７５、９７６、９７７、９７８、９７９を含む。気泡センサポンプ関連付けメニューインターフェース９７４は、例えば、空気除去ポンプ（「ＡＲＰ」）等、気泡検出センサモジュール１６２に関連付けるために利用可能ではないそれらのポンプに関連する、イネーブルにされない単一アクションポンプボタンを含み得る。気泡センサポンプ関連付けメニューインターフェース９７４は、「なし」ボタンを提供され得、これは、いかなるポンプも気泡検出センサモジュール１６２に関連付けられるべきではないときに選択され得る。ポンプが対応するポンプボタンの起動によって選択されると、ポンプボタンは、図３６ｂの非限定的実施例におけるポンプボタン９７５等によって示されるように、チェックアイコンを表示する。
【０２５１】
気泡センサポンプ関連付けメニューインターフェース９７４は、設定キャンセルボタン９８０と、設定起動ボタン９８１とを含み、これらは、２つのタッチまたは圧力起動可能単一アクションボタンである。設定キャンセルボタン９８０の起動は、気泡検出センサモジュール１６２に関連付けられるポンプのいずれの新しい変更も受け取ることなく、気泡センサポンプ関連付けメニューインターフェース９７４を閉じる。設定起動ボタン９８１の起動は、気泡センサポンプ関連付けメニューインターフェース９７４を閉じると同時に、気泡センサポンプ関連付けメニューインターフェース９７４を使用して成される気泡検出センサモジュール１６２に関連付けられるポンプの任意の新しい変更を受け取り、イネーブルにする。
【０２５２】
気泡検出センサモジュール構成メニューインターフェース９５２の設定キャンセルボタン９７０および設定起動ボタン９７２は、２つのタッチまたは圧力起動可能単一アクションボタンである。設定キャンセルボタン９７０の起動は、気泡検出センサモジュール構成のいずれの新しい変更も受け取ることなく、気泡検出センサモジュール構成メニューインターフェース９５２を閉じる。設定起動ボタン９７２の起動は、気泡検出センサモジュール構成メニューインターフェース９５２を閉じると同時に、気泡検出センサモジュール構成メニューインターフェース９５２を使用して成される気泡検出センサモジュール構成の任意の新しい変更を受け取り、イネーブルにする。
【０２５３】
（レベルセンサモジュール構成メニューインターフェース）
図３７ａは、レベルセンサモジュール１７２に関する設定メニューインターフェースを図示する。レベルセンサモジュール１７２のタッチまたは圧力によるモジュール設定メニューボタン１２４の起動は、レベルセンサモジュール構成メニューインターフェース９９２がグラフィカルユーザインターフェース１００によって表示されるようにする。レベルセンサモジュール構成メニューインターフェース９９２は、関連付けられるレベルセンサモジュール１７２のタイトルフィールド１７４と合致する英数字タイトルフィールド９９３を含み得る。レベルセンサモジュール構成メニューインターフェース９９２は、調整オンボタン９９６および調整オフボタン９９８を提供される調整インターフェース９９４を含む。調整オンボタン９９６および調整オフボタン９９８は、それぞれ、タッチまたは圧力起動可能ボタンであるが、しかしながら、調整オンボタン９９６は、単一アクションボタンであり、調整オフボタン９９８は、起動するために少なくとも２秒にわたって押し続けられなければならない。調整オンボタン９９６の起動は、流体レベルセンサ７０が低レベルを検出するに関連付けられる空気除去ポンプ３９の動作を介して、自動的レベル調整をイネーブルにし、調整オフボタン９９８の起動は、本自動的レベル調整機構をディスエーブルにする。
【０２５４】
レベルセンサモジュール構成メニューインターフェース９９２はまた、センサオンボタン１００２およびセンサオフボタン１００４を含むレベルセンサ起動インターフェース１０００を提供され得る。センサオンボタン１００２およびセンサオフボタン１００４は、それぞれ、タッチまたは圧力起動可能ボタンであるが、しかしながら、センサオンボタン１００２は、単一アクションボタンであり、センサオフボタン１００４は、起動するために少なくとも２秒にわたって押し続けられなければならない。センサオンボタン１００２の起動は、リンクされるリザーバ流体レベルセンサ７０をイネーブルにし、センサオフボタン１００４の起動は、リンクされるリザーバ流体レベルセンサ７０をディスエーブルにする。
【０２５５】
レベルセンサモジュール構成メニューインターフェース９９２はまた、ポンプ関連付けボタン１００６を提供され得、これは、図３７ｂ等に示されるように、起動されると、レベルセンサモジュール構成メニューインターフェース９９２の一部にオーバーレイするポップアップとしてのレベルセンサポンプ関連付けメニューインターフェース１０１２の表示をもたらす、タッチまたは圧力起動可能単一アクションボタンである。レベルセンサポンプ関連付けメニューインターフェース１０１２は、ユーザが、心肺バイパスシステム１のポンプを選択し、これをレベルセンサモジュール１７２にリンクすることを可能にし、したがって、ユーザによる介入ボタン１７８の起動は、血液ポンプ３７、３８または空気除去ポンプ３９であり得るリンクされるポンプ（すなわち、関連付けられるポンプ）の動作に影響を及ぼすであろう。
【０２５６】
レベルセンサポンプ関連付けメニューインターフェース１０１２は、レベルセンサモジュール１７２に関連付けるために利用可能なポンプに対応する、複数のイネーブルにされる単一アクションポンプボタン１０１３、１０１４、１０１５、１０１６、１０１７、１０１８を含む。レベルセンサポンプ関連付けメニューインターフェース１０１２は、レベルセンサモジュール１７２に関連付けるために利用可能ではないそれらのポンプに関連する、イネーブルにされない単一アクションポンプボタンを含み得る。レベルセンサポンプ関連付けメニューインターフェース１０１２は、「なし」ボタンを提供され得、これは、いかなるポンプもレベルセンサモジュール１７２に関連付けられるべきではないときに選択され得る。ポンプが対応するポンプボタンの起動によって選択されると、ポンプボタンは、レベルセンサモジュール１７２に関連付けられるポンプが空気除去ポンプである図３７ｂの非限定的実施例におけるポンプボタン１０１８等によって示されるように、チェックアイコンを表示する。
【０２５７】
レベルセンサポンプ関連付けメニューインターフェース１０１２は、設定キャンセルボタン１０１９と、設定起動ボタン１０２０とを含み、これらは、２つのタッチまたは圧力起動可能単一アクションボタンである。設定キャンセルボタン１０１９の起動は、レベルセンサモジュール１７２に関連付けられるポンプのいずれの新しい変更も受け取ることなく、レベルセンサポンプ関連付けメニューインターフェース１０１２を閉じる。設定起動ボタン１０２０の起動は、レベルセンサポンプ関連付けメニューインターフェース１０１２を閉じると同時に、レベルセンサポンプ関連付けメニューインターフェース１０１２を使用して成されるレベルセンサモジュール１７２に関連付けられるポンプの任意の新しい変更を受け取り、イネーブルにする。
【０２５８】
レベルセンサモジュール構成メニューインターフェース９９２はまた、設定キャンセルボタン１００８および設定起動ボタン１０１０を提供され得、これらは、２つのタッチまたは圧力起動可能単一アクションボタンである。設定キャンセルボタン１００８の起動は、レベルセンサモジュール構成のいずれの新しい変更も受け取ることなく、レベルセンサモジュール構成メニューインターフェース９９２を閉じる。設定起動ボタン１０１０の起動は、レベルセンサモジュール構成メニューインターフェース９９２を閉じると同時に、レベルセンサモジュール構成メニューインターフェース９９２を使用して成されるレベルセンサモジュール構成の任意の新しい変更を受け取り、イネーブルにする。
【０２５９】
（温度センサモジュール構成メニューインターフェース）
図３８は、温度センサモジュール１８２に関する設定メニューインターフェースを図示する。温度センサモジュール１８２のタッチまたは圧力によるモジュール設定メニューボタン１２４の起動は、温度センサモジュール構成メニューインターフェース１０２２がグラフィカルユーザインターフェース１００によって表示されるようにする。温度センサモジュール構成メニューインターフェース１０２２は、関連付けられる温度センサモジュール１８２のタイトルフィールド１８４と合致する英数字タイトルフィールド１０２３を含み得る。
【０２６０】
温度センサ構成メニューインターフェース１０２２は、値をメニュー１０２２の種々の設定フィールド１０２６、１０２８に入力するために使用されるキーパッド１０２４を含む。温度センサ構成メニューインターフェース１０２２は、温度上限フィールド１０２６と、上限に対応するオーディオボタン１０２５と、温度下限フィールド１０２８と、下限に対応するオーディオボタン１０３０と、加熱−冷却ユニッに関連付けボタン１０３４と、センサオンボタン１０３８およびセンサオフボタン１０４０を含む温度センサ起動インターフェース１０３６と、設定キャンセルボタン１０４２と、設定起動ボタン１０４４とを含む。ボタン１０２５、１０３０、１０３４、１０３８、１０４０、１０４２、および１０４４の各々は、タッチまたは圧力によって起動可能である。温度センサ構成メニューインターフェース１０２２は、随意に、温度センサモジュール１８２にリンクされる温度センサ８０によって測定される実際の温度を表示し得る、温度表示フィールド１０３２を提供され得る。
【０２６１】
図３８の温度センサモジュール構成メニューインターフェース１０２２は、摂氏度の単位における圧力の表示のために構成される。しかしながら、温度センサモジュール構成メニューインターフェースはまた、華氏度の単位における温度表示のために構成され得る。
【０２６２】
温度上限フィールド１０２６および温度下限フィールド１０２８は、上記に説明される種々の温度優先順位アラーム状態を起動するために温度センサモジュール１８２によって使用される、それぞれ、温度上限値および温度下限値を設定するために使用される。オーディオボタン１０２５は、温度アラーム上限値に対応するオーディオアラームをイネーブルおよびディスエーブルにするために提供され、オーディオボタン１０３０は、温度アラーム下限値に対応するオーディオアラームをイネーブルおよびディスエーブルにするために提供される。オーディオボタン１０２５は、対応するオーディオアラームをディスエーブルにするために、少なくとも２秒の期間にわたって押下されると起動される、タッチまたは圧力起動可能ボタンである一方、オーディオボタン１０３０は、タッチまたは圧力起動可能単一アクションボタンである。本開示のある実施形態では、オーディオボタン１０２５は、対応するオーディオアラームをイネーブルにするために使用されるとき、単一アクションボタンとして構成され、本オーディオアラームをディスエーブルにするために、少なくとも２秒の期間にわたる起動を要求する。
【０２６３】
加熱−冷却ユニッに関連付けボタン１０３４は、起動されると、温度センサモジュール構成メニューインターフェース１０２２の一部にオーバーレイするポップアップとしての加熱−冷却ユニッに関連付けメニューインターフェースの表示をもたらす、タッチまたは圧力起動可能単一アクションボタンである。加熱−冷却ユニッに関連付けメニューインターフェースは、ユーザが、温度センサ８０が加熱−冷却ユニット患者回路外部温度または心筋保護液回路外部温度を測定するために配置されるとき、必要に応じて、心肺バイパスシステム１のヒータ−クーラユニット８５を温度センサ８０とリンクする、または温度センサ８０とヒータ−クーラユニット８５との間にいかなる関連付けも存在しないとき、これを規定することを可能にする。
【０２６４】
センサオンボタン１０３８は、単一アクションタッチまたは圧力起動可能ボタンであり、センサオフボタン１０４０は、起動するために少なくとも２秒にわたって押下されなければならないタッチまたは圧力起動可能ボタンである。センサオンボタン１０３８の起動は、リンクされる温度センサ８０をイネーブルにし、センサオフボタン１０４０の起動は、リンクされる温度センサ８０をディスエーブルにする。
【０２６５】
設定キャンセルボタン１０４２および設定起動ボタン１０４４は、２つのタッチまたは圧力起動可能単一アクションボタンである。設定キャンセルボタン１０４２の起動は、温度センサモジュール構成のいずれの新しい変更も受け取ることなく、温度センサモジュール構成メニューインターフェース１０２２を閉じる。設定起動ボタン１０４４の起動は、温度センサモジュール構成メニューインターフェース１０２２を閉じると同時に、温度センサモジュール構成メニューインターフェース１０２２を使用して成される温度センサモジュール構成の任意の新しい変更を受け取り、イネーブルにする。
【０２６６】
（流量センサモジュール構成メニューインターフェース）
図３９ａは、流量センサモジュール１９２に関する設定メニューインターフェースを図示する。流量センサモジュール１９２のタッチまたは圧力によるモジュール設定メニューボタン１２４の起動は、流量センサモジュール構成メニューインターフェース１０５２がグラフィカルユーザインターフェース１００によって表示されるようにする。流量センサモジュール構成メニューインターフェース１０５２は、関連付けられる流量センサモジュール１９２のタイトルフィールド１９４と合致する英数字タイトルフィールド１０５３を含み得る。流量センサ構成メニューインターフェース１０５２は、値をメニューインターフェース１０５２の種々の設定フィールド１０５６、１０５８に入力するために使用されるキーパッド１０５４を含む。流量センサ構成メニューインターフェース１０５２は、流量上限フィールド１０５６と、上限に対応するオーディオボタン１０５７と、流量下限フィールド１０５８と、下限に対応するオーディオボタン１０６０と、ゼロ流量ボタン１０６４と、センサオンボタン１０７０およびセンサオフボタン１０７２を含む流量センサ起動インターフェース１０６８と、ポンプ関連付けボタン１０６６と、設定キャンセルボタン１０７４と、設定起動ボタン１０７６とを含む。ボタン１０５７、１０６０、１０６４、１０６６、１０７０、１０７２、１０７４、および１０７６の各々は、タッチまたは圧力によって起動可能である。圧力センサ構成メニューインターフェース１０５２は、随意に、流量センサモジュール１９２にリンクされる流量センサ９０によって測定される実際の流量を表示し得る、流量表示フィールド１０６２を提供され得る。
【０２６７】
流量上限フィールド１０５６および流量下限フィールド１０５８は、上記に説明される種々の流量優先順位アラーム状態を起動するために流量センサモジュール１９２によって使用される、それぞれ、流量上限値および流量下限値を設定するために使用される。オーディオボタン１０５７は、流量アラーム上限値に対応するオーディオアラームをイネーブルおよびディスエーブルにするために提供され、オーディオボタン１０６０は、流量アラーム下限値に対応するオーディオアラームをイネーブルおよびディスエーブルにするために提供される。オーディオボタン１０５７は、対応するオーディオアラームを解除するために、少なくとも２秒の期間にわたって押下されると起動されるタッチまたは圧力ボタンであるが、オーディオボタン１０５７は、対応するオーディオアラームをイネーブルにするために、単一アクションボタンとして構成され得る一方、下限解除ボタン１０６０は、その対応するオーディオアラームのイネーブルおよびディスエーブルの両方のためのタッチまたは圧力起動可能単一アクションボタンである。
【０２６８】
ゼロ流量ボタン１０６４は、少なくとも２秒にわたって押し続けることによって起動されると、流量センサをゼロに設定するタッチまたは圧力起動可能ボタンである。ポンプ関連付けボタン１０６６は、図３９ｂ等に示されるように、起動されると、流量センサモジュール構成メニューインターフェース１０５２の一部にオーバーレイするポップアップとしてのレベルセンサポンプ関連付けメニューインターフェース１１００の表示をもたらす、タッチまたは圧力起動可能単一アクションボタンである。レベルセンサポンプ関連付けメニューインターフェース１１００は、ユーザが、心肺バイパスシステム１の遠心ポンプを選択し、これを流量センサモジュール１９２にリンクすることを可能にする。
【０２６９】
流量センサポンプ関連付けメニューインターフェース１１００は、流量センサモジュール１９２に関連付けるために利用可能なポンプに対応する、複数のイネーブルにされる単一アクションポンプボタン１１０１、１１０２、１１０３、１１０４、１１０５を含む。流量センサポンプ関連付けメニューインターフェース１１００は、流量センサモジュール１９２に関連付けるために利用可能ではないそれらのポンプに関連する、イネーブルにされない単一アクションポンプボタンを含み得る。流量センサポンプ関連付けメニューインターフェース１１００は、「なし」ボタンを提供され得、これは、いかなるポンプも流量センサモジュール１９２に関連付けられるべきではないときに選択され得る。ポンプが対応するポンプボタンの起動によって選択されると、ポンプボタンは、レベルセンサモジュール１９２に関連付けられるポンプが遠心血液ポンプであり得る図３９ｂの非限定的実施例におけるポンプボタン１１０１等によって示されるように、チェックアイコンを表示する。
【０２７０】
流量センサポンプ関連付けメニューインターフェース１１００は、設定キャンセルボタン１１０６と、設定起動ボタン１１０７とを含み、これらは、２つのタッチまたは圧力起動可能単一アクションボタンである。設定キャンセルボタン１１０６の起動は、流量センサモジュール１９２に関連付けられるポンプのいずれの新しい変更も受け取ることなく、流量センサポンプ関連付けメニューインターフェース１１００を閉じる。設定起動ボタン１１０７の起動は、流量センサポンプ関連付けメニューインターフェース１１００を閉じると同時に、流量センサポンプ関連付けメニューインターフェース１１００を使用して成される流量センサモジュール１９２に関連付けられるポンプの任意の新しい変更を受け取り、イネーブルにする。
【０２７１】
センサオンボタン１０７０は、単一アクションタッチまたは圧力起動可能ボタンであり、センサオフボタン１０７２は、起動するために少なくとも２秒にわたって押下されなければならないタッチまたは圧力起動可能ボタンである。センサオンボタン１０７０の起動は、リンクされる流量センサ９０をイネーブルにし、センサオフボタン１０７２の起動は、リンクされる流量センサ９０をディスエーブルにする。
【０２７２】
設定キャンセルボタン１０７４および設定起動ボタン１０７６は、流量センサモジュール構成メニューインターフェース１０５２の２つのタッチまたは圧力起動可能単一アクションボタンである。設定キャンセルボタン１０７４の起動は、流量センサモジュール構成のいずれの新しい変更も受け取ることなく、流量センサモジュール構成メニューインターフェース１０５２を閉じる。設定起動ボタン１０７６の起動は、流量センサモジュール構成メニューインターフェース１０５２を閉じると同時に、流量センサモジュール構成メニューインターフェース１０５２を使用して成される流量センサモジュール構成の任意の新しい変更を受け取り、イネーブルにする。
【０２７３】
（圧力デルタセンサモジュール構成メニューインターフェース）
図４０は、圧力デルタセンサモジュール２５２に関する設定メニューインターフェースを図示する。圧力デルタセンサモジュール２５２のタッチまたは圧力によるモジュール設定メニューボタン１２４の起動は、圧力デルタセンサモジュール構成メニューインターフェース１０８２がグラフィカルユーザインターフェース１００によって表示されるようにする。圧力デルタセンサモジュール構成メニューインターフェース１０８２は、関連付けられる圧力デルタセンサモジュール２５２のタイトルフィールド２５４と合致する英数字タイトルフィールド１０８３を含み得る。圧力デルタセンサ構成メニューインターフェース１０８２は、値を構成メニューインターフェース１０８２の種々の設定フィールド１０８６、１０８８に入力するために使用されるキーパッド１０８４を含む。圧力デルタセンサ構成メニューインターフェース１０８２は、圧力デルタ上限フィールド１０８６と、上限に対応するオーディオボタン１０８７と、圧力デルタ下限フィールド１０８８と、下限に対応するオーディオボタン１０９０と、設定キャンセルボタン１０９４と、設定起動ボタン１０９６とを含む。ボタン１０８７、１０９０、１０９４、および１０９６の各々は、タッチまたは圧力によって起動可能である。圧力センサ構成メニューインターフェース１０８２は、随意に、圧力デルタセンサモジュール２５２にリンクされる少なくとも２つの圧力センサ５０から測定される圧力値から導出されるような実際の圧力デルタを表示し得る、圧力デルタ表示フィールド１０９２を提供され得る。
【０２７４】
図４０の圧力デルタセンサモジュール構成メニューインターフェース１０８２は、ｍｍＨｇの単位における圧力デルタ値の表示のために構成される。しかしながら、圧力デルタセンサモジュール構成メニューインターフェースはまた、ｋＰａの単位における圧力デルタ値表示のために構成され得る。
【０２７５】
圧力デルタ上限フィールド１０８６および圧力デルタ下限フィールド１０８８は、上記に説明される種々の圧力デルタ優先順位アラーム状態を起動するために圧力デルタセンサモジュール２５２によって使用される、それぞれ、圧力デルタ上限値および圧力デルタ下限値を設定するために使用される。オーディオボタン１０８７は、圧力デルタアラーム上限値に対応するオーディオアラームをイネーブルおよびディスエーブルにするために提供される。例えば、オーディオアラームがイネーブルにされた状態にあるとき、オーディオボタン１０８７に対する少なくとも２秒にわたって持続されるタッチまたは圧力は、オーディオアラームをディスエーブルにされた状態に遷移させるであろう。上限に対応するオーディオアラームがディスエーブルにされると、オーディオボタン１０８７に対する単一アクションタッチまたは圧力は、オーディオアラームをイネーブルにされた状態に戻るように遷移させるであろう。
【０２７６】
オーディオボタン１０９０は、圧力デルタアラーム下限値に対応するオーディオアラームをイネーブルおよびディスエーブルにするために提供される。オーディオボタン１０９０は、タッチまたは圧力起動可能単一アクションボタンであり、したがって、単一のタッチまたは押下が、イネーブルにされた状態からディスエーブルにされた状態の間で、およびディスエーブルにされた状態からイネーブルにされた状態の間でオーディオアラームを遷移させる。
【０２７７】
設定キャンセルボタン１０９４および設定起動ボタン１０９６は、２つのタッチまたは圧力起動可能単一アクションボタンである。設定キャンセルボタン１０９４の起動は、圧力デルタセンサモジュール構成のいずれの新しい変更も受け取ることなく、圧力デルタセンサモジュール構成メニューインターフェース１０８２を閉じる。設定起動ボタン１０９６の起動は、圧力デルタセンサモジュール構成メニューインターフェース１０８２を閉じると同時に、圧力デルタセンサモジュール構成メニューインターフェース１０８２を使用して成される圧力デルタセンサモジュール構成の任意の新しい変更を受け取り、イネーブルにする。
【０２７８】
（ユーザインターフェース設定を対象とする方法実施形態）
本開示によると、臨床動作モードにおける動作に先立って、タッチスクリーンのグラフィカルユーザインターフェースを構成する方法が、提供され、本方法は、（ａ）第１の信号に応答して、タッチスクリーンによって表示されるグラフィカルユーザインターフェースのタブ付き表示ページに関連付けられたセンサモジュール構成メニューインターフェースを表示するステップと、（ｂ）第２の信号に応答して、タブ付き表示ページに関連付けられたセンサモジュール構成メニューインターフェースに関連付けられたセンサモジュールのための少なくとも１つのアラーム限界を設定するステップとを含む。本文脈では、タッチスクリーンの臨床動作モードは、グラフィカルユーザインターフェースが、複数のセンサモジュールに関連付けられる複数のセンサからのデータ入力を表示および監視するように構成され、動作しているときに使用される動作モードである。本方法のある実施形態によると、第１の信号は、タブ付き表示ページのセンサモジュールのタッチまたは圧力起動可能モジュール設定メニューボタンの起動の結果として生成される。本方法のある実施形態によると、第２の信号は、タブ付き表示ページに関連付けられたセンサモジュール構成メニューインターフェースのタッチまたは圧力起動可能ボタンの起動の結果として生成される。本開示のある実施形態によると、本方法はさらに、（ｃ）第３の信号に応答して、ポンプのタブ付き表示ページのセンサモジュールとの選択的関連付けを可能にするために、タブ付き表示ページのセンサモジュール構成メニューインターフェースの一部上にポンプ関連付けメニューインターフェースをオーバーレイするステップを含み得る。本開示のある実施形態によると、本第３の信号は、センサモジュール構成メニューインターフェースのタッチまたは圧力起動可能ポンプ関連付けボタンの起動の結果として生成される。
【０２７９】
本開示のある実施形態によると、本方法は、（ｃ）第３の信号に応答して、タッチスクリーンによって表示されるグラフィカルユーザインターフェースのタブなし表示ページの一部上にセンサモジュール構成メニューインターフェースを表示するステップと、（ｄ）第４の信号に応答して、タブなし表示ページに関連付けられたセンサモジュール構成メニューインターフェースに関連付けられたセンサモジュールのための少なくとも１つのアラーム限界を設定するステップとを含み得る。本方法のある実施形態によると、本第３の信号は、タブなし表示ページのセンサモジュールのタッチまたは圧力起動可能モジュール設定メニューボタンの起動の結果として生成され得る。本開示のある実施形態によると、本第４の信号は、タブなし表示ページのセンサモジュール構成メニューインターフェースのタッチまたは圧力起動可能ボタンの起動の結果として生成され得る。本開示のある実施形態によると、本方法はさらに、（ｅ）第５の信号に応答して、ポンプのタブなし表示ページのセンサモジュールとの選択的関連付けを可能にするために、タブなし表示ページのセンサモジュール構成メニューインターフェースの一部上にポンプ関連付けメニューインターフェースをオーバーレイするステップを含み得る。本開示のある実施形態によると、第５の信号は、センサモジュール構成メニューインターフェースのタッチまたは圧力起動可能ポンプ関連付けボタンの起動に応じて生成され得る。
【０２８０】
本開示のある実施形態によると、その対応するセンサモジュール構成メニューインターフェースに関連付けられた各センサモジュールは、圧力センサモジュール構成メニューインターフェースに関連付けられた圧力センサモジュール、気泡検出センサモジュール構成メニューインターフェースに関連付けられた気泡検出センサモジュール、レベルセンサモジュール構成メニューインターフェースに関連付けられたレベルセンサモジュール、温度センサモジュール構成メニューインターフェースに関連付けられた温度センサモジュール、流量センサモジュール構成メニューインターフェースに関連付けられた流量センサモジュール、および圧力デルタセンサモジュール構成メニューインターフェースに関連付けられた圧力デルタセンサモジュールから成る群から独立して選択され得る。本開示のある実施形態によると、本方法は、事前定義されたグラフィカルユーザインターフェース構成を選択する、または輝度およびアラーム音量から成る群から選択される少なくとも１つの選択可能アラーム設定を構成する、もしくは外部デバイスメニューを表示するために、システム構成メニューインターフェースを起動するステップを含み得る。しかしながら、システム構成メニューインターフェースは、本システムを構成するために採用可能な他のオプションを提供され得る。
【０２８１】
本開示のある実施形態によると、本方法は、タブ付き表示ページのセンサモジュールの少なくとも１つのアラーム限界を受け取り、イネーブルにするように、タブ付き表示ページのセンサモジュール構成メニューインターフェースを閉じるステップを含み得る、および／またはこれはまた、タブなし表示ページのセンサモジュールの少なくとも１つのアラーム限界を受け取り、イネーブルにするために、タブなし表示ページのセンサモジュール構成メニューインターフェースを閉じるステップを含み得る。
【０２８２】
（多角的解説）
したがって、本開示によると、便利なカスタマイズ、柔軟な構成、およびモジュール式構造を提供し、直感的設計を採用し、それによって、容易な使用および安全な使用を促進するグラフィカルユーザインターフェースが、説明された。また、本開示によると、グラフィカルユーザインターフェースを使用するとき、安全性を強化する統合されたアラームを伴うグラフィカルユーザインターフェースが、説明された。本開示によるグラフィカルユーザインターフェースは、システム設定を設定し、ならびに少なくとも１つのタブなし表示ページおよび複数のタブ付き表示ページ内に構成される種々のセンサモジュールおよび非センサモジュールを設定するための種々の段階化設定機構を提供される。
【０２８３】
本開示によって提供される前述の説明は、例証および説明のみを目的として提示され、いかようにも請求されるような本発明の範囲を限定するものとして解釈されるべきではない。本発明の範囲は、本明細書に添付される請求項から決定されるべきである。
【図１】
2019217405.tif 000003
【図２Ａ】
2019217405.tif 000004
【図２Ｂ】
2019217405.tif 000005
【図３Ａ】
2019217405.tif 000006
【図３Ｂ】
2019217405.tif 000007
【図４】
2019217405.tif 000008
【図５】
2019217405.tif 000009
【図６】
2019217405.tif 000010
【図７】
2019217405.tif 000011
【図８】
2019217405.tif 000012
【図９】
2019217405.tif 000013
【図１０−１】
2019217405.tif 000014
【図１０−２】
2019217405.tif 000015
【図１１】
2019217405.tif 000016
【図１２】
2019217405.tif 000017
【図１３】
2019217405.tif 000018
【図１４】
2019217405.tif 000019
【図１５】
2019217405.tif 000020
【図１６】
2019217405.tif 000021
【図１７−１】
2019217405.tif 000022
【図１７−２】
2019217405.tif 000023
【図１８】
2019217405.tif 000024
【図１９−１】
2019217405.tif 000025
【図１９−２】
2019217405.tif 000026
【図２０−１】
2019217405.tif 000027
【図２０−２】
2019217405.tif 000028
【図２１】
2019217405.tif 000029
【図２２】
2019217405.tif 000030
【図２３−１】
2019217405.tif 000031
【図２３−２】
2019217405.tif 000032
【図２４】
2019217405.tif 000033
【図２５−１】
2019217405.tif 000034
【図２５−２】
2019217405.tif 000035
【図２６】
2019217405.tif 000036
【図２７】
2019217405.tif 000037
【図２８】
2019217405.tif 000038
【図２９】
2019217405.tif 000039
【図３０Ａ】
2019217405.tif 000040
【図３０Ｂ】
2019217405.tif 000041
【図３０Ｃ】
2019217405.tif 000042
【図３０Ｄ】
2019217405.tif 000043
【図３１】
2019217405.tif 000044
【図３２】
2019217405.tif 000045
【図３３】
2019217405.tif 000046
【図３４Ａ】
2019217405.tif 000047
【図３４Ｂ】
2019217405.tif 000048
【図３４Ｃ】
2019217405.tif 000049
【図３４Ｄ】
2019217405.tif 000050
【図３４Ｅ】
2019217405.tif 000051
【図３４Ｆ】
2019217405.tif 000052
【図３４Ｇ】
2019217405.tif 000053
【図３５Ａ】
2019217405.tif 000054
【図３５Ｂ】
2019217405.tif 000055
【図３５Ｃ】
2019217405.tif 000056
【図３６Ａ】
2019217405.tif 000057
【図３６Ｂ】
2019217405.tif 000058
【図３７Ａ】
2019217405.tif 000059
【図３７Ｂ】
2019217405.tif 000060
【図３８】
2019217405.tif 000061
【図３９Ａ】
2019217405.tif 000062
【図３９Ｂ】
2019217405.tif 000063
【図４０】
2019217405.tif 000064
【図４１】
2019217405.tif 000065
【外国語明細書】
2019217405000001.pdf